(57)【要約】【課題】不適切なハンドオーバ動作を検出し、無線端末装置の移動動作を制御することにより、通信の安定化を図ることが可能な無線通信システム、無線基地局装置、通信制御方法および通信制御プログラムを提供する。【解決手段】無線基地局装置１０１Ａは、無線端末装置２０２による無線基地局装置１０１Ｂから自己への移動動作が行なわれてから所定時間内に、上記無線端末装置２０２による自己から無線基地局装置１０１Ｂへの移動動作が行なわれた事象を検知する。無線基地局装置１０１Ａは、上記事象を検知した場合には、所定情報を無線基地局装置１０１Ｂへ送信する。無線基地局装置１０１Ｂは、無線基地局装置１０１Ａから受信した上記所定情報に基づいて、無線端末装置２０２による自己から無線基地局装置１０１Ａへの移動動作のタイミングが遅くなるように制御する。【選択図】図１
2013110728.tif 000002
【特許請求の範囲】
【請求項１】
複数の無線基地局装置を備え、無線端末装置がハンドオーバ動作を行なうことにより前記複数の無線基地局装置と通信可能な無線通信システムであって、
第１の無線基地局装置は、無線端末装置による第２の無線基地局装置から自己へのハンドオーバ動作が行なわれた場合に、前記無線端末装置のハンドオーバ動作に関する情報であるハンドオーバ動作情報を前記第２の無線基地局装置へ送信する、無線通信システム。
【請求項２】
前記第１の無線基地局装置は、前記無線端末装置による前記第２の無線基地局装置から自己へのハンドオーバ動作が行なわれてから、前記無線端末装置による自己から他の無線基地局装置へのハンドオーバ動作が行なわれるまでの時間である滞在時間を前記ハンドオーバ動作情報に含める、請求項１に記載の無線通信システム。
【請求項３】
前記第２の無線基地局装置は、周辺基地局リストを保持し、前記周辺基地局リストに含まれる１または複数の無線基地局装置の中から、無線端末装置のハンドオーバ先を選択し、
前記第２の無線基地局装置は、前記第１の無線基地局装置から受信した前記ハンドオーバ動作情報に含まれる前記滞在時間に基づいて、前記周辺基地局リストから前記第１の無線基地局装置を削除するか否かを判断する、請求項２に記載の無線通信システム。
【請求項４】
前記第１の無線基地局装置は、前記第２の無線基地局装置が前記無線端末装置に付与した端末識別情報を前記ハンドオーバ動作情報に含める、請求項１から請求項３のいずれか１項に記載の無線通信システム。
【請求項５】
前記第１の無線基地局装置は、前記無線端末装置に付与した端末識別情報を前記ハンドオーバ動作情報に含める、請求項１から請求項４のいずれか１項に記載の無線通信システム。
【請求項６】
前記第１の無線基地局装置は、前記第２の無線基地局装置の識別情報を前記ハンドオーバ動作情報に含める、請求項１から請求項５のいずれか１項に記載の無線通信システム。
【請求項７】
前記第１の無線基地局装置は、前記無線端末装置による自己から他の無線基地局装置へのハンドオーバ動作におけるハンドオーバ先の無線基地局装置の識別情報を前記ハンドオーバ動作情報に含める、請求項１から請求項６のいずれか１項に記載の無線通信システム。
【請求項８】
前記第１の無線基地局装置は、前記無線端末装置による前記第２の無線基地局装置から自己へのハンドオーバ動作が行われた際の前記無線端末装置の移動速度を前記ハンドオーバ動作情報に含める、請求項１から請求項７のいずれか１項に記載の無線通信システム。
【請求項９】
前記第１の無線基地局装置は、自己から他の無線基地局装置へのハンドオーバ動作が行われた際の前記無線端末装置の移動速度を前記ハンドオーバ動作情報に含める、請求項１から請求項８のいずれか１項に記載の無線通信システム。
【請求項１０】
前記第１の無線基地局装置は、前記無線端末装置による前記第２の無線基地局装置から自己へのハンドオーバ動作の種別を前記ハンドオーバ動作情報に含める、請求項１から請求項９のいずれか１項に記載の無線通信システム。
【請求項１１】
前記第１の無線基地局装置は、前記無線端末装置による自己から他の無線基地局装置へのハンドオーバ動作の種別を前記ハンドオーバ動作情報に含める、請求項１から請求項１０のいずれか１項に記載の無線通信システム。
【請求項１２】
前記第１の無線基地局装置は、前記第２の無線基地局装置から自己へのハンドオーバ動作を行った前記無線端末装置から受信した情報から、前記ハンドオーバ動作情報に含める情報を取得するかまたは作成する、請求項１から請求項１１のいずれか１項に記載の無線通信システム。
【請求項１３】
前記第１の無線基地局装置は、前記無線端末装置による自己から他の無線基地局装置へのハンドオーバ動作が行われ、前記無線端末装置と前記他の無線基地局装置との通信接続が切断されなかった場合に、前記通信接続が切断されなかった旨を前記ハンドオーバ動作情報に含める、請求項１から請求項１２のいずれか１項に記載の無線通信システム。
【請求項１４】
前記第１の無線基地局装置は、基地局−基地局間の論理インタフェース経由で前記ハンドオーバ動作情報を前記第２の無線基地局装置へ送信する、請求項１から請求項１３のいずれか１項に記載の無線通信システム。
【請求項１５】
複数の無線基地局装置を備え、無線端末装置がハンドオーバ動作を行なうことにより前記複数の無線基地局装置と通信可能な無線通信システムであって、
第１の無線基地局装置は、無線端末装置による自己から第２の無線基地局装置へのハンドオーバ動作が行なわれた場合に、前記無線端末装置のハンドオーバ動作に関する情報であるハンドオーバ動作情報を前記第２の無線基地局装置へ送信する、無線通信システム。
【請求項１６】
前記第１の無線基地局装置は、前記無線端末装置による自己へのハンドオーバ動作が行なわれてから、前記無線端末装置による自己から前記第２の無線基地局装置へのハンドオーバ動作が行なわれるまでの時間である滞在時間を前記ハンドオーバ動作情報に含める、請求項１５に記載の無線通信システム。
【請求項１７】
前記第２の無線基地局装置は、周辺基地局リストを保持し、前記周辺基地局リストに含まれる１または複数の無線基地局装置の中から、無線端末装置のハンドオーバ先を選択し、
前記第２の無線基地局装置は、前記第１の無線基地局装置から受信した前記ハンドオーバ動作情報に含まれる前記滞在時間に基づいて、前記周辺基地局リストから前記第１の無線基地局装置を削除するか否か、または前記周辺基地局リストに前記第１の無線基地局装置を追加するか否かを判断する、請求項１６に記載の無線通信システム。
【請求項１８】
前記第１の無線基地局装置は、前記無線端末装置による自己へのハンドオーバ動作におけるハンドオーバ元の無線基地局装置が前記無線端末装置に付与した端末識別情報を前記ハンドオーバ動作情報に含める、請求項１５から請求項１７のいずれか１項に記載の無線通信システム。
【請求項１９】
前記第１の無線基地局装置は、前記無線端末装置に付与した端末識別情報を前記ハンドオーバ動作情報に含める、請求項１５から請求項１８のいずれか１項に記載の無線通信システム。
【請求項２０】
前記第１の無線基地局装置は、前記無線端末装置による自己へのハンドオーバ動作におけるハンドオーバ元の無線基地局装置の識別情報を前記ハンドオーバ動作情報に含める、請求項１５から請求項１９のいずれか１項に記載の無線通信システム。
【請求項２１】
前記第１の無線基地局装置は、前記第２の無線基地局装置の識別情報を前記ハンドオーバ動作情報に含める、請求項１５から請求項２０のいずれか１項に記載の無線通信システム。
【請求項２２】
前記第１の無線基地局装置は、前記無線端末装置による自己へのハンドオーバ動作が行われた際の前記無線端末装置の移動速度を前記ハンドオーバ動作情報に含める、請求項１５から請求項２１のいずれか１項に記載の無線通信システム。
【請求項２３】
前記第１の無線基地局装置は、自己から前記第２の無線基地局装置へのハンドオーバ動作が行われた際の前記無線端末装置の移動速度を前記ハンドオーバ動作情報に含める、請求項１５から請求項２２のいずれか１項に記載の無線通信システム。
【請求項２４】
前記第１の無線基地局装置は、前記無線端末装置による自己へのハンドオーバ動作の種別を前記ハンドオーバ動作情報に含める、請求項１５から請求項２３のいずれか１項に記載の無線通信システム。
【請求項２５】
前記第１の無線基地局装置は、前記無線端末装置による自己から前記第２の無線基地局装置へのハンドオーバ動作の種別を前記ハンドオーバ動作情報に含める、請求項１５から請求項２４のいずれか１項に記載の無線通信システム。
【請求項２６】
前記第１の無線基地局装置は、前記無線端末装置から受信した情報から前記ハンドオーバ動作情報に含める情報を取得するかまたは作成する、請求項１５から請求項２５のいずれか１項に記載の無線通信システム。
【請求項２７】
前記第１の無線基地局装置は、前記無線端末装置による自己へのハンドオーバ動作が行われ、前記無線端末装置と自己との通信接続が切断されなかった場合に、前記通信接続が切断されなかった旨を前記ハンドオーバ動作情報に含める、請求項１５から請求項２６のいずれか１項に記載の無線通信システム。
【請求項２８】
前記第１の無線基地局装置は、基地局−基地局間の論理インタフェース経由で前記ハンドオーバ動作情報を前記第２の無線基地局装置へ送信する、請求項１５から請求項２７のいずれか１項に記載の無線通信システム。
【請求項２９】
無線端末装置と通信可能な無線基地局装置であって、
無線端末装置による他の無線基地局装置から自己の無線基地局装置へのハンドオーバ動作が行なわれた場合に、前記無線端末装置のハンドオーバ動作に関する情報であるハンドオーバ動作情報を作成するためのハンドオーバ動作情報作成部と、
前記ハンドオーバ動作情報作成部によって作成された前記ハンドオーバ動作情報を前記他の無線基地局装置へ送信するためのハンドオーバ動作情報送信部とを備える、無線基地局装置。
【請求項３０】
無線端末装置と通信可能な無線基地局装置であって、
無線端末装置による自己の無線基地局装置から他の無線基地局装置へのハンドオーバ動作が行なわれた場合に、前記無線端末装置のハンドオーバ動作に関する情報であるハンドオーバ動作情報を作成するためのハンドオーバ動作情報作成部と、
前記ハンドオーバ動作情報作成部によって作成された前記ハンドオーバ動作情報を前記他の無線基地局装置へ送信するためのハンドオーバ動作情報送信部とを備える、無線基地局装置。
【請求項３１】
複数の無線基地局装置を備え、無線端末装置がハンドオーバ動作を行なうことにより前記複数の無線基地局装置と通信可能な無線通信システムにおける通信制御方法であって、  無線端末装置による第１の無線基地局装置から第２の無線基地局装置へのハンドオーバ動作が行なわれるステップと、
前記第２の無線基地局装置が、前記無線端末装置のハンドオーバ動作に関する情報であるハンドオーバ動作情報を前記第１の無線基地局装置へ送信するステップとを含む、通信制御方法。
【請求項３２】
複数の無線基地局装置を備え、無線端末装置がハンドオーバ動作を行なうことにより前記複数の無線基地局装置と通信可能な無線通信システムにおける通信制御方法であって、  無線端末装置による第１の無線基地局装置から第２の無線基地局装置へのハンドオーバ動作が行なわれるステップと、
前記第１の無線基地局装置が、前記無線端末装置のハンドオーバ動作に関する情報であるハンドオーバ動作情報を前記第２の無線基地局装置へ送信するステップとを含む、通信制御方法。
【請求項３３】
複数の無線基地局装置を備え、無線端末装置が移動動作を行なうことにより前記複数の無線基地局装置と通信可能な無線通信システムであって、
第１の無線基地局装置は、無線端末装置による第２の無線基地局装置から自己への移動動作が行なわれてから所定時間内に、前記無線端末装置による自己から前記第２の無線基地局装置への移動動作が行なわれた事象を検知し、
前記第１の無線基地局装置は、前記事象を検知した場合には、所定情報を前記第２の無線基地局装置へ送信し、
前記第２の無線基地局装置は、前記第１の無線基地局装置から受信した前記所定情報に基づいて、無線端末装置による自己から前記第１の無線基地局装置への移動動作のタイミングが遅くなるように制御する、無線通信システム。
【請求項３４】
複数の無線基地局装置を備え、無線端末装置が移動動作を行なうことにより前記複数の無線基地局装置と通信可能な無線通信システムであって、
第１の無線基地局装置は、無線端末装置による第２の無線基地局装置から自己への移動動作が行なわれてから所定時間内に、前記無線端末装置による自己から第３の無線基地局装置への移動動作が行なわれた事象を検知し、
前記第１の無線基地局装置は、前記事象を検知した場合には、所定情報を前記第２の無線基地局装置へ送信し、
前記第２の無線基地局装置は、前記第１の無線基地局装置から受信した前記所定情報に基づいて、無線端末装置による自己から前記第１の無線基地局装置への移動動作のタイミングを遅くする制御、および無線端末装置による自己から前記第３の無線基地局装置への移動動作のタイミングを早くする制御の少なくとも一方を行なう、無線通信システム。
【請求項３５】
前記第１の無線基地局装置は、移動動作の前記タイミング制御を行なう指示を前記所定情報として前記第２の無線基地局装置へ送信し、
前記第２の無線基地局装置は、前記第１の無線基地局装置から前記指示を受信して、移動動作の前記タイミング制御を行なう、請求項３３または請求項３４に記載の無線通信システム。
【請求項３６】
前記第１の無線基地局装置は、前記事象を検知した場合には、無線端末装置による自己から前記第２の無線基地局装置への移動動作のタイミングを制御するか否かを判断し、制御しないと判断した場合には、前記所定情報を前記第２の無線基地局装置へ送信する、請求項３３に記載の無線通信システム。
【請求項３７】
前記第１の無線基地局装置は、前記事象を検知した場合には、無線端末装置による自己から前記第３の無線基地局装置への移動動作のタイミングを制御するか否かを判断し、制御しないと判断した場合には、前記所定情報を前記第２の無線基地局装置へ送信する、請求項３４に記載の無線通信システム。
【請求項３８】
前記第１の無線基地局装置は、前記無線端末装置の移動動作に関する情報である移動動作情報を前記所定情報として前記第２の無線基地局装置へ送信し、
前記第１の無線基地局装置は、前記無線端末装置による自己への移動動作が行なわれてから、前記無線端末装置による自己から他の無線基地局装置への移動動作が行なわれるまでの時間、前記無線端末装置による自己への移動動作における移動元の無線基地局装置の識別情報、前記無線端末装置による自己から他の無線基地局装置への移動動作における移動先の無線基地局装置の識別情報、前記無線端末装置による自己への移動動作が行われた際の前記無線端末装置の移動速度、前記無線端末装置による自己から他の無線基地局装置への移動動作が行われた際の前記無線端末装置の移動速度、前記無線端末装置による自己への移動動作の種別、および前記無線端末装置による自己から他の無線基地局装置への移動動作の種別、のうちの少なくともいずれか１つを前記移動動作情報に含める、請求項３３から請求項３７のいずれか１項に記載の無線通信システム。
【請求項３９】
前記第１の無線基地局装置は、前記無線端末装置における各無線基地局装置からの無線信号の受信電力の測定結果を示す受信電力情報を前記所定情報として前記第２の無線基地局装置へ送信する、請求項３３から請求項３８のいずれか１項に記載の無線通信システム。
【請求項４０】
前記第２の無線基地局装置は、前記受信電力情報において前記第１の無線基地局装置からの無線信号の受信電力が所定値未満の場合には、自己から前記第１の無線基地局装置への無線端末装置による移動動作のタイミングが遅くなるように制御し、前記受信電力情報において前記第１の無線基地局装置からの無線信号の受信電力が前記所定値以上の場合には、前記移動動作のタイミングを遅らせる制御を行なわない、請求項３９に記載の無線通信システム。
【請求項４１】
前記第２の無線基地局装置は、さらに、移動動作の前記タイミング制御を行なうか否かを判断し、制御しないと判断した場合には、不制御情報を前記第１の無線基地局装置へ送信し、
前記第１の無線基地局装置は、前記第２の無線基地局装置から受信した前記不制御情報に基づいて、前記第２の無線基地局装置における移動動作の前記タイミング制御に対応した、無線端末装置による自己から他の無線基地局装置への移動動作のタイミング制御を行なう、請求項３３から請求項３５のいずれか１項に記載の無線通信システム。
【請求項４２】
前記所定情報は、前記第１の無線基地局装置が無線端末装置による自己から他の無線基地局装置への移動動作のタイミングを制御するための設定値を含み、
前記第２の無線基地局装置は、前記第１の無線基地局装置から受信した前記設定値に基づいて、移動動作の前記タイミング制御を行なう、請求項３３から請求項４１のいずれか１項に記載の無線通信システム。
【請求項４３】
前記無線通信システムにおける無線基地局装置は、無線端末装置における自己の無線基地局装置からの無線信号の受信電力および他の無線基地局装置からの無線信号の受信電力の差に基づいて、前記無線端末装置による自己から前記他の無線基地局装置への移動動作を行なうか否かを判断し、
前記受信電力の差は、前記無線基地局装置によって設定されるオフセット値が前記受信電力に加えられた状態で算出され、
前記第１の無線基地局装置は、自己が設定する前記オフセット値を前記所定情報に含め、
前記第２の無線基地局装置は、前記所定情報に含まれる前記オフセット値に基づいて、自己の設定する前記オフセット値を調整する、請求項４２に記載の無線通信システム。
【請求項４４】
前記不制御情報は、前記第２の無線基地局装置が無線端末装置による自己から他の無線基地局装置への移動動作のタイミングを制御するための設定値を含み、
前記第１の無線基地局装置は、前記第２の無線基地局装置から受信した前記設定値に基づいて、移動動作の前記タイミング制御を行なう、請求項４１に記載の無線通信システム。
【請求項４５】
前記無線通信システムにおける無線基地局装置は、無線端末装置における自己の無線基地局装置からの無線信号の受信電力および他の無線基地局装置からの無線信号の受信電力の差に基づいて、前記無線端末装置による自己から前記他の無線基地局装置への移動動作を行なうか否かを判断し、
前記受信電力の差は、前記無線基地局装置によって設定されるオフセット値が前記受信電力に加えられた状態で算出され、
前記第２の無線基地局装置は、自己が設定する前記オフセット値を前記不制御情報に含め、
前記第１の無線基地局装置は、前記不制御情報に含まれる前記オフセット値に基づいて、自己の設定する前記オフセット値を調整する、請求項４４に記載の無線通信システム。
【請求項４６】
複数の無線基地局装置を備え、無線端末装置が移動動作を行なうことにより前記複数の無線基地局装置と通信可能な無線通信システムであって、
第１の無線基地局装置は、無線端末装置による自己から第２の無線基地局装置への移動動作が行なわれてから所定時間内に、前記無線端末装置による前記第２の無線基地局装置から自己または第３の無線基地局装置への移動動作が行なわれた事象を検知し、
前記第１の無線基地局装置は、前記事象を検知した場合には、所定情報を前記第２の無線基地局装置へ送信し、
前記第２の無線基地局装置は、前記第１の無線基地局装置から受信した前記所定情報に基づいて、無線端末装置による自己から前記第１の無線基地局装置または前記第３の無線基地局装置への移動動作のタイミングが遅くなるように制御する、無線通信システム。
【請求項４７】
前記第１の無線基地局装置は、移動動作の前記タイミング制御を行なう指示を前記所定情報として前記第２の無線基地局装置へ送信し、
前記第２の無線基地局装置は、前記第１の無線基地局装置から前記指示を受信して、移動動作の前記タイミング制御を行なう、請求項４６に記載の無線通信システム。
【請求項４８】
前記第１の無線基地局装置は、前記事象を検知した場合には、無線端末装置による自己から前記第２の無線基地局装置への移動動作のタイミングを制御するか否かを判断し、制御しないと判断した場合には、前記所定情報を前記第２の無線基地局装置へ送信する、請求項４６に記載の無線通信システム。
【請求項４９】
前記第１の無線基地局装置は、前記無線端末装置の移動動作に関する情報である移動動作情報を前記所定情報として前記第２の無線基地局装置へ送信し、
前記第１の無線基地局装置は、前記無線端末装置による自己から前記第２の無線基地局装置への移動動作が行なわれてから、前記無線端末装置による前記第２の無線基地局装置から前記第２の無線基地局装置以外の無線基地局装置への移動動作が行なわれるまでの時間、前記無線端末装置による前記第２の無線基地局装置から前記第２の無線基地局装置以外の無線基地局装置への移動動作における移動元および移動先の無線基地局装置の識別情報、前記無線端末装置による前記第２の無線基地局装置から前記第２の無線基地局装置以外の無線基地局装置への移動動作が行われた際の前記無線端末装置の移動速度、前記無線端末装置による自己への移動動作が行われた際の前記無線端末装置の移動速度、前記無線端末装置による前記第２の無線基地局装置から前記第２の無線基地局装置以外の無線基地局装置への移動動作の種別、ならびに前記無線端末装置による自己への移動動作の種別、のうちの少なくともいずれか１つを前記移動動作情報に含める、請求項４６から請求項４８のいずれか１項に記載の無線通信システム。
【請求項５０】
前記第１の無線基地局装置は、前記無線端末装置における各無線基地局装置からの無線信号の受信電力の測定結果を示す受信電力情報を前記所定情報として前記第２の無線基地局装置へ送信する、請求項４６から請求項４９のいずれか１項に記載の無線通信システム。
【請求項５１】
前記第１の無線基地局装置が、無線端末装置による自己から第２の無線基地局装置への移動動作が行なわれてから所定時間内に、前記無線端末装置による前記第２の無線基地局装置から自己への移動動作が行なわれた事象を検知した場合において、
前記第２の無線基地局装置は、前記受信電力情報において前記第１の無線基地局装置からの無線信号の受信電力が所定値未満の場合には、自己から前記第１の無線基地局装置への無線端末装置による移動動作のタイミングが遅くなるように制御し、前記受信電力情報において前記第１の無線基地局装置からの無線信号の受信電力が前記所定値以上の場合には、前記移動動作のタイミングを遅らせる制御を行なわない、請求項５０に記載の無線通信システム。
【請求項５２】
前記第１の無線基地局装置が、無線端末装置による自己から第２の無線基地局装置への移動動作が行なわれてから所定時間内に、前記無線端末装置による前記第２の無線基地局装置から第３の無線基地局装置への移動動作が行なわれた事象を検知した場合において、
前記第２の無線基地局装置は、前記受信電力情報において前記第１の無線基地局装置および前記第３の無線基地局装置からの無線信号の受信電力が所定値未満の場合には、自己から前記第１の無線基地局装置または前記第３の無線基地局装置への無線端末装置による移動動作のタイミングが遅くなるように制御し、前記受信電力情報において前記第１の無線基地局装置または前記第３の無線基地局装置からの無線信号の受信電力が前記所定値以上の場合には、前記移動動作のタイミングを遅らせる制御を行なわない、請求項５０または請求項５１に記載の無線通信システム。
【請求項５３】
前記第２の無線基地局装置は、さらに、移動動作の前記タイミング制御を行なうか否かを判断し、制御しないと判断した場合には、不制御情報を前記第１の無線基地局装置へ送信し、
前記第１の無線基地局装置は、前記第２の無線基地局装置から受信した前記不制御情報に基づいて、前記第２の無線基地局装置における移動動作の前記タイミング制御に対応した、無線端末装置による自己から他の無線基地局装置への移動動作のタイミング制御を行なう、請求項４６または請求項４７に記載の無線通信システム。
【請求項５４】
前記所定情報は、前記第１の無線基地局装置が無線端末装置による自己から他の無線基地局装置への移動動作のタイミングを制御するための設定値を含み、
前記第２の無線基地局装置は、前記第１の無線基地局装置から受信した前記設定値に基づいて、移動動作の前記タイミング制御を行なう、請求項４７から請求項５３のいずれか１項に記載の無線通信システム。
【請求項５５】
前記無線通信システムにおける無線基地局装置は、無線端末装置における自己の無線基地局装置からの無線信号の受信電力および他の無線基地局装置からの無線信号の受信電力の差に基づいて、前記無線端末装置による自己から前記他の無線基地局装置への移動動作を行なうか否かを判断し、
前記受信電力の差は、前記無線基地局装置によって設定されるオフセット値が前記受信電力に加えられた状態で算出され、
前記第１の無線基地局装置は、自己が設定する前記オフセット値を前記所定情報に含め、
前記第２の無線基地局装置は、前記所定情報に含まれる前記オフセット値に基づいて、自己の設定する前記オフセット値を調整する、請求項５４に記載の無線通信システム。
【請求項５６】
前記不制御情報は、前記第２の無線基地局装置が無線端末装置による自己から他の無線基地局装置への移動動作のタイミングを制御するための設定値を含み、
前記第１の無線基地局装置は、前記第２の無線基地局装置から受信した前記設定値に基づいて、移動動作の前記タイミング制御を行なう、請求項５３に記載の無線通信システム。
【請求項５７】
前記無線通信システムにおける無線基地局装置は、無線端末装置における自己の無線基地局装置からの無線信号の受信電力および他の無線基地局装置からの無線信号の受信電力の差に基づいて、前記無線端末装置による自己から前記他の無線基地局装置への移動動作を行なうか否かを判断し、
前記受信電力の差は、前記無線基地局装置によって設定されるオフセット値が前記受信電力に加えられた状態で算出され、
前記第２の無線基地局装置は、自己が設定する前記オフセット値を前記不制御情報に含め、
前記第１の無線基地局装置は、前記不制御情報に含まれる前記オフセット値に基づいて、自己の設定する前記オフセット値を調整する、請求項５６に記載の無線通信システム。
【請求項５８】
複数の無線基地局装置を備え、無線端末装置が移動動作を行なうことにより前記複数の無線基地局装置と通信可能な無線通信システムにおける通信制御方法であって、
第１の無線基地局装置が、無線端末装置による第２の無線基地局装置から自己への移動動作が行なわれてから所定時間内に、前記無線端末装置による自己から前記第２の無線基地局装置への移動動作が行なわれた事象を検知するステップと、
前記第１の無線基地局装置が、前記事象を検知した場合には、所定情報を前記第２の無線基地局装置へ送信するステップと、
前記第２の無線基地局装置が、前記第１の無線基地局装置から受信した前記所定情報に基づいて、無線端末装置による自己から前記第１の無線基地局装置への移動動作のタイミングが遅くなるように制御するステップとを含む、通信制御方法。
【請求項５９】
複数の無線基地局装置を備え、無線端末装置が移動動作を行なうことにより前記複数の無線基地局装置と通信可能な無線通信システムにおける通信制御方法であって、
第１の無線基地局装置が、無線端末装置による第２の無線基地局装置から自己への移動動作が行なわれてから所定時間内に、前記無線端末装置による自己から第３の無線基地局装置への移動動作が行なわれた事象を検知するステップと、
前記第１の無線基地局装置が、前記事象を検知した場合には、所定情報を前記第２の無線基地局装置へ送信するステップと、
前記第２の無線基地局装置が、前記第１の無線基地局装置から受信した前記所定情報に基づいて、無線端末装置による自己から前記第１の無線基地局装置への移動動作のタイミングを遅くする制御、および無線端末装置による自己から前記第３の無線基地局装置への移動動作のタイミングを早くする制御の少なくとも一方を行なうステップとを含む、通信制御方法。
【請求項６０】
複数の無線基地局装置を備え、無線端末装置が移動動作を行なうことにより前記複数の無線基地局装置と通信可能な無線通信システムにおける通信制御方法であって、
第１の無線基地局装置が、無線端末装置による自己から第２の無線基地局装置への移動動作が行なわれてから所定時間内に、前記無線端末装置による前記第２の無線基地局装置から自己または第３の無線基地局装置への移動動作が行なわれた事象を検知するステップと、
前記第１の無線基地局装置が、前記事象を検知した場合には、所定情報を前記第２の無線基地局装置へ送信するステップと、
前記第２の無線基地局装置が、前記第１の無線基地局装置から受信した前記所定情報に基づいて、無線端末装置による自己から前記第１の無線基地局装置または前記第３の無線基地局装置への移動動作のタイミングが遅くなるように制御するステップとを含む、通信制御方法。
【請求項６１】
複数の無線基地局装置を備え、無線端末装置が移動動作を行なうことにより前記複数の無線基地局装置と通信可能な無線通信システムにおいて用いられる通信制御プログラムであって、コンピュータに、
第１の無線基地局装置が、無線端末装置による第２の無線基地局装置から自己への移動動作が行なわれてから所定時間内に、前記無線端末装置による自己から前記第２の無線基地局装置への移動動作が行なわれた事象を検知するステップと、
前記第１の無線基地局装置が、前記事象を検知した場合には、所定情報を前記第２の無線基地局装置へ送信するステップと、
前記第２の無線基地局装置が、前記第１の無線基地局装置から受信した前記所定情報に基づいて、無線端末装置による自己から前記第１の無線基地局装置への移動動作のタイミングが遅くなるように制御するステップとを実行させるための、通信制御プログラム。
【請求項６２】
複数の無線基地局装置を備え、無線端末装置が移動動作を行なうことにより前記複数の無線基地局装置と通信可能な無線通信システムにおいて用いられる通信制御プログラムであって、コンピュータに、
第１の無線基地局装置が、無線端末装置による第２の無線基地局装置から自己への移動動作が行なわれてから所定時間内に、前記無線端末装置による自己から第３の無線基地局装置への移動動作が行なわれた事象を検知するステップと、
前記第１の無線基地局装置が、前記事象を検知した場合には、所定情報を前記第２の無線基地局装置へ送信するステップと、
前記第２の無線基地局装置が、前記第１の無線基地局装置から受信した前記所定情報に基づいて、無線端末装置による自己から前記第１の無線基地局装置への移動動作のタイミングを遅くする制御、および無線端末装置による自己から前記第３の無線基地局装置への移動動作のタイミングを早くする制御の少なくとも一方を行なうステップとを実行させるための、通信制御プログラム。
【請求項６３】
複数の無線基地局装置を備え、無線端末装置が移動動作を行なうことにより前記複数の無線基地局装置と通信可能な無線通信システムにおいて用いられる通信制御プログラムであって、コンピュータに、
第１の無線基地局装置が、無線端末装置による自己から第２の無線基地局装置への移動動作が行なわれてから所定時間内に、前記無線端末装置による前記第２の無線基地局装置から自己または第３の無線基地局装置への移動動作が行なわれた事象を検知するステップと、
前記第１の無線基地局装置が、前記事象を検知した場合には、所定情報を前記第２の無線基地局装置へ送信するステップと、
前記第２の無線基地局装置が、前記第１の無線基地局装置から受信した前記所定情報に基づいて、無線端末装置による自己から前記第１の無線基地局装置または前記第３の無線基地局装置への移動動作のタイミングが遅くなるように制御するステップとを実行させるための、通信制御プログラム。
【発明の詳細な説明】
【技術分野】
【０００１】
本発明は、無線通信システム、無線基地局装置、通信制御方法および通信制御プログラムに関し、特に、無線端末装置が移動動作を行なうことにより複数の無線基地局装置と通信可能な通信システムにおける無線通信システム、無線基地局装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になることから、ハンドオーバのタイミングが早すぎたり、あるいは遅すぎたりするなど、不適切なハンドオーバ動作が行なわれる場合がある（たとえば、3GPP TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、不適切なハンドオーバ動作を検出し、無線端末装置の移動動作を制御することにより、通信の安定化を図ることが可能な無線通信システム、無線基地局装置、通信制御方法および通信制御プログラムを提供することである。
【課題を解決するための手段】
【００１２】
（１）上記課題を解決するために、この発明のある局面に係わる無線通信システムは、複数の無線基地局装置を備え、無線端末装置がハンドオーバ動作を行なうことにより上記複数の無線基地局装置と通信可能な無線通信システムであって、第１の無線基地局装置は、無線端末装置による第２の無線基地局装置から自己へのハンドオーバ動作が行なわれた場合に、上記無線端末装置のハンドオーバ動作に関する情報であるハンドオーバ動作情報を上記第２の無線基地局装置へ送信する。
【００１３】
このように、ハンドオーバ動作に関する情報を無線基地局装置へ送信する構成により、当該無線基地局装置においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
【００１４】
（２）好ましくは、上記第１の無線基地局装置は、上記無線端末装置による上記第２の無線基地局装置から自己へのハンドオーバ動作が行なわれてから、上記無線端末装置による自己から他の無線基地局装置へのハンドオーバ動作が行なわれるまでの時間である滞在時間を上記ハンドオーバ動作情報に含める。
【００１５】
このように、無線端末装置の滞在時間をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００１６】
（３）より好ましくは、上記第２の無線基地局装置は、周辺基地局リストを保持し、上記周辺基地局リストに含まれる１または複数の無線基地局装置の中から、無線端末装置のハンドオーバ先を選択し、上記第２の無線基地局装置は、上記第１の無線基地局装置から受信した上記ハンドオーバ動作情報に含まれる上記滞在時間に基づいて、上記周辺基地局リストから上記第１の無線基地局装置を削除するか否かを判断する。
【００１７】
このような構成により、無線端末装置の滞在時間に基づいて周辺基地局リストを更新することができるため、ハンドオーバ先としてより適切な無線基地局装置を選択することができる。
【００１８】
（４）好ましくは、上記第１の無線基地局装置は、上記第２の無線基地局装置が上記無線端末装置に付与した端末識別情報を上記ハンドオーバ動作情報に含める。
【００１９】
このように、無線端末装置の識別情報をハンドオーバ動作情報に含める構成により、ハンドオーバ動作情報の受信先の無線基地局装置において、無線端末装置の識別が容易となり、ハンドオーバ動作のタイミング制御等をより適切に行なうことが可能となる。
【００２０】
（５）好ましくは、上記第１の無線基地局装置は、上記無線端末装置に付与した端末識別情報を上記ハンドオーバ動作情報に含める。
【００２１】
このように、無線端末装置の識別情報をハンドオーバ動作情報に含める構成により、ハンドオーバ動作情報の受信先の無線基地局装置において、無線端末装置の識別が容易となり、ハンドオーバ動作のタイミング制御等をより適切に行なうことが可能となる。
【００２２】
（６）好ましくは、上記第１の無線基地局装置は、上記第２の無線基地局装置の識別情報を上記ハンドオーバ動作情報に含める。
【００２３】
このように、無線基地局装置の識別情報をハンドオーバ動作情報に含める構成により、ハンドオーバ動作情報の受信先の無線基地局装置において、ハンドオーバ動作におけるハンドオーバ元の無線基地局装置を把握し、ハンドオーバ動作のタイミング制御等をより適切に行なうことが可能となる。
【００２４】
（７）好ましくは、上記第１の無線基地局装置は、上記無線端末装置による自己から他の無線基地局装置へのハンドオーバ動作におけるハンドオーバ先の無線基地局装置の識別情報を上記ハンドオーバ動作情報に含める。
【００２５】
このように、無線基地局装置の識別情報をハンドオーバ動作情報に含める構成により、ハンドオーバ動作情報の受信先の無線基地局装置において、ハンドオーバ動作におけるハンドオーバ先の無線基地局装置を把握し、ハンドオーバ動作のタイミング制御等をより適切に行なうことが可能となる。
【００２６】
（８）好ましくは、上記第１の無線基地局装置は、上記無線端末装置による上記第２の無線基地局装置から自己へのハンドオーバ動作が行なわれた際の上記無線端末装置の移動速度を上記ハンドオーバ動作情報に含める。
【００２７】
このように、無線端末装置の移動速度をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００２８】
（９）好ましくは、上記第１の無線基地局装置は、自己から他の無線基地局装置へのハンドオーバ動作が行なわれた際の上記無線端末装置の移動速度を上記ハンドオーバ動作情報に含める。
【００２９】
このように、無線端末装置の移動速度をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００３０】
（１０）好ましくは、上記第１の無線基地局装置は、上記無線端末装置による上記第２の無線基地局装置から自己へのハンドオーバ動作の種別を上記ハンドオーバ動作情報に含める。
【００３１】
このように、ハンドオーバ動作の種別をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００３２】
（１１）好ましくは、上記第１の無線基地局装置は、上記無線端末装置による自己から他の無線基地局装置へのハンドオーバ動作の種別を上記ハンドオーバ動作情報に含める。
【００３３】
このように、ハンドオーバ動作の種別をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００３４】
（１２）好ましくは、上記第１の無線基地局装置は、上記第２の無線基地局装置から自己へのハンドオーバ動作を行った上記無線端末装置から受信した情報から、上記ハンドオーバ動作情報に含める情報を取得するかまたは作成する。
【００３５】
このような構成により、より多様な情報をハンドオーバ動作情報に含めることができるため、ハンドオーバ動作情報の受信先の無線基地局装置において、ハンドオーバ動作をより適切に評価し、ハンドオーバ動作のタイミング制御等をより適切に行なうことが可能となる。
【００３６】
（１３）好ましくは、上記第１の無線基地局装置は、上記無線端末装置による自己から他の無線基地局装置へのハンドオーバ動作が行なわれ、上記無線端末装置と上記他の無線基地局装置との通信接続が切断されなかった場合に、上記通信接続が切断されなかった旨を上記ハンドオーバ動作情報に含める。
【００３７】
このように、ハンドオーバ動作が行なわれても通信接続が切断されなかった旨をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００３８】
（１４）好ましくは、上記第１の無線基地局装置は、基地局−基地局間の論理インタフェース経由で上記ハンドオーバ動作情報を上記第２の無線基地局装置へ送信する。
【００３９】
このように、基地局−基地局間の論理インタフェースを用いる構成により、たとえばコアネットワークにおける上位装置がハンドオーバ動作を測定し、Ｓ１インタフェース等の上位装置−基地局間の論理インタフェースを用いて無線基地局装置に測定結果を通知する構成と比べて、無線通信システムにおける通信トラフィックが低減され、また、ハンドオーバ動作のタイミング制御等に対するハンドオーバ動作情報の迅速な反映が可能となる。
【００４０】
（１５）またこの発明の別の局面に係わる無線通信システムは、複数の無線基地局装置を備え、無線端末装置がハンドオーバ動作を行なうことにより上記複数の無線基地局装置と通信可能な無線通信システムであって、第１の無線基地局装置は、無線端末装置による自己から第２の無線基地局装置へのハンドオーバ動作が行なわれた場合に、上記無線端末装置のハンドオーバ動作に関する情報であるハンドオーバ動作情報を上記第２の無線基地局装置へ送信する。
【００４１】
このように、ハンドオーバ動作に関する情報を無線基地局装置へ送信する構成により、当該無線基地局装置においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
【００４２】
（１６）好ましくは、上記第１の無線基地局装置は、上記無線端末装置による自己へのハンドオーバ動作が行なわれてから、上記無線端末装置による自己から上記第２の無線基地局装置へのハンドオーバ動作が行なわれるまでの時間である滞在時間を上記ハンドオーバ動作情報に含める。
【００４３】
このように、無線端末装置の滞在時間をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００４４】
（１７）より好ましくは、上記第２の無線基地局装置は、周辺基地局リストを保持し、上記周辺基地局リストに含まれる１または複数の無線基地局装置の中から、無線端末装置のハンドオーバ先を選択し、上記第２の無線基地局装置は、上記第１の無線基地局装置から受信した上記ハンドオーバ動作情報に含まれる上記滞在時間に基づいて、上記周辺基地局リストから上記第１の無線基地局装置を削除するか否か、または上記周辺基地局リストに上記第１の無線基地局装置を追加するか否かを判断する。
【００４５】
このような構成により、無線端末装置の滞在時間に基づいて周辺基地局リストを更新することができるため、ハンドオーバ先としてより適切な無線基地局装置を選択することができる。
【００４６】
（１８）好ましくは、上記第１の無線基地局装置は、上記無線端末装置による自己へのハンドオーバ動作におけるハンドオーバ元の無線基地局装置が上記無線端末装置に付与した端末識別情報を上記ハンドオーバ動作情報に含める。
【００４７】
このように、無線端末装置の識別情報をハンドオーバ動作情報に含める構成により、ハンドオーバ動作情報の受信先の無線基地局装置において、無線端末装置の識別が容易となり、ハンドオーバ動作のタイミング制御等をより適切に行なうことが可能となる。
【００４８】
（１９）好ましくは、上記第１の無線基地局装置は、上記無線端末装置に付与した端末識別情報を上記ハンドオーバ動作情報に含める。
【００４９】
このように、無線端末装置の識別情報をハンドオーバ動作情報に含める構成により、ハンドオーバ動作情報の受信先の無線基地局装置において、無線端末装置の識別が容易となり、ハンドオーバ動作のタイミング制御等をより適切に行なうことが可能となる。
【００５０】
（２０）好ましくは、上記第１の無線基地局装置は、上記無線端末装置による自己へのハンドオーバ動作におけるハンドオーバ元の無線基地局装置の識別情報を上記ハンドオーバ動作情報に含める。
【００５１】
このように、無線基地局装置の識別情報をハンドオーバ動作情報に含める構成により、ハンドオーバ動作情報の受信先の無線基地局装置において、ハンドオーバ動作におけるハンドオーバ元の無線基地局装置を把握し、ハンドオーバ動作のタイミング制御等をより適切に行なうことが可能となる。
【００５２】
（２１）好ましくは、上記第１の無線基地局装置は、上記第２の無線基地局装置の識別情報を上記ハンドオーバ動作情報に含める。
【００５３】
このように、無線基地局装置の識別情報をハンドオーバ動作情報に含める構成により、ハンドオーバ動作情報の受信先の無線基地局装置において、ハンドオーバ動作におけるハンドオーバ先の無線基地局装置を把握し、ハンドオーバ動作のタイミング制御等をより適切に行なうことが可能となる。
【００５４】
（２２）好ましくは、上記第１の無線基地局装置は、上記無線端末装置による自己へのハンドオーバ動作が行なわれた際の上記無線端末装置の移動速度を上記ハンドオーバ動作情報に含める。
【００５５】
このように、無線端末装置の移動速度をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００５６】
（２３）好ましくは、上記第１の無線基地局装置は、自己から上記第２の無線基地局装置へのハンドオーバ動作が行なわれた際の上記無線端末装置の移動速度を上記ハンドオーバ動作情報に含める。
【００５７】
このように、無線端末装置の移動速度をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００５８】
（２４）好ましくは、上記第１の無線基地局装置は、上記無線端末装置による自己へのハンドオーバ動作の種別を上記ハンドオーバ動作情報に含める。
【００５９】
このように、ハンドオーバ動作の種別をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００６０】
（２５）好ましくは、上記第１の無線基地局装置は、上記無線端末装置による自己から上記第２の無線基地局装置へのハンドオーバ動作の種別を上記ハンドオーバ動作情報に含める。
【００６１】
このように、ハンドオーバ動作の種別をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００６２】
（２６）好ましくは、上記第１の無線基地局装置は、上記無線端末装置から受信した情報から上記ハンドオーバ動作情報に含める情報を取得するかまたは作成する。
【００６３】
このような構成により、より多様な情報をハンドオーバ動作情報に含めることができるため、ハンドオーバ動作情報の受信先の無線基地局装置において、ハンドオーバ動作をより適切に評価し、ハンドオーバ動作のタイミング制御等をより適切に行なうことが可能となる。
【００６４】
（２７）好ましくは、上記第１の無線基地局装置は、上記無線端末装置による自己へのハンドオーバ動作が行なわれ、上記無線端末装置と自己との通信接続が切断されなかった場合に、上記通信接続が切断されなかった旨を上記ハンドオーバ動作情報に含める。
【００６５】
このように、ハンドオーバ動作が行なわれても通信接続が切断されなかった旨をハンドオーバ動作情報に含める構成により、ハンドオーバ動作情報の受信先の無線基地局装置において、ハンドオーバ動作をより適切に評価し、ハンドオーバ動作のタイミング制御等をより適切に行なうことが可能となる。
【００６６】
（２８）好ましくは、上記第１の無線基地局装置は、基地局−基地局間の論理インタフェース経由で上記ハンドオーバ動作情報を上記第２の無線基地局装置へ送信する。
【００６７】
このように、基地局−基地局間の論理インタフェースを用いる構成により、たとえばコアネットワークにおける上位装置がハンドオーバ動作を測定し、Ｓ１インタフェース等の上位装置−基地局間の論理インタフェースを用いて無線基地局装置に測定結果を通知する構成と比べて、無線通信システムにおける通信トラフィックが低減され、また、ハンドオーバ動作のタイミング制御等に対するハンドオーバ動作情報の迅速な反映が可能となる。
【００６８】
（２９）上記課題を解決するために、この発明のある局面に係わる無線基地局装置は、無線端末装置と通信可能な無線基地局装置であって、無線端末装置による他の無線基地局装置から自己の無線基地局装置へのハンドオーバ動作が行なわれた場合に、前記無線端末装置のハンドオーバ動作に関する情報であるハンドオーバ動作情報を作成するためのハンドオーバ動作情報作成部と、前記ハンドオーバ動作情報作成部によって作成された前記ハンドオーバ動作情報を前記他の無線基地局装置へ送信するためのハンドオーバ動作情報送信部とを備える。
このように、ハンドオーバ動作に関する情報を無線基地局装置へ送信する構成により、当該無線基地局装置においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
（３０）またこの発明の別の局面に係わる無線基地局装置は、無線端末装置と通信可能な無線基地局装置であって、無線端末装置による自己の無線基地局装置から他の無線基地局装置へのハンドオーバ動作が行なわれた場合に、前記無線端末装置のハンドオーバ動作に関する情報であるハンドオーバ動作情報を作成するためのハンドオーバ動作情報作成部と、前記ハンドオーバ動作情報作成部によって作成された前記ハンドオーバ動作情報を前記他の無線基地局装置へ送信するためのハンドオーバ動作情報送信部とを備える。
このように、ハンドオーバ動作に関する情報を無線基地局装置へ送信する構成により、当該無線基地局装置においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
（３１）上記課題を解決するために、この発明のある局面に係わる通信制御方法は、複数の無線基地局装置を備え、無線端末装置がハンドオーバ動作を行なうことにより上記複数の無線基地局装置と通信可能な無線通信システムにおける通信制御方法であって、  無線端末装置による第１の無線基地局装置から第２の無線基地局装置へのハンドオーバ動作が行なわれるステップと、上記第２の無線基地局装置が、上記無線端末装置のハンドオーバ動作に関する情報であるハンドオーバ動作情報を上記第１の無線基地局装置へ送信するステップとを含む。
【００６９】
このように、ハンドオーバ動作に関する情報を無線基地局装置へ送信する構成により、当該無線基地局装置においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
【００７０】
（３２）またこの発明の別の局面に係わる通信制御方法は、複数の無線基地局装置を備え、無線端末装置がハンドオーバ動作を行なうことにより上記複数の無線基地局装置と通信可能な無線通信システムにおける通信制御方法であって、無線端末装置による第１の無線基地局装置から第２の無線基地局装置へのハンドオーバ動作が行なわれるステップと、上記第１の無線基地局装置が、上記無線端末装置のハンドオーバ動作に関する情報であるハンドオーバ動作情報を上記第２の無線基地局装置へ送信するステップとを含む。
【００７１】
このように、ハンドオーバ動作に関する情報を無線基地局装置へ送信する構成により、当該無線基地局装置においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
【００７２】
（３３）またこの発明の別の局面に係わる無線通信システムは、複数の無線基地局装置を備え、無線端末装置が移動動作を行なうことにより上記複数の無線基地局装置と通信可能な無線通信システムであって、第１の無線基地局装置は、無線端末装置による第２の無線基地局装置から自己への移動動作が行なわれてから所定時間内に、上記無線端末装置による自己から上記第２の無線基地局装置への移動動作が行なわれた事象を検知し、上記第１の無線基地局装置は、上記事象を検知した場合には、所定情報を上記第２の無線基地局装置へ送信し、上記第２の無線基地局装置は、上記第１の無線基地局装置から受信した上記所定情報に基づいて、無線端末装置による自己から上記第１の無線基地局装置への移動動作のタイミングが遅くなるように制御する。
【００７３】
このような構成により、無線端末装置によるハンドオーバが無線基地局装置間で繰り返される”Ｐｉｎｇ  Ｐｏｎｇ  ＨＯ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【００７４】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。これにより、たとえばマクロ基地局よりもフェムト基地局をハンドオーバ先として選択されやすくすることができるため、無線通信システムにおける通信トラフィックを適切に分散させることができる。
【００７５】
（３４）またこの発明の別の局面に係わる無線通信システムは、複数の無線基地局装置を備え、無線端末装置が移動動作を行なうことにより上記複数の無線基地局装置と通信可能な無線通信システムであって、第１の無線基地局装置は、無線端末装置による第２の無線基地局装置から自己への移動動作が行なわれてから所定時間内に、上記無線端末装置による自己から第３の無線基地局装置への移動動作が行なわれた事象を検知し、上記第１の無線基地局装置は、上記事象を検知した場合には、所定情報を上記第２の無線基地局装置へ送信し、上記第２の無線基地局装置は、上記第１の無線基地局装置から受信した上記所定情報に基づいて、無線端末装置による自己から上記第１の無線基地局装置への移動動作のタイミングを遅くする制御、および無線端末装置による自己から上記第３の無線基地局装置への移動動作のタイミングを早くする制御の少なくとも一方を行なう。
【００７６】
このような構成により、ハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【００７７】
（３５）好ましくは、上記第１の無線基地局装置は、移動動作の上記タイミング制御を行なう指示を上記所定情報として上記第２の無線基地局装置へ送信し、上記第２の無線基地局装置は、上記第１の無線基地局装置から上記指示を受信して、移動動作の上記タイミング制御を行なう。
【００７８】
このような構成により、上記事象を検知した無線基地局装置、すなわち無線端末装置のハンドオーバ動作に関する情報を多く有する無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、周辺基地局に対してハンドオーバ動作のタイミング制御を要求することができる。
【００７９】
（３６）好ましくは、上記第１の無線基地局装置は、上記事象を検知した場合には、無線端末装置による自己から上記第２の無線基地局装置への移動動作のタイミングを制御するか否かを判断し、制御しないと判断した場合には、上記所定情報を上記第２の無線基地局装置へ送信する。
【００８０】
このような構成により、上記事象を検知した無線基地局装置においてハンドオーバ動作のタイミング制御を行なうか否かをまず判断し、当該タイミング制御が困難な場合に、上記事象を検知した無線基地局装置以外の無線基地局装置においてハンドオーバ動作のタイミング制御を実行することができる。
【００８１】
（３７）より好ましくは、上記第１の無線基地局装置は、上記事象を検知した場合には、無線端末装置による自己から上記第３の無線基地局装置への移動動作のタイミングを制御するか否かを判断し、制御しないと判断した場合には、上記所定情報を上記第２の無線基地局装置へ送信する。
【００８２】
このような構成により、上記事象を検知した無線基地局装置においてハンドオーバ動作のタイミング制御を行なうか否かをまず判断し、当該タイミング制御が困難な場合に、上記事象を検知した無線基地局装置以外の無線基地局装置においてハンドオーバ動作のタイミング制御を実行することができる。
【００８３】
（３８）好ましくは、上記第１の無線基地局装置は、上記無線端末装置の移動動作に関する情報である移動動作情報を上記所定情報として上記第２の無線基地局装置へ送信し、上記第１の無線基地局装置は、上記無線端末装置による自己への移動動作が行なわれてから、上記無線端末装置による自己から他の無線基地局装置への移動動作が行なわれるまでの時間、上記無線端末装置による自己への移動動作における移動元の無線基地局装置の識別情報、上記無線端末装置による自己から他の無線基地局装置への移動動作における移動先の無線基地局装置の識別情報、上記無線端末装置による自己への移動動作が行なわれた際の上記無線端末装置の移動速度、上記無線端末装置による自己から他の無線基地局装置への移動動作が行なわれた際の上記無線端末装置の移動速度、上記無線端末装置による自己への移動動作の種別、および上記無線端末装置による自己から他の無線基地局装置への移動動作の種別、のうちの少なくともいずれか１つを上記移動動作情報に含める。
【００８４】
このように、無線端末装置のハンドオーバ動作に関する情報を、上記事象を検知した無線基地局装置以外の他の無線基地局装置へ送信することにより、たとえば、当該他の無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、また、ハンドオーバ動作のタイミングを適切に制御することができる。そして、上記事象を検知した無線基地局装置以外の他の無線基地局装置において”Ｐｉｎｇ  Ｐｏｎｇ  ＨＯ”および”ＨＯ  ｔｏ  Ｗｒｏｎｇ  Ｃｅｌｌ”の発生を判断するために有用な情報またはハンドオーバ動作のタイミングを制御するために有用な情報を、当該他の無線基地局装置に通知することができる。
【００８５】
（３９）好ましくは、上記第１の無線基地局装置は、上記無線端末装置における各無線基地局装置からの無線信号の受信電力の測定結果を示す受信電力情報を上記所定情報として上記第２の無線基地局装置へ送信する。
【００８６】
このような構成により、上記事象を検知した無線基地局装置以外の他の無線基地局装置におけるハンドオーバ動作のタイミング制御に有用な情報を、当該他の無線基地局装置に通知することができる。
【００８７】
（４０）より好ましくは、上記第２の無線基地局装置は、上記受信電力情報において上記第１の無線基地局装置からの無線信号の受信電力が所定値未満の場合には、自己から上記第１の無線基地局装置への無線端末装置による移動動作のタイミングが遅くなるように制御し、上記受信電力情報において上記第１の無線基地局装置からの無線信号の受信電力が上記所定値以上の場合には、上記移動動作のタイミングを遅らせる制御を行なわない。
【００８８】
このような構成により、上記事象を検知した無線基地局装置以外の他の無線基地局装置において、無線端末装置の電波環境に応じてハンドオーバ動作のタイミング制御を実行するか否かを適切に判断することができる。
【００８９】
（４１）好ましくは、上記第２の無線基地局装置は、さらに、移動動作の上記タイミング制御を行なうか否かを判断し、制御しないと判断した場合には、不制御情報を上記第１の無線基地局装置へ送信し、上記第１の無線基地局装置は、上記第２の無線基地局装置から受信した上記不制御情報に基づいて、上記第２の無線基地局装置における移動動作の上記タイミング制御に対応した、無線端末装置による自己から他の無線基地局装置への移動動作のタイミング制御を行なう。
【００９０】
このような構成により、上記事象を検知した無線基地局装置以外の他の無線基地局装置においてハンドオーバ動作のタイミング制御を行なうことが困難な場合に、上記事象を検知した無線基地局装置においてハンドオーバ動作のタイミング制御を実行することができる。
【００９１】
（４２）好ましくは、上記所定情報は、上記第１の無線基地局装置が無線端末装置による自己から他の無線基地局装置への移動動作のタイミングを制御するための設定値を含み、上記第２の無線基地局装置は、上記第１の無線基地局装置から受信した上記設定値に基づいて、移動動作の上記タイミング制御を行なう。
【００９２】
このような構成により、上記事象を検知した無線基地局装置以外の他の無線基地局装置において、上記事象を検知した無線基地局装置における設定値に基づき、自己の設定値を適切に設定することができる。
【００９３】
（４３）より好ましくは、上記無線通信システムにおける無線基地局装置は、無線端末装置における自己の無線基地局装置からの無線信号の受信電力および他の無線基地局装置からの無線信号の受信電力の差に基づいて、上記無線端末装置による自己から上記他の無線基地局装置への移動動作を行なうか否かを判断し、上記受信電力の差は、上記無線基地局装置によって設定されるオフセット値が上記受信電力に加えられた状態で算出され、上記第１の無線基地局装置は、自己が設定する上記オフセット値を上記所定情報に含め、上記第２の無線基地局装置は、上記所定情報に含まれる上記オフセット値に基づいて、自己の設定する上記オフセット値を調整する。
【００９４】
このような構成により、オフセット値を、無線基地局装置単体の都合で調整するのではなく、他の無線基地局装置がたとえば自己からの無線信号の受信電力に対して設定しているオフセット値に応じて設定することができるため、”Ｐｉｎｇ  Ｐｏｎｇ  ＨＯ”の発生を抑制することができる。
【００９５】
（４４）より好ましくは、上記不制御情報は、上記第２の無線基地局装置が無線端末装置による自己から他の無線基地局装置への移動動作のタイミングを制御するための設定値を含み、上記第１の無線基地局装置は、上記第２の無線基地局装置から受信した上記設定値に基づいて、移動動作の上記タイミング制御を行なう。
【００９６】
このような構成により、上記事象を検知した無線基地局装置において、他の無線基地局装置における設定値に基づき、自己の設定値を適切に設定することができる。
【００９７】
（４５）より好ましくは、上記無線通信システムにおける無線基地局装置は、無線端末装置における自己の無線基地局装置からの無線信号の受信電力および他の無線基地局装置からの無線信号の受信電力の差に基づいて、上記無線端末装置による自己から上記他の無線基地局装置への移動動作を行なうか否かを判断し、上記受信電力の差は、上記無線基地局装置によって設定されるオフセット値が上記受信電力に加えられた状態で算出され、上記第２の無線基地局装置は、自己が設定する上記オフセット値を上記不制御情報に含め、上記第１の無線基地局装置は、上記不制御情報に含まれる上記オフセット値に基づいて、自己の設定する上記オフセット値を調整する。
【００９８】
このような構成により、オフセット値を、無線基地局装置単体の都合で調整するのではなく、他の無線基地局装置がたとえば自己からの無線信号の受信電力に対して設定しているオフセット値に応じて設定することができるため、”Ｐｉｎｇ  Ｐｏｎｇ  ＨＯ”の発生を抑制することができる。
【００９９】
（４６）またこの発明の別の局面に係わる無線通信システムは、複数の無線基地局装置を備え、無線端末装置が移動動作を行なうことにより上記複数の無線基地局装置と通信可能な無線通信システムであって、第１の無線基地局装置は、無線端末装置による自己から第２の無線基地局装置への移動動作が行なわれてから所定時間内に、上記無線端末装置による上記第２の無線基地局装置から自己または第３の無線基地局装置への移動動作が行なわれた事象を検知し、上記第１の無線基地局装置は、上記事象を検知した場合には、所定情報を上記第２の無線基地局装置へ送信し、上記第２の無線基地局装置は、上記第１の無線基地局装置から受信した上記所定情報に基づいて、無線端末装置による自己から上記第１の無線基地局装置または上記第３の無線基地局装置への移動動作のタイミングが遅くなるように制御する。
【０１００】
このような構成により、無線端末装置によるハンドオーバが無線基地局装置間で繰り返される”Ｐｉｎｇ  Ｐｏｎｇ  ＨＯ”およびハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０１０１】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。これにより、たとえばマクロ基地局よりもフェムト基地局をハンドオーバ先として選択されやすくすることができるため、無線通信システムにおける通信トラフィックを適切に分散させることができる。
【０１０２】
（４７）好ましくは、上記第１の無線基地局装置は、移動動作の上記タイミング制御を行なう指示を上記所定情報として上記第２の無線基地局装置へ送信し、上記第２の無線基地局装置は、上記第１の無線基地局装置から上記指示を受信して、移動動作の上記タイミング制御を行なう。
【０１０３】
このような構成により、上記事象を検知した無線基地局装置、すなわち無線端末装置のハンドオーバ動作に関する情報を多く有する無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、周辺基地局に対してハンドオーバ動作のタイミング制御を要求することができる。
【０１０４】
（４８）好ましくは、上記第１の無線基地局装置は、上記事象を検知した場合には、無線端末装置による自己から上記第２の無線基地局装置への移動動作のタイミングを制御するか否かを判断し、制御しないと判断した場合には、上記所定情報を上記第２の無線基地局装置へ送信する。
【０１０５】
このような構成により、上記事象を検知した無線基地局装置においてハンドオーバ動作のタイミング制御を行なうか否かをまず判断し、当該タイミング制御が困難な場合に、上記事象を検知した無線基地局装置以外の無線基地局装置においてハンドオーバ動作のタイミング制御を実行することができる。
【０１０６】
（４９）好ましくは、上記第１の無線基地局装置は、上記無線端末装置の移動動作に関する情報である移動動作情報を上記所定情報として上記第２の無線基地局装置へ送信し、上記第１の無線基地局装置は、上記無線端末装置による自己から上記第２の無線基地局装置への移動動作が行なわれてから、上記無線端末装置による上記第２の無線基地局装置から上記第２の無線基地局装置以外の無線基地局装置への移動動作が行なわれるまでの時間、上記無線端末装置による上記第２の無線基地局装置から上記第２の無線基地局装置以外の無線基地局装置への移動動作における移動元および移動先の無線基地局装置の識別情報、上記無線端末装置による上記第２の無線基地局装置から上記第２の無線基地局装置以外の無線基地局装置への移動動作が行われた際の上記無線端末装置の移動速度、上記無線端末装置による自己への移動動作が行われた際の上記無線端末装置の移動速度、上記無線端末装置による上記第２の無線基地局装置から上記第２の無線基地局装置以外の無線基地局装置への移動動作の種別、ならびに上記無線端末装置による自己への移動動作の種別、のうちの少なくともいずれか１つを上記移動動作情報に含める。
【０１０７】
このように、無線端末装置のハンドオーバ動作に関する情報を、上記事象を検知した無線基地局装置以外の他の無線基地局装置へ送信することにより、たとえば、当該他の無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、また、ハンドオーバ動作のタイミングを適切に制御することができる。そして、上記事象を検知した無線基地局装置以外の他の無線基地局装置において”Ｐｉｎｇ  Ｐｏｎｇ  ＨＯ”および”ＨＯ  ｔｏ  Ｗｒｏｎｇ  Ｃｅｌｌ”の発生を判断するために有用な情報またはハンドオーバ動作のタイミングを制御するために有用な情報を、当該他の無線基地局装置に通知することができる。
【０１０８】
（５０）好ましくは、上記第１の無線基地局装置は、上記無線端末装置における各無線基地局装置からの無線信号の受信電力の測定結果を示す受信電力情報を上記所定情報として上記第２の無線基地局装置へ送信する。
【０１０９】
このような構成により、上記事象を検知した無線基地局装置以外の他の無線基地局装置におけるハンドオーバ動作のタイミング制御に有用な情報を、当該他の無線基地局装置に通知することができる。
【０１１０】
（５１）より好ましくは、上記第１の無線基地局装置が、無線端末装置による自己から第２の無線基地局装置への移動動作が行なわれてから所定時間内に、上記無線端末装置による上記第２の無線基地局装置から自己への移動動作が行なわれた事象を検知した場合において、上記第２の無線基地局装置は、上記受信電力情報において上記第１の無線基地局装置からの無線信号の受信電力が所定値未満の場合には、自己から上記第１の無線基地局装置への無線端末装置による移動動作のタイミングが遅くなるように制御し、上記受信電力情報において上記第１の無線基地局装置からの無線信号の受信電力が上記所定値以上の場合には、上記移動動作のタイミングを遅らせる制御を行なわない。
【０１１１】
このような構成により、上記事象を検知した無線基地局装置以外の他の無線基地局装置において、無線端末装置の電波環境に応じてハンドオーバ動作のタイミング制御を実行するか否かを適切に判断することができる。
【０１１２】
（５２）より好ましくは、上記第１の無線基地局装置が、無線端末装置による自己から第２の無線基地局装置への移動動作が行なわれてから所定時間内に、上記無線端末装置による上記第２の無線基地局装置から第３の無線基地局装置への移動動作が行なわれた事象を検知した場合において、上記第２の無線基地局装置は、上記受信電力情報において上記第１の無線基地局装置および上記第３の無線基地局装置からの無線信号の受信電力が所定値未満の場合には、自己から上記第１の無線基地局装置または上記第３の無線基地局装置への無線端末装置による移動動作のタイミングが遅くなるように制御し、上記受信電力情報において上記第１の無線基地局装置または上記第３の無線基地局装置からの無線信号の受信電力が上記所定値以上の場合には、上記移動動作のタイミングを遅らせる制御を行なわない。
【０１１３】
このような構成により、上記事象を検知した無線基地局装置以外の他の無線基地局装置において、無線端末装置の電波環境に応じてハンドオーバ動作のタイミング制御を実行するか否かを適切に判断することができる。
【０１１４】
（５３）好ましくは、上記第２の無線基地局装置は、さらに、移動動作の上記タイミング制御を行なうか否かを判断し、制御しないと判断した場合には、不制御情報を上記第１の無線基地局装置へ送信し、上記第１の無線基地局装置は、上記第２の無線基地局装置から受信した上記不制御情報に基づいて、上記第２の無線基地局装置における移動動作の上記タイミング制御に対応した、無線端末装置による自己から他の無線基地局装置への移動動作のタイミング制御を行なう。
【０１１５】
このような構成により、上記事象を検知した無線基地局装置以外の他の無線基地局装置においてハンドオーバ動作のタイミング制御を行なうことが困難な場合に、上記事象を検知した無線基地局装置においてハンドオーバ動作のタイミング制御を実行することができる。
【０１１６】
（５４）好ましくは、上記所定情報は、上記第１の無線基地局装置が無線端末装置による自己から他の無線基地局装置への移動動作のタイミングを制御するための設定値を含み、上記第２の無線基地局装置は、上記第１の無線基地局装置から受信した上記設定値に基づいて、移動動作の上記タイミング制御を行なう。
【０１１７】
このような構成により、上記事象を検知した無線基地局装置以外の他の無線基地局装置において、上記事象を検知した無線基地局装置における設定値に基づき、自己の設定値を適切に設定することができる。
【０１１８】
（５５）より好ましくは、上記無線通信システムにおける無線基地局装置は、無線端末装置における自己の無線基地局装置からの無線信号の受信電力および他の無線基地局装置からの無線信号の受信電力の差に基づいて、上記無線端末装置による自己から上記他の無線基地局装置への移動動作を行なうか否かを判断し、上記受信電力の差は、上記無線基地局装置によって設定されるオフセット値が上記受信電力に加えられた状態で算出され、上記第１の無線基地局装置は、自己が設定する上記オフセット値を上記所定情報に含め、上記第２の無線基地局装置は、上記所定情報に含まれる上記オフセット値に基づいて、自己の設定する上記オフセット値を調整する。
【０１１９】
このような構成により、オフセット値を、無線基地局装置単体の都合で調整するのではなく、他の無線基地局装置がたとえば自己からの無線信号の受信電力に対して設定しているオフセット値に応じて設定することができるため、”Ｐｉｎｇ  Ｐｏｎｇ  ＨＯ”の発生を抑制することができる。
【０１２０】
（５６）より好ましくは、上記不制御情報は、上記第２の無線基地局装置が無線端末装置による自己から他の無線基地局装置への移動動作のタイミングを制御するための設定値を含み、上記第１の無線基地局装置は、上記第２の無線基地局装置から受信した上記設定値に基づいて、移動動作の上記タイミング制御を行なう。
【０１２１】
このような構成により、上記事象を検知した無線基地局装置において、他の無線基地局装置における設定値に基づき、自己の設定値を適切に設定することができる。
【０１２２】
（５７）より好ましくは、上記無線通信システムにおける無線基地局装置は、無線端末装置における自己の無線基地局装置からの無線信号の受信電力および他の無線基地局装置からの無線信号の受信電力の差に基づいて、上記無線端末装置による自己から上記他の無線基地局装置への移動動作を行なうか否かを判断し、上記受信電力の差は、上記無線基地局装置によって設定されるオフセット値が上記受信電力に加えられた状態で算出され、上記第２の無線基地局装置は、自己が設定する上記オフセット値を上記不制御情報に含め、上記第１の無線基地局装置は、上記不制御情報に含まれる上記オフセット値に基づいて、自己の設定する上記オフセット値を調整する。
【０１２３】
このような構成により、オフセット値を、無線基地局装置単体の都合で調整するのではなく、他の無線基地局装置がたとえば自己からの無線信号の受信電力に対して設定しているオフセット値に応じて設定することができるため、”Ｐｉｎｇ  Ｐｏｎｇ  ＨＯ”の発生を抑制することができる。
【０１２４】
（５８）またこの発明の別の局面に係わる通信制御方法は、複数の無線基地局装置を備え、無線端末装置が移動動作を行なうことにより上記複数の無線基地局装置と通信可能な無線通信システムにおける通信制御方法であって、第１の無線基地局装置が、無線端末装置による第２の無線基地局装置から自己への移動動作が行なわれてから所定時間内に、上記無線端末装置による自己から上記第２の無線基地局装置への移動動作が行なわれた事象を検知するステップと、上記第１の無線基地局装置が、上記事象を検知した場合には、所定情報を上記第２の無線基地局装置へ送信するステップと、上記第２の無線基地局装置が、上記第１の無線基地局装置から受信した上記所定情報に基づいて、無線端末装置による自己から上記第１の無線基地局装置への移動動作のタイミングが遅くなるように制御するステップとを含む。
【０１２５】
このような構成により、無線端末装置によるハンドオーバが無線基地局装置間で繰り返される”Ｐｉｎｇ  Ｐｏｎｇ  ＨＯ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０１２６】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。これにより、たとえばマクロ基地局よりもフェムト基地局をハンドオーバ先として選択されやすくすることができるため、無線通信システムにおける通信トラフィックを適切に分散させることができる。
【０１２７】
（５９）またこの発明の別の局面に係わる通信制御方法は、複数の無線基地局装置を備え、無線端末装置が移動動作を行なうことにより上記複数の無線基地局装置と通信可能な無線通信システムにおける通信制御方法であって、第１の無線基地局装置が、無線端末装置による第２の無線基地局装置から自己への移動動作が行なわれてから所定時間内に、上記無線端末装置による自己から第３の無線基地局装置への移動動作が行なわれた事象を検知するステップと、上記第１の無線基地局装置が、上記事象を検知した場合には、所定情報を上記第２の無線基地局装置へ送信するステップと、上記第２の無線基地局装置が、上記第１の無線基地局装置から受信した上記所定情報に基づいて、無線端末装置による自己から上記第１の無線基地局装置への移動動作のタイミングを遅くする制御、および無線端末装置による自己から上記第３の無線基地局装置への移動動作のタイミングを早くする制御の少なくとも一方を行なうステップとを含む。
【０１２８】
このような構成により、ハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０１２９】
（６０）またこの発明の別の局面に係わる通信制御方法は、複数の無線基地局装置を備え、無線端末装置が移動動作を行なうことにより上記複数の無線基地局装置と通信可能な無線通信システムにおける通信制御方法であって、第１の無線基地局装置が、無線端末装置による自己から第２の無線基地局装置への移動動作が行なわれてから所定時間内に、上記無線端末装置による上記第２の無線基地局装置から自己または第３の無線基地局装置への移動動作が行なわれた事象を検知するステップと、上記第１の無線基地局装置が、上記事象を検知した場合には、所定情報を上記第２の無線基地局装置へ送信するステップと、上記第２の無線基地局装置が、上記第１の無線基地局装置から受信した上記所定情報に基づいて、無線端末装置による自己から上記第１の無線基地局装置または上記第３の無線基地局装置への移動動作のタイミングが遅くなるように制御するステップとを含む。
【０１３０】
このような構成により、無線端末装置によるハンドオーバが無線基地局装置間で繰り返される”Ｐｉｎｇ  Ｐｏｎｇ  ＨＯ”およびハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０１３１】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。これにより、たとえばマクロ基地局よりもフェムト基地局をハンドオーバ先として選択されやすくすることができるため、無線通信システムにおける通信トラフィックを適切に分散させることができる。
【０１３２】
（６１）上記課題を解決するために、この発明のある局面に係わる通信制御プログラムは、複数の無線基地局装置を備え、無線端末装置が移動動作を行なうことにより上記複数の無線基地局装置と通信可能な無線通信システムにおいて用いられる通信制御プログラムであって、コンピュータに、第１の無線基地局装置が、無線端末装置による第２の無線基地局装置から自己への移動動作が行なわれてから所定時間内に、上記無線端末装置による自己から上記第２の無線基地局装置への移動動作が行なわれた事象を検知するステップと、上記第１の無線基地局装置が、上記事象を検知した場合には、所定情報を上記第２の無線基地局装置へ送信するステップと、上記第２の無線基地局装置が、上記第１の無線基地局装置から受信した上記所定情報に基づいて、無線端末装置による自己から上記第１の無線基地局装置への移動動作のタイミングが遅くなるように制御するステップとを実行させるためのプログラムである。
【０１３３】
このような構成により、無線端末装置によるハンドオーバが無線基地局装置間で繰り返される”Ｐｉｎｇ  Ｐｏｎｇ  ＨＯ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０１３４】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。これにより、たとえばマクロ基地局よりもフェムト基地局をハンドオーバ先として選択されやすくすることができるため、無線通信システムにおける通信トラフィックを適切に分散させることができる。
【０１３５】
（６２）またこの発明の別の局面に係わる通信制御プログラムは、複数の無線基地局装置を備え、無線端末装置が移動動作を行なうことにより上記複数の無線基地局装置と通信可能な無線通信システムにおいて用いられる通信制御プログラムであって、コンピュータに、第１の無線基地局装置が、無線端末装置による第２の無線基地局装置から自己への移動動作が行なわれてから所定時間内に、上記無線端末装置による自己から第３の無線基地局装置への移動動作が行なわれた事象を検知するステップと、上記第１の無線基地局装置が、上記事象を検知した場合には、所定情報を上記第２の無線基地局装置へ送信するステップと、上記第２の無線基地局装置が、上記第１の無線基地局装置から受信した上記所定情報に基づいて、無線端末装置による自己から上記第１の無線基地局装置への移動動作のタイミングを遅くする制御、および無線端末装置による自己から上記第３の無線基地局装置への移動動作のタイミングを早くする制御の少なくとも一方を行なうステップとを実行させるためのプログラムである。
【０１３６】
このような構成により、ハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０１３７】
（６３）またこの発明の別の局面に係わる通信制御プログラムは、複数の無線基地局装置を備え、無線端末装置が移動動作を行なうことにより上記複数の無線基地局装置と通信可能な無線通信システムにおいて用いられる通信制御プログラムであって、コンピュータに、第１の無線基地局装置が、無線端末装置による自己から第２の無線基地局装置への移動動作が行なわれてから所定時間内に、上記無線端末装置による上記第２の無線基地局装置から自己または第３の無線基地局装置への移動動作が行なわれた事象を検知するステップと、上記第１の無線基地局装置が、上記事象を検知した場合には、所定情報を上記第２の無線基地局装置へ送信するステップと、上記第２の無線基地局装置が、上記第１の無線基地局装置から受信した上記所定情報に基づいて、無線端末装置による自己から上記第１の無線基地局装置または上記第３の無線基地局装置への移動動作のタイミングが遅くなるように制御するステップとを実行させるためのプログラムである。
【０１３８】
このような構成により、無線端末装置によるハンドオーバが無線基地局装置間で繰り返される”Ｐｉｎｇ  Ｐｏｎｇ  ＨＯ”およびハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０１３９】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。これにより、たとえばマクロ基地局よりもフェムト基地局をハンドオーバ先として選択されやすくすることができるため、無線通信システムにおける通信トラフィックを適切に分散させることができる。
【発明の効果】
【０１４０】
本発明によれば、不適切なハンドオーバ動作を検出し、無線端末装置の移動動作を制御することにより、通信の安定化を図ることができる。
【図面の簡単な説明】
【０１４１】
【図１】本発明の第１の実施の形態に係る無線通信システムの構成を示す図である。
【図２】本発明の第１の実施の形態に係る無線通信システムにおけるハンドオーバ動作のシーケンスの一例を示す図である。
【図３】本発明の第１の実施の形態に係る無線通信システムにおいて、不適切なハンドオーバ動作（Ｔｏｏ  Ｌａｔｅ  ＨＯ）が生じた状況の一例を示す図である。
【図４】本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【図５】本発明の第１の実施の形態に係る無線通信システムにおいて、不適切なハンドオーバ動作（Ｔｏｏ  Ｅａｒｌｙ  ＨＯ）が生じた状況の一例を示す図である。
【図６】本発明の第１の実施の形態に係る無線通信システムにおいて、不適切なハンドオーバ動作（Ｔｏｏ  Ｅａｒｌｙ  ＨＯ）が生じた状況の一例を示す図である。
【図７】本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【図８】本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図９】本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１０】本発明の第１の実施の形態に係る無線通信システムにおける、無線端末装置の受信品質のシミュレーション結果を示す図である。
【図１１】本発明の第１の実施の形態に係る無線通信システムにおいて、無線端末装置が測定結果通知を送信するイベントＡ１を示す図である。
【図１２】本発明の第１の実施の形態に係る無線通信システムにおいて、無線端末装置が測定結果通知を送信するイベントＡ２を示す図である。
【図１３】本発明の第１の実施の形態に係る無線通信システムにおいて、無線端末装置が測定結果通知を送信するイベントＡ３を示す図である。
【図１４】本発明の第１の実施の形態に係る無線通信システムにおいて、無線端末装置が測定結果通知を送信するイベントＡ４を示す図である。
【図１５】本発明の第１の実施の形態に係る無線通信システムにおいて、無線端末装置が測定結果通知を送信するイベントＡ５を示す図である。
【図１６】本発明の第１の実施の形態に係る無線通信システムにおいて、ヒステリシスＨＳの調整によるハンドオーバ動作のタイミング制御を示す図である。
【図１７】本発明の第１の実施の形態に係る無線通信システムにおいて、ＴＴＴの調整によるハンドオーバ動作のタイミング制御を示す図である。
【図１８】本発明の第１の実施の形態に係る無線通信システムにおいて、オフセットＯＳＴの調整によるハンドオーバ動作のタイミング制御を示す図である。
【図１９】本発明の第１の実施の形態に係る無線基地局装置の構成を示す図である。
【図２０】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２１】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２２】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２３】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２４】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２５】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２６】本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【図２７】本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【図２８】本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【図２９】本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【図３０】本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【図３１】本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【図３２】本発明の第１の実施の形態に係る無線基地局装置におけるオフセットＯＳＴの調整方法の一例を示す図である。
【図３３】本発明の第２の実施の形態に係る無線通信システムにおけるハンドオーバレポートの送信手順の一例を定めたシーケンス図である。
【図３４】本発明の第２の実施の形態に係る無線基地局装置における制御部の構成を示す図である。
【図３５】本発明の第２の実施の形態に係る無線通信システムにおけるハンドオーバレポートの送信手順の一例を定めたシーケンス図である。
【図３６】本発明の第２の実施の形態に係る無線通信システムにおけるハンドオーバレポートの送信手順の一例を定めたシーケンス図である。
【図３７】本発明の第２の実施の形態に係る無線基地局装置によるハンドオーバレポートを用いた処理の一例を示すフローチャートである。
【図３８】本発明の第２の実施の形態に係る無線通信システムにおけるハンドオーバレポートの内容の一例を示す図である。
【図３９】本発明の第２の実施の形態に係る無線通信システムにおけるハンドオーバレポートの内容の一例を示す図である。
【図４０】本発明の第２の実施の形態に係る無線通信システムにおけるハンドオーバレポートの内容の一例を示す図である。
【図４１】本発明の第３の実施の形態に係る無線通信システムにおけるハンドオーバレポートの送信手順の一例を定めたシーケンス図である。
【図４２】本発明の第３の実施の形態に係る無線通信システムにおけるハンドオーバレポートの送信手順の一例を定めたシーケンス図である。
【図４３】本発明の第３の実施の形態に係る無線基地局装置によるハンドオーバレポートを用いた処理の一例を示すフローチャートである。
【発明を実施するための形態】
【０１４２】
以下、本発明の実施の形態について図面を用いて説明する。なお、図中同一または相当部分には同一符号を付してその説明は繰り返さない。
【０１４３】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【０１４４】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【０１４５】
また、ハンドオーバとは、通話中またはデータ通信中の無線端末装置の通信相手となる無線基地局装置が切り替えられることを意味する。
【０１４６】
また、無線端末装置がセルに在圏している、とは、無線端末装置が、当該セルを形成する無線基地局装置を通信先として選択し、かつ当該無線基地局装置と通信可能な状態または通信中である状態を意味する。
【０１４７】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０１４８】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０１４９】
本発明の実施の形態に係る無線通信システムにおいても、このような３ＧＰＰの定義を適用してもよい。
【０１５０】
また、上記定義と合わせて、あるいは別個に、以下のような定義を適用することも可能である。
【０１５１】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【０１５２】
また、フェムト基地局は、主に個人または法人の建物内に設置され、ユーザの事情により移動するまたは電源がオフとなる可能性がある無線基地局装置である。
【０１５３】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【０１５４】
＜第１の実施の形態＞
［構成および基本動作］
図１は、本発明の第１の実施の形態に係る無線通信システムの構成を示す図である。
【０１５５】
図１を参照して、無線通信システムは、たとえば３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられてもよい。
【０１５６】
無線基地局装置１０１Ａ，１０１Ｂは、たとえばフェムト基地局、ピコ基地局またはマクロ基地局である。
【０１５７】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【０１５８】
ここで、無線端末装置からコアネットワークへの方向を上り方向と称し、コアネットワークから無線端末装置への方向を下り方向と称する。
【０１５９】
本発明の第１の実施の形態に係る無線通信システムにおける無線基地局装置および無線端末装置は、以下の各シーケンスおよび各フローチャートの各ステップを含むプログラムを図示しないメモリから読み出して実行する。このプログラムは、外部からインストールすることができる。このインストールされるプログラムは、たとえば記録媒体に格納された状態で流通する。
【０１６０】
図２は、本発明の第１の実施の形態に係る無線通信システムにおけるハンドオーバ動作のシーケンスの一例を示す図である。
【０１６１】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【０１６２】
図２を参照して、まず、無線基地局装置１０１Ａは、自己と通信中の無線端末装置２０２の測定対象となる周波数と、当該周波数の無線信号を送信する他の無線基地局装置とを設定する（ステップＳ１）。
【０１６３】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ２）。
【０１６４】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３）。
【０１６５】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４）。
【０１６６】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５）。
【０１６７】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ６）。
【０１６８】
次に、無線基地局装置１０１Ａは、無線基地局装置１０１Ｂを示すハンドオーバ要求を上位装置へ送信する（ステップＳ７）。
【０１６９】
次に、上位装置は、無線基地局装置１０１Ａからハンドオーバ要求を受信して、無線基地局装置１０１Ｂへ当該ハンドオーバ要求を送信する（ステップＳ８）。
【０１７０】
次に、無線基地局装置１０１Ｂは、上位装置からハンドオーバ要求を受信して、上位装置へ当該ハンドオーバ要求に対するハンドオーバ応答を送信する（ステップＳ９）。
【０１７１】
次に、上位装置は、無線基地局装置１０１Ｂからハンドオーバ応答を受信して、無線基地局装置１０１Ａへハンドオーバ指示を送信する（ステップＳ１０）。
【０１７２】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ１１）。
【０１７３】
次に、無線基地局装置１０１Ａは、上位装置へ自己の通信状態等を示す状態通知を送信する（ステップＳ１２）。
【０１７４】
次に、上位装置は、無線基地局装置１０１Ａから状態通知を受信して、無線基地局装置１０１Ｂへ無線端末装置２０２との通信内容等を示す状態通知を送信する（ステップＳ１３）。
【０１７５】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１４）。
【０１７６】
次に、無線基地局装置１０１Ｂは、無線端末装置２０２からＲＲＣコネクション再構成完了通知を受信して、上位装置へハンドオーバ完了通知を送信する（ステップＳ１５）。
【０１７７】
次に、上位装置は、無線基地局装置１０１Ｂからハンドオーバ完了通知を受信して、端末情報解放指示を無線基地局装置１０１Ａへ送信する（ステップＳ１６）。
【０１７８】
次に、無線基地局装置１０１Ａは、上位装置から端末情報解放指示を受信して、無線端末装置２０２に関する情報を解放し、上位装置へ端末情報解放完了通知を送信する（ステップＳ１７）。
【０１７９】
［不適切なハンドオーバ動作の例］
以下、無線端末装置２０２と通信中の無線基地局装置またはハンドオーバ元の無線基地局装置をサービング基地局とも称し、ハンドオーバ先の無線基地局装置を周辺基地局とも称する。
【０１８０】
図３は、本発明の第１の実施の形態に係る無線通信システムにおいて、不適切なハンドオーバ動作（Ｔｏｏ  Ｌａｔｅ  ＨＯ）が生じた状況の一例を示す図である。
【０１８１】
図４は、本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【０１８２】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【０１８３】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【０１８４】
ここでは、図３に示すように、無線端末装置２０２は、セルＣＡ内に位置し、無線基地局装置１０１Ａと通信中である場合を想定する。
【０１８５】
図３および図４を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【０１８６】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【０１８７】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【０１８８】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【０１８９】
ここで、ネットワーク側のハンドオーバの準備中、すなわち無線基地局装置１０１Ａおよび１０１Ｂが上記のようなハンドオーバのためのメッセージの送受信を行っている間に、無線端末装置２０２が、セルＣＡの圏外、かつセルＣＢの圏内に移動する（ステップＳ５５）。
【０１９０】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【０１９１】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【０１９２】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【０１９３】
次に、無線端末装置２０２は、無線基地局装置１０１ＢへＲＲＣコネクション再確立完了通知（RRC Connection Reestablishment Complete）を送信する（ステップＳ６０）。
【０１９４】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【０１９５】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【０１９６】
次に、無線基地局装置１０１Ｂは、無線端末装置２０２から受信したＲＬＦレポートのＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【０１９７】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【０１９８】
次に、無線基地局装置１０１Ａは、セルＣＢへの”Ｔｏｏ  Ｌａｔｅ  ＨＯ”の発生が抑制されるように、ハンドオーバ動作の実行処理を実行する（ステップＳ６５）。
【０１９９】
図５および図６は、本発明の第１の実施の形態に係る無線通信システムにおいて、不適切なハンドオーバ動作（Ｔｏｏ  Ｅａｒｌｙ  ＨＯ）が生じた状況の一例を示す図である。
【０２００】
図５および図６を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０２０１】
図７は、本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【０２０２】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０２０３】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報解放指示を無線基地局装置１０１Ａへ送信していたときに、”Ｔｏｏ  Ｅａｒｌｙ  ＨＯ”である旨を無線基地局装置１０１Ａに通知する。
【０２０４】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０２０５】
ここでは、図５に示すように、無線端末装置２０２が、セルＣＡ内に位置し、無線基地局装置１０１Ａと通信中である状態から、セルＣＢ２内へ移動した場合（ステップＳ７０）を想定する。
【０２０６】
図５〜図７を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０２０７】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０２０８】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０２０９】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０２１０】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０２１１】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０２１２】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０２１３】
また、無線基地局装置１０１Ｂは、無線端末装置２０２のセルＣＢにおける滞在時間を計測するために、タイマをスタートさせる（ステップＳ７８）。
【０２１４】
次に、無線基地局装置１０１Ａは、無線基地局装置１０１Ｂから端末情報解放指示を受信して、無線端末装置２０２に関する情報（UE Context）を解放する（ステップＳ７９）。
【０２１５】
以上により、無線端末装置２０２の無線基地局装置１０１Ａから無線基地局装置１０１Ｂへのハンドオーバが完了する（ステップＳ８０）。
【０２１６】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０２１７】
そうすると、無線端末装置２０２は、無線基地局装置１０１Ｂと通信できなくなることから、ＲＬＦが発生してしまう（ステップＳ８３）。
【０２１８】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０２１９】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０２２０】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０２２１】
すなわち、まず、無線端末装置２０２は、ＲＲＣコネクション要求（RRC Connection Request）を無線基地局装置１０１Ａへ送信する（ステップＳ８８）。
【０２２２】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０２２３】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０２２４】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０２２５】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０２２６】
次に、無線基地局装置１０１Ａは、無線端末装置２０２へＲＲＣコネクション再構成指示（RRC Connection Reconfiguration）を送信する（ステップＳ９３）。
【０２２７】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０２２８】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０２２９】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０２３０】
次に、無線基地局装置１０１Ａは、無線端末装置２０２から受信したＲＬＦレポートのＰＣＩを参照することにより、無線基地局装置１０１ＢにおいてＲＬＦが発生したことを認識し、セルＣＡへの”Ｔｏｏ  Ｌａｔｅ  ＨＯ”が発生したと判断する（ステップＳ９７）。
【０２３１】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０２３２】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０２３３】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０２３４】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の実行処理を実行する（ステップＳ１０２）。
【０２３５】
図８は、本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【０２３６】
図８を参照して、無線通信システムは、図１に示す無線通信システムと比べて、さらに、無線基地局装置１０１Ｃを備える。無線基地局装置１０１Ｃは、たとえばフェムト基地局、ピコ基地局またはマクロ基地局である。
【０２３７】
無線基地局装置１０１Ｃは、セルＣＣを形成し、セルＣＣ内に存在する無線端末装置２０２と無線信号を送受信することにより、当該無線端末装置２０２と通信することが可能である。
【０２３８】
図９は、本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０２３９】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０２４０】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報解放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０２４１】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０２４２】
ここでは、図８に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０２４３】
図８および図９を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０２４４】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０２４５】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０２４６】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０２４７】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０２４８】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０２４９】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０２５０】
また、無線基地局装置１０１Ｂは、無線端末装置２０２のセルＣＢにおける滞在時間を計測するために、タイマをスタートさせる（ステップＳ１１８）。
【０２５１】
次に、無線基地局装置１０１Ａは、無線基地局装置１０１Ｂから端末情報解放指示を受信して、無線端末装置２０２に関する情報（UE Context）を解放する（ステップＳ１１９）。
【０２５２】
以上により、無線端末装置２０２の無線基地局装置１０１Ａから無線基地局装置１０１Ｂへのハンドオーバが完了する（ステップＳ１２０）。
【０２５３】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０２５４】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０２５５】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０２５６】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０２５７】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０２５８】
すなわち、まず、無線端末装置２０２は、ＲＲＣコネクション要求（RRC Connection Request）を無線基地局装置１０１Ｃへ送信する（ステップＳ１２８）。
【０２５９】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０２６０】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０２６１】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０２６２】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０２６３】
次に、無線基地局装置１０１Ｃは、無線端末装置２０２へＲＲＣコネクション再構成指示（RRC Connection Reconfiguration）を送信する（ステップＳ１３３）。
【０２６４】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０２６５】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０２６６】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０２６７】
次に、無線基地局装置１０１Ｃは、無線端末装置２０２から受信したＲＬＦレポートのＰＣＩを参照することにより、無線基地局装置１０１ＢにおいてＲＬＦが発生したことを認識し、セルＣＣへの”Ｔｏｏ  Ｌａｔｅ  ＨＯ”が発生したと判断する（ステップＳ１３７）。
【０２６８】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０２６９】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０２７０】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０２７１】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の実行処理を実行する（ステップＳ１４２）。
【０２７２】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０２７３】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０２７４】
［ハンドオーバ動作の制御パラメータ］
図１０は、本発明の第１の実施の形態に係る無線通信システムにおける、無線端末装置の受信品質のシミュレーション結果を示す図である。
【０２７５】
図１０は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０２７６】
図１０において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０２７７】
図１０を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０２７８】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０２７９】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０２８０】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０２８１】
たとえば、ヒステリシスＨＳおよびＴＴＴは後述するイベントごとに設定可能であり、オフセットＯＳＴはサービング基地局の形成するサービングセル、および周辺セルごとに設定可能である。
【０２８２】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０２８３】
以下、測定結果通知を送信する各種イベントと電力測定処理のパラメータとの関係について説明する。
【０２８４】
図１１は、本発明の第１の実施の形態に係る無線通信システムにおいて、無線端末装置が測定結果通知を送信するイベントＡ１を示す図である。図１１において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０２８５】
図１１を参照して、イベントＡ１では、閾値Ｔｈに対して正負の方向にヒステリシスＨＳが設定される。
【０２８６】
無線端末装置２０２は、サービングセルの受信電力またはＳＩＮＲが（Ｔｈ＋ＨＳ）よりも大きくなると、レポートオン状態へ遷移する（タイミングＴ１）。
【０２８７】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０２８８】
次に、無線端末装置２０２は、当該条件が満たされた状態でタイミングＴ２からＴＴＴ経過すると、測定結果通知を送信する（タイミングＴ３）。
【０２８９】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０２９０】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０２９１】
図１２は、本発明の第１の実施の形態に係る無線通信システムにおいて、無線端末装置が測定結果通知を送信するイベントＡ２を示す図である。図の見方は図１１と同様である。
【０２９２】
図１２を参照して、イベントＡ２では、閾値Ｔｈに対して正負の方向にヒステリシスＨＳが設定される。
【０２９３】
無線端末装置２０２は、サービングセルの受信電力またはＳＩＮＲが（Ｔｈ−ＨＳ）よりも小さくなると、レポートオン状態へ遷移する（タイミングＴ１１）。
【０２９４】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０２９５】
次に、無線端末装置２０２は、当該条件が満たされた状態でタイミングＴ１２からＴＴＴ経過すると、測定結果通知を送信する（タイミングＴ１３）。
【０２９６】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０２９７】
図１３は、本発明の第１の実施の形態に係る無線通信システムにおいて、無線端末装置が測定結果通知を送信するイベントＡ３を示す図である。図１３において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０２９８】
図１３を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０２９９】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０３００】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０３０１】
次に、無線端末装置２０２は、当該条件が満たされた状態でタイミングＴ２２からＴＴＴ経過すると、測定結果通知を送信する（タイミングＴ２３）。
【０３０２】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０３０３】
図１４は、本発明の第１の実施の形態に係る無線通信システムにおいて、無線端末装置が測定結果通知を送信するイベントＡ４を示す図である。図の見方は図１３と同様である。
【０３０４】
図１４を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０３０５】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０３０６】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０３０７】
次に、無線端末装置２０２は、当該条件が満たされた状態でタイミングＴ３２からＴＴＴ経過すると、測定結果通知を送信する（タイミングＴ３３）。
【０３０８】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０３０９】
図１５は、本発明の第１の実施の形態に係る無線通信システムにおいて、無線端末装置が測定結果通知を送信するイベントＡ５を示す図である。図の見方は図１３と同様である。
【０３１０】
図１５を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０３１１】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０３１２】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０３１３】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０３１４】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０３１５】
図１６は、本発明の第１の実施の形態に係る無線通信システムにおいて、ヒステリシスＨＳの調整によるハンドオーバ動作のタイミング制御を示す図である。図１６は、イベントＡ３の場合を示す。
【０３１６】
図１６を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０３１７】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０３１８】
すなわち、ヒステリシスＨＳを大きくすると、測定結果通知の送信タイミングすなわちハンドオーバ動作のタイミングを遅くすることができる。
【０３１９】
図１７は、本発明の第１の実施の形態に係る無線通信システムにおいて、ＴＴＴの調整によるハンドオーバ動作のタイミング制御を示す図である。図１７は、イベントＡ３の場合を示す。
【０３２０】
図１７を参照して、ＴＴＴを小さく設定した場合には、タイミングＴ６２において測定結果通知が送信される。
【０３２１】
これに対して、ＴＴＴを大きく設定した場合には、タイミングＴ６１より後のタイミングＴ６３において測定結果通知が送信される。
【０３２２】
すなわち、ＴＴＴを大きくすると、測定結果通知の送信タイミングすなわちハンドオーバ動作のタイミングを遅くすることができる。
【０３２３】
図１８は、本発明の第１の実施の形態に係る無線通信システムにおいて、オフセットＯＳＴの調整によるハンドオーバ動作のタイミング制御を示す図である。図１８は、イベントＡ３の場合を示す。
【０３２４】
図１８を参照して、オフセットＯＳＴをゼロに設定した場合には、タイミングＴ７１においてレポ−トオン状態へ遷移し、タイミングＴ７３において測定結果通知が送信され、タイミングＴ７６においてレポートオフ状態へ遷移する。
【０３２５】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７６より前のタイミングＴ７５においてレポートオフ状態へ遷移する。
【０３２６】
すなわち、オフセットＯＳＴを小さくすると、測定結果通知の送信タイミングすなわちハンドオーバ動作のタイミングを遅くすることができる。また、レポートオフ状態からレポートオン状態への遷移が遅くなり、かつレポートオン状態からレポートオフ状態への遷移が早くなる。
【０３２７】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０３２８】
ここで、ヒステリシスＨＳ、ＴＴＴおよびオフセットＯＳＴを調整する効果の違いについて考察する。
【０３２９】
いずれのパラメータを調整しても、ハンドオーバのタイミングを調整することができるが、これらの効果は、干渉を含む地形、および無線端末装置の移動速度等によって異なる。
【０３３０】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０３３１】
また、ヒステリシスＨＳおよびオフセットＯＳＴは、無線端末装置の移動速度による影響を受けにくいパラメータである。
【０３３２】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。
【０３３３】
［無線基地局装置］
図１９は、本発明の第１の実施の形態に係る無線基地局装置の構成を示す図である。
【０３３４】
図１９を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０３３５】
サーキュレータ９２は、アンテナ９１において受信された無線端末装置２０２からの無線信号を無線受信部９３へ出力し、また、無線送信部９４から受けた無線信号をアンテナ９１へ出力する。
【０３３６】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０３３７】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０３３８】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０３３９】
無線送信部９４は、送信信号処理部９７から受けたデジタル信号をアナログ信号に変換し、変換したアナログ信号を無線信号に周波数変換してサーキュレータ９２へ出力する。
【０３４０】
制御部９８は、無線基地局装置１０１における各ユニットおよびコアネットワークとの間で各種情報をやり取りする。
【０３４１】
図３〜図９では、不適切なハンドオーバ動作およびその検出処理について説明した。これらの検出処理では、無線基地局装置間においてＸ２インタフェース経由で情報をやり取りすることにより、不適切なハンドオーバ動作を検出し、ハンドオーバ元のサービング基地局がハンドオーバ動作の最適化処理を実行する。
【０３４２】
しかしながら、ハンドオーバ先のターゲット基地局におけるハンドオーバ動作のタイミングが早すぎることが原因で”Ｐｉｎｇ  Ｐｏｎｇ  ＨＯ”が発生する場合もある。このような場合でも、不適切なハンドオーバ動作を抑制可能な構成が望まれる。
【０３４３】
そこで、本発明の第１の実施の形態に係る無線通信システムでは、以下のような動作により、”Ｐｉｎｇ  Ｐｏｎｇ  ＨＯ”および”ＨＯ  ｔｏ  Ｗｒｏｎｇ  Ｃｅｌｌ”を検出し、これらの不適切なハンドオーバ動作を柔軟に抑制可能とする。
【０３４４】
［Ｐｉｎｇ  Ｐｏｎｇ  ＨＯの検出処理］
ここでは、本発明の第１の実施の形態に係る無線基地局装置が”Ｐｉｎｇ  Ｐｏｎｇ  ＨＯ”の検出処理を行なう際の動作について詳細に説明する。
【０３４５】
図２０は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０３４６】
図２０を参照して、まず、図２に示すハンドオーバ動作と同様に、無線基地局装置１０１Ａは、無線基地局装置１０１Ｂをハンドオーバ先として決定し、ハンドオーバ要求をＸ２インタフェース経由で無線基地局装置１０１Ｂへ送信する（ステップＳ１６１）。
【０３４７】
次に、無線基地局装置１０１Ｂは、無線基地局装置１０１Ａからハンドオーバ要求を受信して、当該ハンドオーバ要求の示す無線基地局装置１０１ＡのＥＣＧＩを保持するとともに（ステップＳ１６２）、当該ハンドオーバ要求に対するハンドオーバ応答をＸ２インタフェース経由で無線基地局装置１０１Ａへ送信する（ステップＳ１６３）。
【０３４８】
次に、無線基地局装置１０１Ａは、無線基地局装置１０１Ｂからハンドオーバ応答を受信して、無線基地局装置１０１Ｂへのハンドオーバ指示を含むＲＲＣコネクション再構成指示を無線端末装置２０２へ送信する（ステップＳ１６４）。
【０３４９】
次に、無線端末装置２０２および無線基地局装置１０１Ｂ間でＲＲＣコネクションが確立されると、無線端末装置２０２は、無線基地局装置１０１Ｂへハンドオーバ完了通知を含むＲＲＣコネクション再構成完了通知を送信する（ステップＳ１６５）。
【０３５０】
次に、無線基地局装置１０１Ｂは、無線端末装置２０２からＲＲＣコネクション再構成完了通知を受信して、端末情報解放指示を無線基地局装置１０１Ａへ送信する。そして、無線基地局装置１０１Ａは、無線基地局装置１０１Ｂから端末情報解放指示を受信して、無線端末装置２０２に関する情報を解放する（ステップＳ１６６）。
【０３５１】
次に、無線基地局装置１０１Ｂは、無線端末装置２０２のセルＣＢにおける滞在時間を計測するために、タイマをスタートさせる（ステップＳ１６７）。
【０３５２】
その後、無線基地局装置１０１Ｂは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ａをハンドオーバ先として決定する（ステップＳ１６８）。
【０３５３】
次に、無線基地局装置１０１Ｂは、ハンドオーバ要求をＸ２インタフェース経由で無線基地局装置１０１Ａへ送信する（ステップＳ１６９）。
【０３５４】
次に、無線基地局装置１０１Ａは、無線基地局装置１０１Ｂからハンドオーバ要求を受信して、当該ハンドオーバ要求に対するハンドオーバ応答をＸ２インタフェース経由で無線基地局装置１０１Ｂへ送信する（ステップＳ１７０）。
【０３５５】
次に、無線基地局装置１０１Ｂは、無線基地局装置１０１Ａからハンドオーバ応答を受信して、無線基地局装置１０１Ａへのハンドオーバ指示を含むＲＲＣコネクション再構成指示を無線端末装置２０２へ送信する（ステップＳ１７１）。
【０３５６】
次に、無線端末装置２０２および無線基地局装置１０１Ａ間でＲＲＣコネクションが確立されると、無線端末装置２０２は、無線基地局装置１０１Ａへハンドオーバ完了通知を含むＲＲＣコネクション再構成完了通知を送信する（ステップＳ１７２）。
【０３５７】
次に、無線基地局装置１０１Ａは、無線端末装置２０２からＲＲＣコネクション再構成完了通知を受信して、端末情報解放指示を無線基地局装置１０１Ｂへ送信する。そして、無線基地局装置１０１Ｂは、無線基地局装置１０１Ａから端末情報解放指示を受信して、無線端末装置２０２に関する情報を解放する（ステップＳ１７３）。
【０３５８】
次に、無線基地局装置１０１Ｂは、無線基地局装置１０１Ａから受信したハンドオーバ応答の示す無線基地局装置１０１ＡのＥＣＧＩと保持しておいたＥＣＧＩとが一致することから、スタートさせておいたタイマの確認を行なう。無線基地局装置１０１Ｂは、当該タイマの値が所定値以下である場合には、ハンドオーバレポートを作成する（ステップＳ１７４）。このハンドオーバレポートには、たとえば、上記タイマの値、無線基地局装置１０１Ｂが保持していた前回のハンドオーバ元の無線基地局装置１０１ＡのＥＣＧＩ、および今回のハンドオーバ先の無線基地局装置１０１ＡのＥＣＧＩが含まれる。なお、ハンドオーバレポートの送信先の無線基地局装置において別途取得可能な情報は含まなくてもよい。
【０３５９】
次に、無線基地局装置１０１Ｂは、作成したハンドオーバレポートをＸ２インタフェース経由で無線基地局装置１０１Ａへ送信する（ステップＳ１７５）。
【０３６０】
なお、無線基地局装置１０１Ｂは、無線基地局装置１０１Ａからのハンドオーバ応答を受信することなくＥＣＧＩの一致確認が可能である場合には、無線基地局装置１０１Ａをハンドオーバ先として決定した後であれば（ステップＳ１６８）、上記タイマの確認およびハンドオーバレポートの送信を行なうことが可能である。
【０３６１】
次に、無線基地局装置１０１Ａは、無線基地局装置１０１Ｂからハンドオーバレポートを受信して、当該ハンドオーバレポートの内容を解析し、セルＣＡおよびセルＣＢ間の”Ｐｉｎｇ  Ｐｏｎｇ  ＨＯ”を検出する。より詳細には、無線基地局装置１０１Ａは、ハンドオーバレポートにおいて、たとえばタイマの値が所定値以下であり、かつ無線基地局装置１０１Ｂが保持していた前回のハンドオーバ元の無線基地局装置のＥＣＧＩ、および今回のハンドオーバ先の無線基地局装置のＥＣＧＩが自己のＥＣＧＩと一致することから、無線端末装置２０２による無線基地局装置１０１Ａおよび無線基地局装置１０１Ｂ間のハンドオーバは”Ｐｉｎｇ  Ｐｏｎｇ  ＨＯ”であったと判断する（ステップＳ１７６）。
【０３６２】
次に、無線基地局装置１０１Ａは、たとえばハンドオーバ動作のパラメータを確認し、自己から無線基地局装置１０１Ｂへのハンドオーバ動作のタイミングが十分に遅いか否かを判断する（ステップＳ１７７）。
【０３６３】
すなわち、無線基地局装置１０１Ａは、ハンドオーバ動作のタイミングがそれほど遅くなく、パラメータ変更が可能である場合には（ステップＳ１７７でＮＯ）、自己から無線基地局装置１０１Ｂへのハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ１７８）。なお、無線基地局装置１０１Ａは、自己から他の無線基地局装置へのハンドオーバ動作のタイミングを全体的に遅くしてもよいし、自己から無線基地局装置１０１Ｂへのハンドオーバ動作のタイミングを選択的に遅くしてもよい。
【０３６４】
一方、無線基地局装置１０１Ａは、ハンドオーバ動作のタイミングが十分に遅く、パラメータ変更を行なわない方が良いと判断した場合には（ステップＳ１７７でＹＥＳ）、ハンドオーバパラメータ通知を無線基地局装置１０１Ｂへ送信する（ステップＳ１７９）。このハンドオーバパラメータ通知には、たとえば、ヒステリシスＨＳ、ＴＴＴおよびオフセットＯＳＴ等の自己の設定値が含まれる。
【０３６５】
次に、無線基地局装置１０１Ｂは、無線基地局装置１０１Ａからハンドオーバパラメータ通知を受信して、当該ハンドオーバパラメータ通知の示す設定値に基づき、自己から無線基地局装置１０１Ａへのハンドオーバ動作のタイミングが遅くなるようにパラメータを設定する（ステップＳ１８０）。なお、無線基地局装置１０１Ｂは、自己から他の無線基地局装置へのハンドオーバ動作のタイミングを全体的に遅くしてもよいし、自己から無線基地局装置１０１Ａへのハンドオーバ動作のタイミングを選択的に遅くしてもよい。
【０３６６】
このように、図２０に示す例では、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ａへのハンドオーバ動作が行なわれた事象を検知する。そして、無線基地局装置１０１Ｂは、上記事象を検知した場合には、所定情報を無線基地局装置１０１Ａへ送信する。
【０３６７】
無線基地局装置１０１Ａは、無線基地局装置１０１Ｂから受信した所定情報に基づいて、無線端末装置２０２による自己から無線基地局装置１０１Ｂへのハンドオーバ動作のタイミングが遅くなるように制御する。
【０３６８】
より詳細には、たとえば、無線基地局装置１０１Ｂは、上記事象を検知した場合には、無線端末装置２０２のハンドオーバ動作に関する情報であるハンドオーバ動作情報すなわちハンドオーバレポートを所定情報として無線基地局装置１０１Ａへ送信する。
【０３６９】
無線基地局装置１０１Ａは、無線基地局装置１０１Ｂから受信したハンドオーバ動作情報に基づいて、自己から無線基地局装置１０１Ｂへの無線端末装置２０２によるハンドオーバ動作が不適切であったか否かを判断する。そして、無線基地局装置１０１Ａは、不適切であったと判断した場合には、無線端末装置２０２による自己から無線基地局装置１０１Ｂへのハンドオーバ動作のタイミングが遅くなるように制御する。
【０３７０】
このハンドオーバ動作情報の内容として、たとえば、無線基地局装置１０１Ｂは、無線端末装置２０２による自己へのハンドオーバ動作が行なわれてから、無線端末装置２０２による自己から他の無線基地局装置へのハンドオーバ動作が行なわれるまでの時間、無線端末装置２０２による自己へのハンドオーバ動作におけるハンドオーバ元の無線基地局装置の識別情報、および無線端末装置２０２による自己から他の無線基地局装置へのハンドオーバ動作におけるハンドオーバ先の無線基地局装置の識別情報のうちの少なくともいずれか１つをハンドオーバ動作情報に含める。
【０３７１】
また、無線基地局装置１０１Ａは、さらに、自己から無線基地局装置１０１Ｂへの無線端末装置２０２によるハンドオーバ動作が不適切であったと判断した場合には、無線端末装置２０２による自己から無線基地局装置１０１Ｂへのハンドオーバ動作のタイミングを制御するか否かを判断する。そして、無線基地局装置１０１Ａは、当該ハンドオーバ動作のタイミングを制御しないと判断した場合には、不制御情報すなわちハンドオーバパラメータ通知を無線基地局装置１０１Ｂへ送信する。
【０３７２】
無線基地局装置１０１Ｂは、無線基地局装置１０１Ａから受信したハンドオーバパラメータ通知に基づいて、無線端末装置２０２による自己から無線基地局装置１０１Ａへのハンドオーバ動作のタイミングが遅くなるように制御する。
【０３７３】
より詳細には、ハンドオーバパラメータ通知は、無線基地局装置１０１Ａが無線端末装置２０２による自己から他の無線基地局装置へのハンドオーバ動作のタイミングを制御するための設定値を含む。
【０３７４】
無線基地局装置１０１Ｂは、無線基地局装置１０１Ａから受信した上記設定値に基づいて、無線端末装置２０２による自己から無線基地局装置１０１Ａへのハンドオーバ動作のタイミングが遅くなるように制御する。
【０３７５】
なお、無線基地局装置１０１Ｂは、無線端末装置２０２における各無線基地局装置からの無線信号の受信電力の測定結果を示す受信電力情報を単独またはハンドオーバレポートと合わせて所定情報として無線基地局装置１０１Ａへ送信する構成であってもよい。
【０３７６】
具体的には、たとえば、無線基地局装置１０１Ａは、受信電力情報において無線基地局装置１０１Ｂからの無線信号の受信電力が所定値未満の場合には、自己を通信先として無線端末装置２０２に選択させた方が良いと判断し、自己から無線基地局装置１０１Ｂへの無線端末装置２０２によるハンドオーバ動作のタイミングが遅くなるように制御する。一方、無線基地局装置１０１Ａは、受信電力情報において無線基地局装置１０１Ｂからの無線信号の受信電力が所定値以上の場合には、無線基地局装置１０１Ｂを通信先として無線端末装置２０２に選択させた方が良いと判断し、上記ハンドオーバ動作のタイミングを遅らせる制御を行なわない。
【０３７７】
図２１は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０３７８】
図２１を参照して、ステップＳ１９１〜Ｓ２０３の動作は、図２０に示すステップＳ１６１〜Ｓ１７３の動作と同様である。
【０３７９】
次に、無線基地局装置１０１Ｂは、スタートさせておいたタイマの確認等を行なうことにより、”Ｐｉｎｇ  Ｐｏｎｇ  ＨＯ”を検出する。より詳細には、無線基地局装置１０１Ｂは、当該タイマの値が所定値以下であり、かつ無線基地局装置１０１Ａから受信したハンドオーバ応答の示す無線基地局装置１０１ＡのＥＣＧＩと保持しておいたＥＣＧＩとが一致することから、無線端末装置２０２による無線基地局装置１０１Ａおよび無線基地局装置１０１Ｂ間のハンドオーバは”Ｐｉｎｇ  Ｐｏｎｇ  ＨＯ”であったと判断する（ステップＳ２０４）。
【０３８０】
次に、無線基地局装置１０１Ｂは、”Ｐｉｎｇ  Ｐｏｎｇ  ＨＯ”であったと判断すると、ＰｉｎｇＰｏｎｇ発生通知をＸ２インタフェース経由で無線基地局装置１０１Ａへ送信する（ステップＳ２０５）。なお、無線基地局装置１０１Ｂは、ＰｉｎｇＰｏｎｇ発生通知と合わせて前述のハンドオーバレポートまたは受信電力情報を無線基地局装置１０１Ａへ送信してもよい。
【０３８１】
また、無線基地局装置１０１Ｂは、無線基地局装置１０１Ａからのハンドオーバ応答を受信することなくＥＣＧＩの一致確認が可能である場合には、無線基地局装置１０１Ａをハンドオーバ先として決定した後であれば（ステップＳ１９８）、”Ｐｉｎｇ  Ｐｏｎｇ  ＨＯ”の判断を行なうことが可能である。
【０３８２】
次に、無線基地局装置１０１Ａは、無線基地局装置１０１ＢからＰｉｎｇＰｏｎｇ発生通知を受信して、たとえばハンドオーバ動作のパラメータを確認し、自己から無線基地局装置１０１Ｂへのハンドオーバ動作のタイミングが十分に遅いか否かを判断する（ステップＳ２０６）。
【０３８３】
すなわち、無線基地局装置１０１Ａは、ハンドオーバ動作のタイミングがそれほど遅くなく、パラメータ変更が可能である場合には（ステップＳ２０６でＮＯ）、ハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ２０７）。なお、無線基地局装置１０１Ａは、自己から他の無線基地局装置へのハンドオーバ動作のタイミングを全体的に遅くしてもよいし、自己から無線基地局装置１０１Ｂへのハンドオーバ動作のタイミングを選択的に遅くしてもよい。
【０３８４】
一方、無線基地局装置１０１Ａは、ハンドオーバ動作のタイミングが十分に遅く、パラメータ変更を行なわない方が良いと判断した場合には（ステップＳ２０６でＹＥＳ）、ハンドオーバパラメータ通知を無線基地局装置１０１Ｂへ送信する（ステップＳ２０８）。このハンドオーバパラメータ通知には、たとえば、ヒステリシスＨＳ、ＴＴＴおよびオフセットＯＳＴ等の自己の設定値が含まれる。
【０３８５】
次に、無線基地局装置１０１Ｂは、無線基地局装置１０１Ａからハンドオーバパラメータ通知を受信して、当該ハンドオーバパラメータ通知の示す設定値に基づき、自己から無線基地局装置１０１Ａへのハンドオーバ動作のタイミングが遅くなるようにパラメータを設定する（ステップＳ２０９）。なお、無線基地局装置１０１Ｂは、自己から他の無線基地局装置へのハンドオーバ動作のタイミングを全体的に遅くしてもよいし、自己から無線基地局装置１０１Ａへのハンドオーバ動作のタイミングを選択的に遅くしてもよい。
【０３８６】
このように、図２１に示す例では、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ａへのハンドオーバ動作が行なわれた事象を検知する。
【０３８７】
無線基地局装置１０１Ｂは、上記事象を検知した場合には、無線基地局装置１０１Ａから自己への無線端末装置２０２によるハンドオーバ動作が不適切であったか否かを判断する。そして、無線基地局装置１０１Ｂは、不適切であったと判断した場合には、無線基地局装置１０１Ａから無線基地局装置１０１Ｂへの無線端末装置２０２によるハンドオーバ動作のタイミングを制御する指示すなわちＰｉｎｇＰｏｎｇ発生通知を所定情報として無線基地局装置１０１Ａへ送信する。
【０３８８】
無線基地局装置１０１Ａは、無線基地局装置１０１Ｂから上記指示を受信して、無線端末装置２０２による自己から無線基地局装置１０１Ｂへのハンドオーバ動作のタイミングが遅くなるように制御する。
【０３８９】
また、無線基地局装置１０１Ａは、さらに、無線基地局装置１０１Ｂから上記指示を受信した場合には、無線端末装置２０２による自己から無線基地局装置１０１Ｂへのハンドオーバ動作のタイミングを制御するか否かを判断する。そして、無線基地局装置１０１Ａは、当該ハンドオーバ動作のタイミングを制御しないと判断した場合には、不制御情報すなわちハンドオーバパラメータ通知を無線基地局装置１０１Ｂへ送信する。
【０３９０】
無線基地局装置１０１Ｂは、無線基地局装置１０１Ａから受信したハンドオーバパラメータ通知に基づいて、無線端末装置２０２による自己から無線基地局装置１０１Ａへのハンドオーバ動作のタイミングが遅くなるように制御する。
【０３９１】
図２２は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０３９２】
図２２を参照して、ステップＳ２２１〜Ｓ２３３の動作は、図２０に示すステップＳ１６１〜Ｓ１７３の動作と同様である。
【０３９３】
次に、無線基地局装置１０１Ｂは、スタートさせておいたタイマの確認等を行なうことにより、”Ｐｉｎｇ  Ｐｏｎｇ  ＨＯ”を検出する。より詳細には、無線基地局装置１０１Ｂは、当該タイマの値が所定値以下であり、かつ無線基地局装置１０１Ａから受信したハンドオーバ応答の示す無線基地局装置１０１ＡのＥＣＧＩと保持しておいたＥＣＧＩとが一致することから、無線端末装置２０２による無線基地局装置１０１Ａおよび無線基地局装置１０１Ｂ間のハンドオーバは”Ｐｉｎｇ  Ｐｏｎｇ  ＨＯ”であったと判断する（ステップＳ２３４）。
【０３９４】
なお、無線基地局装置１０１Ｂは、無線基地局装置１０１Ａからのハンドオーバ応答を受信することなくＥＣＧＩの一致確認が可能である場合には、無線基地局装置１０１Ａをハンドオーバ先として決定した後であれば（ステップＳ２２８）、”Ｐｉｎｇ  Ｐｏｎｇ  ＨＯ”の判断を行なうことが可能である。
【０３９５】
次に、無線基地局装置１０１Ｂは、”Ｐｉｎｇ  Ｐｏｎｇ  ＨＯ”であったと判断すると、たとえばハンドオーバ動作のパラメータを確認し、自己から無線基地局装置１０１Ａへのハンドオーバ動作のタイミングが十分に遅いか否かを判断する（ステップＳ２３５）。
【０３９６】
すなわち、無線基地局装置１０１Ｂは、ハンドオーバ動作のタイミングがそれほど遅くなく、パラメータ変更が可能である場合には（ステップＳ２３５でＮＯ）、ハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ２３６）。なお、無線基地局装置１０１Ｂは、自己から他の無線基地局装置へのハンドオーバ動作のタイミングを全体的に遅くしてもよいし、自己から無線基地局装置１０１Ａへのハンドオーバ動作のタイミングを選択的に遅くしてもよい。
【０３９７】
一方、無線基地局装置１０１Ｂは、ハンドオーバ動作のタイミングが十分に遅く、パラメータ変更を行なわない方が良いと判断した場合には（ステップＳ２３５でＹＥＳ）、ＰｉｎｇＰｏｎｇ発生通知を無線基地局装置１０１Ａへ送信する（ステップＳ２３７）。
【０３９８】
次に、無線基地局装置１０１Ａは、無線基地局装置１０１ＢからＰｉｎｇＰｏｎｇ発生通知を受信して、自己から無線基地局装置１０１Ｂへのハンドオーバ動作のタイミングが遅くなるようにパラメータを設定する（ステップＳ２３８）。なお、無線基地局装置１０１Ａは、自己から他の無線基地局装置へのハンドオーバ動作のタイミングを全体的に遅くしてもよいし、自己から無線基地局装置１０１Ｂへのハンドオーバ動作のタイミングを選択的に遅くしてもよい。
【０３９９】
このように、図２２に示す例では、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ａへのハンドオーバ動作が行なわれた事象を検知する。
【０４００】
無線基地局装置１０１Ｂは、上記事象を検知した場合には、無線基地局装置１０１Ａから自己への無線端末装置２０２によるハンドオーバ動作が不適切であったか否かを判断する。そして、無線基地局装置１０１Ｂは、不適切であったと判断した場合には、無線端末装置２０２による自己から無線基地局装置１０１Ａへのハンドオーバ動作のタイミングを制御するか否かを判断し、制御しないと判断した場合には、所定情報すなわちＰｉｎｇＰｏｎｇ発生通知を無線基地局装置１０１Ａへ送信する。
【０４０１】
無線基地局装置１０１Ａは、無線基地局装置１０１Ｂから受信した所定情報に基づいて、無線端末装置２０２による自己から無線基地局装置１０１Ｂへのハンドオーバ動作のタイミングが遅くなるように制御する。
【０４０２】
なお、無線基地局装置１０１Ｂは、図２０に示す例と同様に、無線端末装置２０２のハンドオーバ動作に関する情報であるハンドオーバ動作情報すなわちハンドオーバレポートを所定情報として無線基地局装置１０１Ａへ送信する構成であってもよい。
【０４０３】
また、無線基地局装置１０１Ｂは、図２０に示す例と同様に、無線端末装置２０２における各無線基地局装置からの無線信号の受信電力の測定結果を示す受信電力情報を単独またはＰｉｎｇＰｏｎｇ発生通知と合わせて所定情報として無線基地局装置１０１Ａへ送信する構成であってもよい。
【０４０４】
図２３は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４０５】
図２３を参照して、この例では、無線基地局装置は、自己を通信先として選択する無線端末装置２０２にＣ−ＲＮＴＩ等の端末識別情報を付与する。まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ３０１）。
【０４０６】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ３０２）。
【０４０７】
ここで、無線端末装置２０２は、ハンドオーバ元となる無線基地局装置１０１ＡのＥＣＧＩ、および無線基地局装置１０１Ａから付与されたＣ−ＲＮＴＩを保持しておく（ステップＳ３０３）。
【０４０８】
次に、無線基地局装置１０１Ｂは、無線端末装置２０２からＲＲＣコネクション再構成完了通知を受信して、端末情報解放指示をＸ２インタフェース経由で無線基地局装置１０１Ａへ送信する（ステップＳ３０４）。
【０４０９】
次に、無線基地局装置１０１Ａは、無線基地局装置１０１Ｂから端末情報解放指示を受信するが、Ｃ−ＲＮＴＩ等の無線端末装置２０２に関する情報（UE Context）を解放せずに保持する（ステップＳ３０５）。
【０４１０】
次に、無線基地局装置１０１Ａは、無線端末装置２０２の無線基地局装置１０１Ｂへのハンドオーバ動作からの経過時間を計測するためのタイマをスタートさせる（ステップＳ３０６）。無線基地局装置１０１Ａは、この経過時間を無線端末装置２０２ごとに計測可能である。
【０４１１】
次に、無線基地局装置１０１Ｂは、無線基地局装置１０１Ａをハンドオーバ先として決定し、無線基地局装置１０１Ａへのハンドオーバ指示を含むＲＲＣコネクション再構成指示を無線端末装置２０２へ送信する（ステップＳ３０７）。
【０４１２】
次に、無線端末装置２０２は、無線基地局装置１０１ＢからＲＲＣコネクション再構成指示を受信して、保持しておいたＥＣＧＩおよびＣ−ＲＮＴＩをハンドオーバ先の無線基地局装置へ送信する（ステップＳ３０９）、すなわち、これらの情報を示すＰｉｎｇＰｏｎｇレポートをＲＲＣコネクション再構成完了通知に含めて無線基地局装置１０１Ａへ送信する（ステップＳ３１０）。
【０４１３】
次に、無線基地局装置１０１Ａは、無線端末装置２０２からＲＲＣコネクション再構成完了通知を受信して、スタートさせておいたタイマの確認、ならびに当該ＲＲＣコネクション再構成完了通知に含まれるＰｉｎｇＰｏｎｇレポートの示すＥＣＧＩと自己のＥＣＧＩとの比較、およびＰｉｎｇＰｏｎｇレポートの示すＣ−ＲＮＴＩと自己が付与したＣ−ＲＮＴＩとの比較を行なう。無線基地局装置１０１Ａは、当該タイマの値が所定の閾値未満であり、かつ両ＥＣＧＩおよび両Ｃ−ＲＮＴＩがそれぞれ一致する場合には、ハンドオーバレポートを作成する（ステップＳ３１１）。このハンドオーバレポートには、たとえば、上記タイマの値、およびＰｉｎｇＰｏｎｇレポートの要因となったハンドオーバ動作におけるハンドオーバ元の無線基地局装置１０１ＢのＥＣＧＩおよびハンドオーバ先の無線基地局装置１０１ＡのＥＣＧＩが含まれる。なお、ハンドオーバレポートの送信先の無線基地局装置において別途取得可能な情報は含まなくてもよい。
【０４１４】
次に、無線基地局装置１０１Ａは、作成したハンドオーバレポートをＸ２インタフェース経由で無線基地局装置１０１Ｂへ送信する（ステップＳ３１２）。
【０４１５】
次に、無線基地局装置１０１Ｂは、無線基地局装置１０１Ａからハンドオーバレポートを受信して、当該ハンドオーバレポートの内容を解析し、セルＣＡおよびセルＣＢ間の”Ｐｉｎｇ  Ｐｏｎｇ  ＨＯ”を検出する。より詳細には、無線基地局装置１０１Ｂは、ハンドオーバレポートにおいて、たとえばハンドオーバ元の無線基地局装置のＥＣＧＩが自己のＥＣＧＩと一致し、かつハンドオーバ先の無線基地局装置のＥＣＧＩがハンドオーバレポートの通知元の無線基地局装置のＥＣＧＩと一致することから、無線端末装置２０２による無線基地局装置１０１Ａおよび無線基地局装置１０１Ｂ間のハンドオーバは”Ｐｉｎｇ  Ｐｏｎｇ  ＨＯ”であったと判断する（ステップＳ３１３）。
【０４１６】
次に、無線基地局装置１０１Ｂは、たとえばハンドオーバ動作のパラメータを確認し、自己から無線基地局装置１０１Ａへのハンドオーバ動作のタイミングが十分に遅いか否かを判断する（ステップＳ３１４）。
【０４１７】
すなわち、無線基地局装置１０１Ｂは、ハンドオーバ動作のタイミングがそれほど遅くなく、パラメータ変更が可能である場合には（ステップＳ３１４でＮＯ）、自己から無線基地局装置１０１Ａへのハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ３１５）。なお、無線基地局装置１０１Ｂは、自己から他の無線基地局装置へのハンドオーバ動作のタイミングを全体的に遅くしてもよいし、自己から無線基地局装置１０１Ａへのハンドオーバ動作のタイミングを選択的に遅くしてもよい。
【０４１８】
一方、無線基地局装置１０１Ｂは、ハンドオーバ動作のタイミングが十分に遅く、パラメータ変更を行なわない方が良いと判断した場合には（ステップＳ３１４でＹＥＳ）、ハンドオーバパラメータ通知を無線基地局装置１０１Ａへ送信する（ステップＳ３１６）。このハンドオーバパラメータ通知には、たとえば、ヒステリシスＨＳ、ＴＴＴおよびオフセットＯＳＴ等の自己の設定値が含まれる。
【０４１９】
次に、無線基地局装置１０１Ａは、無線基地局装置１０１Ｂからハンドオーバパラメータ通知を受信して、当該ハンドオーバパラメータ通知の示す設定値に基づき、自己から無線基地局装置１０１Ｂへのハンドオーバ動作のタイミングが遅くなるようにパラメータを設定する（ステップＳ３１７）。なお、無線基地局装置１０１Ａは、自己から他の無線基地局装置へのハンドオーバ動作のタイミングを全体的に遅くしてもよいし、自己から無線基地局装置１０１Ｂへのハンドオーバ動作のタイミングを選択的に遅くしてもよい。
【０４２０】
また、無線基地局装置１０１Ａは、当該タイマの値が所定の閾値を超えると、保持した無線端末装置２０２に関する情報を解放する（ステップＳ３０８）。
【０４２１】
また、無線端末装置２０２は、ＥＣＧＩおよびＣ−ＲＮＴＩを無線基地局装置に通知した場合、または自己の無線基地局装置１０１Ｂへのハンドオーバ動作のタイミングから所定時間経過後、保持したＥＣＧＩおよびＣ−ＲＮＴＩを消去する（ステップＳ３１８）。
【０４２２】
このように、図２３に示す例では、無線基地局装置１０１Ａは、無線端末装置２０２による自己から無線基地局装置１０１Ｂへのハンドオーバ動作が行なわれてから所定時間内に、無線端末装置２０２による無線基地局装置１０１Ｂから自己へのハンドオーバ動作が行なわれた事象を検知する。そして、無線基地局装置１０１Ａは、上記事象を検知した場合には、所定情報を無線基地局装置１０１Ｂへ送信する。
【０４２３】
無線基地局装置１０１Ｂは、無線基地局装置１０１Ａから受信した所定情報に基づいて、無線端末装置２０２による自己から無線基地局装置１０１Ａへのハンドオーバ動作のタイミングが遅くなるように制御する。
【０４２４】
より詳細には、たとえば、無線基地局装置１０１Ａは、上記事象を検知した場合には、無線端末装置２０２のハンドオーバ動作に関する情報であるハンドオーバ動作情報を所定情報として無線基地局装置１０１Ｂへ送信する。
【０４２５】
無線基地局装置１０１Ｂは、無線基地局装置１０１Ａから受信したハンドオーバ動作情報に基づいて、自己から無線基地局装置１０１Ａへの無線端末装置２０２によるハンドオーバ動作が不適切であったか否かを判断する。そして、無線基地局装置１０１Ｂは、不適切であったと判断した場合には、無線端末装置２０２による自己から無線基地局装置１０１Ａへのハンドオーバ動作のタイミングが遅くなるように制御する。
【０４２６】
このハンドオーバ動作情報の内容として、たとえば、無線基地局装置１０１Ａは、無線端末装置２０２による自己から無線基地局装置１０１Ｂへのハンドオーバ動作が行なわれてから、無線端末装置２０２による無線基地局装置１０１Ｂから無線基地局装置１０１Ｂ以外の無線基地局装置へのハンドオーバ動作が行なわれるまでの時間、ならびに無線端末装置２０２による無線基地局装置１０１Ｂから無線基地局装置１０１Ｂ以外の無線基地局装置へのハンドオーバ動作におけるハンドオーバ元およびハンドオーバ先の無線基地局装置の識別情報、のうちの少なくともいずれか１つをハンドオーバ動作情報に含める。
【０４２７】
また、無線基地局装置１０１Ｂは、さらに、自己から無線基地局装置１０１Ａへの無線端末装置２０２によるハンドオーバ動作が不適切であったと判断した場合には、無線端末装置２０２による自己から無線基地局装置１０１Ａへのハンドオーバ動作のタイミングを制御するか否かを判断する。そして、無線基地局装置１０１Ｂは、当該ハンドオーバ動作のタイミングを制御しないと判断した場合には、不制御情報すなわちハンドオーバパラメータ通知を無線基地局装置１０１Ａへ送信する。
【０４２８】
無線基地局装置１０１Ａは、無線基地局装置１０１Ｂから受信したハンドオーバパラメータ通知に基づいて、無線端末装置２０２による自己から無線基地局装置１０１Ｂへのハンドオーバ動作のタイミングが遅くなるように制御する。
【０４２９】
より詳細には、ハンドオーバパラメータ通知は、無線基地局装置１０１Ｂが無線端末装置２０２による自己から他の無線基地局装置へのハンドオーバ動作のタイミングを制御するための設定値を含む。
【０４３０】
無線基地局装置１０１Ａは、無線基地局装置１０１Ｂから受信した上記設定値に基づいて、無線端末装置２０２による自己から無線基地局装置１０１Ｂへのハンドオーバ動作のタイミングが遅くなるように制御する。
【０４３１】
なお、無線基地局装置１０１Ａは、無線端末装置２０２における各無線基地局装置からの無線信号の受信電力の測定結果を示す受信電力情報を単独またはハンドオーバレポートと合わせて所定情報として無線基地局装置１０１Ｂへ送信する構成であってもよい。
【０４３２】
具体的には、たとえば、無線基地局装置１０１Ｂは、受信電力情報において無線基地局装置１０１Ａからの無線信号の受信電力が所定値未満の場合には、自己を通信先として無線端末装置２０２に選択させた方が良いと判断し、自己から無線基地局装置１０１Ａへの無線端末装置２０２によるハンドオーバ動作のタイミングが遅くなるように制御する。一方、無線基地局装置１０１Ｂは、受信電力情報において無線基地局装置１０１Ａからの無線信号の受信電力が所定値以上の場合には、無線基地局装置１０１Ａを通信先として無線端末装置２０２に選択させた方が良いと判断し、上記ハンドオーバ動作のタイミングを遅らせる制御を行なわない。
【０４３３】
図２４は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４３４】
図２４を参照して、ステップＳ３３１〜Ｓ３４０の動作は、図２３に示すステップＳ３０１〜Ｓ３１０の動作と同様である。
【０４３５】
次に、無線基地局装置１０１Ａは、無線端末装置２０２からＲＲＣコネクション再構成完了通知を受信して、スタートさせておいたタイマの確認、ならびに当該ＲＲＣコネクション再構成完了通知に含まれるＰｉｎｇＰｏｎｇレポートの示すＥＣＧＩと自己のＥＣＧＩとの比較、およびＰｉｎｇＰｏｎｇレポートの示すＣ−ＲＮＴＩと自己が付与したＣ−ＲＮＴＩとの比較を行なう。無線基地局装置１０１Ａは、当該タイマの値が所定の閾値未満であり、かつ両ＥＣＧＩおよび両Ｃ−ＲＮＴＩがそれぞれ一致する場合には、セルＣＡおよびセルＣＢ間の”Ｐｉｎｇ  Ｐｏｎｇ  ＨＯ”を検出する。すなわち、無線基地局装置１０１Ａは、無線端末装置２０２による無線基地局装置１０１Ａおよび無線基地局装置１０１Ｂ間のハンドオーバは”Ｐｉｎｇ  Ｐｏｎｇ  ＨＯ”であったと判断する（ステップＳ３４１）。
【０４３６】
次に、無線基地局装置１０１Ａは、”Ｐｉｎｇ  Ｐｏｎｇ  ＨＯ”であったと判断すると、ＰｉｎｇＰｏｎｇ発生通知をＸ２インタフェース経由で無線基地局装置１０１Ｂへ送信する（ステップＳ３４２）。なお、無線基地局装置１０１Ａは、ＰｉｎｇＰｏｎｇ発生通知と合わせて前述のハンドオーバレポートまたは受信電力情報を無線基地局装置１０１Ｂへ送信してもよい。
【０４３７】
次に、無線基地局装置１０１Ｂは、無線基地局装置１０１ＡからＰｉｎｇＰｏｎｇ発生通知を受信して、たとえばハンドオーバ動作のパラメータを確認し、自己から無線基地局装置１０１Ａへのハンドオーバ動作のタイミングが十分に遅いか否かを判断する（ステップＳ３４３）。
【０４３８】
すなわち、無線基地局装置１０１Ｂは、ハンドオーバ動作のタイミングがそれほど遅くなく、パラメータ変更が可能である場合には（ステップＳ３４３でＮＯ）、自己から無線基地局装置１０１Ａへのハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ３４４）。なお、無線基地局装置１０１Ｂは、自己から他の無線基地局装置へのハンドオーバ動作のタイミングを全体的に遅くしてもよいし、自己から無線基地局装置１０１Ａへのハンドオーバ動作のタイミングを選択的に遅くしてもよい。
【０４３９】
一方、無線基地局装置１０１Ｂは、ハンドオーバ動作のタイミングが十分に遅く、パラメータ変更を行なわない方が良いと判断した場合には（ステップＳ３４３でＹＥＳ）、ハンドオーバパラメータ通知を無線基地局装置１０１Ａへ送信する（ステップＳ３４５）。このハンドオーバパラメータ通知には、たとえば、ヒステリシスＨＳ、ＴＴＴおよびオフセットＯＳＴ等の自己の設定値が含まれる。
【０４４０】
次に、無線基地局装置１０１Ａは、無線基地局装置１０１Ｂからハンドオーバパラメータ通知を受信して、当該ハンドオーバパラメータ通知の示す設定値に基づき、自己から無線基地局装置１０１Ｂへのハンドオーバ動作のタイミングが遅くなるようにパラメータを設定する（ステップＳ３４６）。なお、無線基地局装置１０１Ａは、自己から他の無線基地局装置へのハンドオーバ動作のタイミングを全体的に遅くしてもよいし、自己から無線基地局装置１０１Ｂへのハンドオーバ動作のタイミングを選択的に遅くしてもよい。
【０４４１】
また、無線基地局装置１０１Ａは、当該タイマの値が所定の閾値を超えると、保持した無線端末装置２０２に関する情報を解放する（ステップＳ３３８）。
【０４４２】
また、無線端末装置２０２は、ＥＣＧＩおよびＣ−ＲＮＴＩを無線基地局装置に通知した場合、または自己の無線基地局装置１０１Ｂへのハンドオーバ動作のタイミングから所定時間経過後、保持したＥＣＧＩおよびＣ−ＲＮＴＩを消去する（ステップＳ３４７）。
【０４４３】
このように、図２４に示す例では、無線基地局装置１０１Ａは、無線端末装置２０２による自己から無線基地局装置１０１Ｂへのハンドオーバ動作が行なわれてから所定時間内に、無線端末装置２０２による無線基地局装置１０１Ｂから自己へのハンドオーバ動作が行なわれた事象を検知する。
【０４４４】
無線基地局装置１０１Ａは、上記事象を検知した場合には、自己から無線基地局装置１０１Ｂへの無線端末装置２０２によるハンドオーバ動作が不適切であったか否かを判断する。そして、無線基地局装置１０１Ａは、不適切であったと判断した場合には、無線基地局装置１０１Ｂから無線基地局装置１０１Ａへの無線端末装置２０２によるハンドオーバ動作のタイミングを制御する指示すなわちＰｉｎｇＰｏｎｇ発生通知を所定情報として無線基地局装置１０１Ｂへ送信する。
【０４４５】
無線基地局装置１０１Ｂは、無線基地局装置１０１Ａから上記指示を受信して、無線端末装置２０２による自己から無線基地局装置１０１Ａへのハンドオーバ動作のタイミングが遅くなるように制御する。
【０４４６】
また、無線基地局装置１０１Ｂは、さらに、無線基地局装置１０１Ａから上記指示を受信した場合には、無線端末装置２０２による自己から無線基地局装置１０１Ａへのハンドオーバ動作のタイミングを制御するか否かを判断する。そして、無線基地局装置１０１Ｂは、当該ハンドオーバ動作のタイミングを制御しないと判断した場合には、不制御情報すなわちハンドオーバパラメータ通知を無線基地局装置１０１Ａへ送信する。
【０４４７】
無線基地局装置１０１Ａは、無線基地局装置１０１Ｂから受信したハンドオーバパラメータ通知に基づいて、無線端末装置２０２による自己から無線基地局装置１０１Ｂへのハンドオーバ動作のタイミングを制御する。
【０４４８】
図２５は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４４９】
図２５を参照して、ステップＳ３６１〜Ｓ３７０の動作は、図２３に示すステップＳ３０１〜Ｓ３１０の動作と同様である。
【０４５０】
次に、無線基地局装置１０１Ａは、無線端末装置２０２からＲＲＣコネクション再構成完了通知を受信して、スタートさせておいたタイマの確認、ならびに当該ＲＲＣコネクション再構成完了通知に含まれるＰｉｎｇＰｏｎｇレポートの示すＥＣＧＩと自己のＥＣＧＩとの比較、およびＰｉｎｇＰｏｎｇレポートの示すＣ−ＲＮＴＩと自己が付与したＣ−ＲＮＴＩとの比較を行なう。無線基地局装置１０１Ａは、当該タイマの値が所定の閾値未満であり、かつ両ＥＣＧＩおよび両Ｃ−ＲＮＴＩがそれぞれ一致する場合には、セルＣＡおよびセルＣＢ間の”Ｐｉｎｇ  Ｐｏｎｇ  ＨＯ”を検出する。すなわち、無線基地局装置１０１Ａは、無線端末装置２０２による無線基地局装置１０１Ａおよび無線基地局装置１０１Ｂ間のハンドオーバは”Ｐｉｎｇ  Ｐｏｎｇ  ＨＯ”であったと判断する（ステップＳ３７１）。
【０４５１】
次に、無線基地局装置１０１Ａは、”Ｐｉｎｇ  Ｐｏｎｇ  ＨＯ”であったと判断すると、たとえばハンドオーバ動作のパラメータを確認し、自己から無線基地局装置１０１Ｂへのハンドオーバ動作のタイミングが十分に遅いか否かを判断する（ステップＳ３７２）。
【０４５２】
すなわち、無線基地局装置１０１Ａは、ハンドオーバ動作のタイミングがそれほど遅くなく、パラメータ変更が可能である場合には（ステップＳ３７２でＮＯ）、自己から無線基地局装置１０１Ｂへのハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ３７３）。なお、無線基地局装置１０１Ａは、自己から他の無線基地局装置へのハンドオーバ動作のタイミングを全体的に遅くしてもよいし、自己から無線基地局装置１０１Ｂへのハンドオーバ動作のタイミングを選択的に遅くしてもよい。
【０４５３】
一方、無線基地局装置１０１Ａは、ハンドオーバ動作のタイミングが十分に遅く、パラメータ変更を行なわない方が良いと判断した場合には（ステップＳ３７２でＹＥＳ）、ＰｉｎｇＰｏｎｇ発生通知を無線基地局装置１０１Ｂへ送信する（ステップＳ３７４）。
【０４５４】
次に、無線基地局装置１０１Ｂは、無線基地局装置１０１ＡからＰｉｎｇＰｏｎｇ発生通知を受信して、ハンドオーバ動作のタイミングが遅くなるようにパラメータを設定する（ステップＳ３７５）。なお、無線基地局装置１０１Ａは、自己から他の無線基地局装置へのハンドオーバ動作のタイミングを全体的に遅くしてもよいし、自己から無線基地局装置１０１Ａへのハンドオーバ動作のタイミングを選択的に遅くしてもよい。
【０４５５】
また、無線基地局装置１０１Ａは、当該タイマの値が所定の閾値を超えると、保持した無線端末装置２０２に関する情報を解放する（ステップＳ３６８）。
【０４５６】
また、無線端末装置２０２は、ＥＣＧＩおよびＣ−ＲＮＴＩを無線基地局装置に通知した場合、または自己の無線基地局装置１０１Ｂへのハンドオーバ動作のタイミングから所定時間経過後、保持したＥＣＧＩおよびＣ−ＲＮＴＩを消去する（ステップＳ３７６）。
【０４５７】
このように、図２５に示す例では、無線基地局装置１０１Ａは、無線端末装置２０２による自己から無線基地局装置１０１Ｂへのハンドオーバ動作が行なわれてから所定時間内に、無線端末装置２０２による無線基地局装置１０１Ｂから自己へのハンドオーバ動作が行なわれた事象を検知する。
【０４５８】
無線基地局装置１０１Ａは、上記事象を検知した場合には、自己から無線基地局装置１０１Ｂへの無線端末装置２０２によるハンドオーバ動作が不適切であったか否かを判断する。そして、無線基地局装置１０１Ａは、不適切であったと判断した場合には、無線端末装置２０２による自己から無線基地局装置１０１Ｂへのハンドオーバ動作のタイミングを制御するか否かを判断し、制御しないと判断した場合には、所定情報すなわちＰｉｎｇＰｏｎｇ発生通知を無線基地局装置１０１Ｂへ送信する。
【０４５９】
無線基地局装置１０１Ｂは、無線基地局装置１０１Ａから受信した所定情報に基づいて、無線端末装置２０２による自己から無線基地局装置１０１Ａへのハンドオーバ動作のタイミングが遅くなるように制御する。
【０４６０】
なお、無線基地局装置１０１Ａは、図２３に示す例と同様に、無線端末装置２０２のハンドオーバ動作に関する情報であるハンドオーバ動作情報すなわちハンドオーバレポートを所定情報として無線基地局装置１０１Ｂへ送信する構成であってもよい。
【０４６１】
また、無線基地局装置１０１Ａは、図２３に示す例と同様に、無線端末装置２０２における各無線基地局装置からの無線信号の受信電力の測定結果を示す受信電力情報を単独またはＰｉｎｇＰｏｎｇ発生通知と合わせて所定情報として無線基地局装置１０１Ｂへ送信する構成であってもよい。
【０４６２】
［ＨＯ  ｔｏ  Ｗｒｏｎｇ  Ｃｅｌｌの検出処理］
ここでは、本発明の第１の実施の形態に係る無線基地局装置が”ＨＯ  ｔｏ  Ｗｒｏｎｇ  Ｃｅｌｌ”の検出処理を行なう際の動作について詳細に説明する。
【０４６３】
図２６は、本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【０４６４】
図２６を参照して、まず、図２に示すハンドオーバ動作と同様に、無線基地局装置１０１Ａは、無線基地局装置１０１Ｂをハンドオーバ先として決定し、ハンドオーバ要求をＸ２インタフェース経由で無線基地局装置１０１Ｂへ送信する（ステップＳ４０１）。
【０４６５】
次に、無線基地局装置１０１Ｂは、無線基地局装置１０１Ａからハンドオーバ要求を受信して、当該ハンドオーバ要求の示す無線基地局装置１０１ＡのＥＣＧＩを保持するとともに（ステップＳ４０２）、当該ハンドオーバ要求に対するハンドオーバ応答をＸ２インタフェース経由で無線基地局装置１０１Ａへ送信する（ステップＳ４０３）。
【０４６６】
次に、無線基地局装置１０１Ａは、無線基地局装置１０１Ｂからハンドオーバ応答を受信して、無線基地局装置１０１Ｂへのハンドオーバ指示を含むＲＲＣコネクション再構成指示を無線端末装置２０２へ送信する（ステップＳ４０４）。
【０４６７】
次に、無線端末装置２０２および無線基地局装置１０１Ｂ間でＲＲＣコネクションが確立されると、無線端末装置２０２は、無線基地局装置１０１Ｂへハンドオーバ完了通知を含むＲＲＣコネクション再構成完了通知を送信する（ステップＳ４０５）。
【０４６８】
次に、無線基地局装置１０１Ｂは、無線端末装置２０２からＲＲＣコネクション再構成完了通知を受信して、端末情報解放指示を無線基地局装置１０１Ａへ送信する。そして、無線基地局装置１０１Ａは、無線基地局装置１０１Ｂから端末情報解放指示を受信して、無線端末装置２０２に関する情報を解放する（ステップＳ４０６）。
【０４６９】
次に、無線基地局装置１０１Ｂは、無線端末装置２０２のセルＣＢにおける滞在時間を計測するために、タイマをスタートさせる（ステップＳ４０７）。
【０４７０】
その後、無線基地局装置１０１Ｂは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｃをハンドオーバ先として決定する（ステップＳ４０８）。
【０４７１】
次に、無線基地局装置１０１Ｂは、ハンドオーバ要求をＸ２インタフェース経由で無線基地局装置１０１Ｃへ送信する（ステップＳ４０９）。
【０４７２】
次に、無線基地局装置１０１Ｃは、無線基地局装置１０１Ｂからハンドオーバ要求を受信して、当該ハンドオーバ要求に対するハンドオーバ応答をＸ２インタフェース経由で無線基地局装置１０１Ｂへ送信する（ステップＳ４１０）。
【０４７３】
次に、無線基地局装置１０１Ｂは、無線基地局装置１０１Ｃからハンドオーバ応答を受信して、無線基地局装置１０１Ｃへのハンドオーバ指示を含むＲＲＣコネクション再構成指示を無線端末装置２０２へ送信する（ステップＳ４１１）。
【０４７４】
次に、無線端末装置２０２および無線基地局装置１０１Ｃ間でＲＲＣコネクションが確立されると、無線端末装置２０２は、無線基地局装置１０１Ｃへハンドオーバ完了通知を含むＲＲＣコネクション再構成完了通知を送信する（ステップＳ４１２）。
【０４７５】
次に、無線基地局装置１０１Ｃは、無線端末装置２０２からＲＲＣコネクション再構成完了通知を受信して、端末情報解放指示を無線基地局装置１０１Ｂへ送信する。そして、無線基地局装置１０１Ｂは、無線基地局装置１０１Ｃから端末情報解放指示を受信して、無線端末装置２０２に関する情報を解放する（ステップＳ４１３）。
【０４７６】
次に、無線基地局装置１０１Ｂは、スタートさせておいたタイマの確認を行なう。無線基地局装置１０１Ｂは、当該タイマの値が所定値以下である場合には、ハンドオーバレポートを作成する（ステップＳ４１４）。このハンドオーバレポートには、たとえば、上記タイマの値、無線基地局装置１０１Ｂが保持していた前回のハンドオーバ元の無線基地局装置１０１ＡのＥＣＧＩ、および今回のハンドオーバ先の無線基地局装置１０１ＣのＥＣＧＩが含まれる。なお、ハンドオーバレポートの送信先の無線基地局装置において別途取得可能な情報は含まなくてもよい。
【０４７７】
次に、無線基地局装置１０１Ｂは、作成したハンドオーバレポートをＸ２インタフェース経由で無線基地局装置１０１Ａへ送信する（ステップＳ４１５）。
【０４７８】
なお、無線基地局装置１０１Ｂは、無線基地局装置１０１Ａをハンドオーバ先として決定した後であれば（ステップＳ４０８）、上記タイマの確認およびハンドオーバレポートの送信を行なうことが可能である。
【０４７９】
次に、無線基地局装置１０１Ａは、無線基地局装置１０１Ｂからハンドオーバレポートを受信して、当該ハンドオーバレポートの内容を解析し、セルＣＡからセルＣＢへの”ＨＯ  ｔｏ  Ｗｒｏｎｇ  Ｃｅｌｌ”を検出する、すなわち、無線基地局装置１０１Ａは、無線端末装置２０２による無線基地局装置１０１Ａから無線基地局装置１０１Ｂへのハンドオーバは”ＨＯ  ｔｏ  Ｗｒｏｎｇ  Ｃｅｌｌ”であったと判断する。より詳細には、無線基地局装置１０１Ａは、ハンドオーバレポートにおいて、たとえばタイマの値が所定値以下であり、無線基地局装置１０１Ｂが保持していた前回のハンドオーバ元の無線基地局装置のＥＣＧＩが自己のＥＣＧＩと一致し、かつ今回のハンドオーバ先の無線基地局装置のＥＣＧＩが自己のＥＣＧＩと一致しないことから、無線端末装置２０２による無線基地局装置１０１Ａから無線基地局装置１０１Ｂへのハンドオーバは”ＨＯ  ｔｏ  Ｗｒｏｎｇ  Ｃｅｌｌ”であったと判断する（ステップＳ４１６）。
【０４８０】
次に、無線基地局装置１０１Ａは、たとえばハンドオーバ動作のパラメータを確認し、自己から無線基地局装置１０１Ｂへのハンドオーバ動作のタイミングが十分に遅いか否か、および自己から無線基地局装置１０１Ｃへのハンドオーバ動作のタイミングが十分に早いか否かを判断する（ステップＳ４１７）。
【０４８１】
すなわち、無線基地局装置１０１Ａは、自己から無線基地局装置１０１Ｂへのハンドオーバ動作のタイミングがそれほど遅くないか、あるいは自己から無線基地局装置１０１Ｃへのハンドオーバ動作のタイミングがそれほど早くなく、パラメータ変更が可能である場合には（ステップＳ４１７でＮＯ）、自己から無線基地局装置１０１Ｂへのハンドオーバ動作のタイミングが遅くなるか、あるいは自己から無線基地局装置１０１Ｃへのハンドオーバ動作のタイミングが早くなるようにパラメータを設定する（ステップＳ４１８）。なお、無線基地局装置１０１Ａは、これらのパラメータ設定を両方行ってもよい。
【０４８２】
一方、無線基地局装置１０１Ａは、自己から無線基地局装置１０１Ｂへのハンドオーバ動作のタイミングが十分に遅く、かつ自己から無線基地局装置１０１Ｃへのハンドオーバ動作のタイミングが十分に早く、パラメータ変更を行なわない方が良いと判断した場合には（ステップＳ４１７でＹＥＳ）、ハンドオーバパラメータ通知を無線基地局装置１０１Ｂへ送信する（ステップＳ４１９）。このハンドオーバパラメータ通知には、たとえば、ヒステリシスＨＳ、ＴＴＴおよびオフセットＯＳＴ等の自己の設定値が含まれる。
【０４８３】
次に、無線基地局装置１０１Ｂは、無線基地局装置１０１Ａからハンドオーバパラメータ通知を受信して、当該ハンドオーバパラメータ通知の示す設定値に基づき、自己から無線基地局装置１０１Ｃへのハンドオーバ動作のタイミングが遅くなるようにパラメータを設定する（ステップＳ４２０）。なお、無線基地局装置１０１Ｂは、自己から他の無線基地局装置へのハンドオーバ動作のタイミングを全体的に遅くしてもよいし、自己から無線基地局装置１０１Ｃへのハンドオーバ動作のタイミングを選択的に遅くしてもよい。
【０４８４】
このように、図２６に示す例では、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ｃへのハンドオーバ動作が行なわれた事象を検知する。そして、無線基地局装置１０１Ｂは、上記事象を検知した場合には、所定情報を無線基地局装置１０１Ａへ送信する。
【０４８５】
無線基地局装置１０１Ａは、無線基地局装置１０１Ｂから受信した所定情報に基づいて、無線端末装置２０２による自己から無線基地局装置１０１Ｂへのハンドオーバ動作のタイミングが遅くなるように制御するか、または無線端末装置２０２による自己から無線基地局装置１０１Ｃへのハンドオーバ動作のタイミングが早くなるように制御する。
【０４８６】
より詳細には、たとえば、無線基地局装置１０１Ｂは、上記事象を検知した場合には、無線端末装置２０２のハンドオーバ動作に関する情報であるハンドオーバ動作情報すなわちハンドオーバレポートを所定情報として無線基地局装置１０１Ａへ送信する。
【０４８７】
無線基地局装置１０１Ａは、無線基地局装置１０１Ｂから受信したハンドオーバ動作情報に基づいて、自己から無線基地局装置１０１Ｂへの無線端末装置２０２によるハンドオーバ動作が不適切であったか否かを判断する。そして、無線基地局装置１０１Ａは、不適切であったと判断した場合には、無線端末装置２０２による自己から無線基地局装置１０１Ｂまたは無線基地局装置１０１Ｃへのハンドオーバ動作のタイミングを制御する。
【０４８８】
このハンドオーバ動作情報の内容として、たとえば、無線基地局装置１０１Ｂは、無線端末装置２０２による自己へのハンドオーバ動作が行なわれてから、無線端末装置２０２による自己から他の無線基地局装置へのハンドオーバ動作が行なわれるまでの時間、無線端末装置２０２による自己へのハンドオーバ動作におけるハンドオーバ元の無線基地局装置の識別情報、および無線端末装置２０２による自己から他の無線基地局装置へのハンドオーバ動作におけるハンドオーバ先の無線基地局装置の識別情報のうちの少なくともいずれか１つをハンドオーバ動作情報に含める。
【０４８９】
また、無線基地局装置１０１Ａは、さらに、自己から無線基地局装置１０１Ｂへの無線端末装置２０２によるハンドオーバ動作が不適切であったと判断した場合には、無線端末装置２０２による自己から無線基地局装置１０１Ｂまたは無線基地局装置１０１Ｃへのハンドオーバ動作のタイミングを制御するか否かを判断する。そして、無線基地局装置１０１Ａは、当該ハンドオーバ動作のタイミングを制御しないと判断した場合には、不制御情報すなわちハンドオーバパラメータ通知を無線基地局装置１０１Ｂへ送信する。
【０４９０】
無線基地局装置１０１Ｂは、無線基地局装置１０１Ａから受信したハンドオーバパラメータ通知に基づいて、無線端末装置２０２による自己から無線基地局装置１０１Ｃへのハンドオーバ動作のタイミングが遅くなるように制御する。
【０４９１】
より詳細には、ハンドオーバパラメータ通知は、無線基地局装置１０１Ａが無線端末装置２０２による自己から他の無線基地局装置へのハンドオーバ動作のタイミングを制御するための設定値を含む。
【０４９２】
無線基地局装置１０１Ｂは、無線基地局装置１０１Ａから受信した上記設定値に基づいて、無線端末装置２０２による自己から無線基地局装置１０１Ｃへのハンドオーバ動作のタイミングが遅くなるように制御する。
【０４９３】
なお、無線基地局装置１０１Ｂは、無線端末装置２０２における各無線基地局装置からの無線信号の受信電力の測定結果を示す受信電力情報を単独またはハンドオーバレポートと合わせて所定情報として無線基地局装置１０１Ａへ送信する構成であってもよい。
【０４９４】
具体的には、たとえば、無線基地局装置１０１Ａは、受信電力情報において無線基地局装置１０１Ｂからの無線信号の受信電力が所定値未満の場合には、自己から無線基地局装置１０１Ｂへの無線端末装置２０２によるハンドオーバ動作のタイミングが遅くなるように制御する。一方、無線基地局装置１０１Ａは、受信電力情報において無線基地局装置１０１Ｂからの無線信号の受信電力が所定値以上の場合には、上記ハンドオーバ動作のタイミングを遅らせる制御を行なわない。
【０４９５】
図２７は、本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【０４９６】
図２７を参照して、ステップＳ４３１〜Ｓ４４３の動作は、図２６に示すステップＳ４０１〜Ｓ４１３の動作と同様である。
【０４９７】
次に、無線基地局装置１０１Ｂは、スタートさせておいたタイマの確認等を行なうことにより、”ＨＯ  ｔｏ  Ｗｒｏｎｇ  Ｃｅｌｌ”を検出する。より詳細には、無線基地局装置１０１Ｂは、当該タイマの値が所定値以下であり、かつ無線基地局装置１０１Ｃから受信したハンドオーバ応答の示す無線基地局装置１０１ＣのＥＣＧＩと保持しておいたＥＣＧＩとが一致しないことから、無線端末装置２０２による無線基地局装置１０１Ａから無線基地局装置１０１Ｂへのハンドオーバは”ＨＯ  ｔｏ  Ｗｒｏｎｇ  Ｃｅｌｌ”であったと判断する（ステップＳ４４４）。
【０４９８】
次に、無線基地局装置１０１Ｂは、”ＨＯ  ｔｏ  Ｗｒｏｎｇ  Ｃｅｌｌ”であったと判断すると、ＷｒｏｎｇＣｅｌｌ発生通知をＸ２インタフェース経由で無線基地局装置１０１Ａへ送信する（ステップＳ４４５）。なお、無線基地局装置１０１Ｂは、ＷｒｏｎｇＣｅｌｌ発生通知と合わせて前述のハンドオーバレポートまたは受信電力情報を無線基地局装置１０１Ａへ送信してもよい。
【０４９９】
また、無線基地局装置１０１Ｂは、無線基地局装置１０１Ａをハンドオーバ先として決定した後であれば（ステップＳ４３８）、上記タイマの確認およびＷｒｏｎｇＣｅｌｌ発生通知の送信を行なうことが可能である。
【０５００】
次に、無線基地局装置１０１Ａは、無線基地局装置１０１ＢからＷｒｏｎｇＣｅｌｌ発生通知を受信して、たとえばハンドオーバ動作のパラメータを確認し、自己から無線基地局装置１０１Ｂへのハンドオーバ動作のタイミングが十分に遅いか否か、および自己から無線基地局装置１０１Ｃへのハンドオーバ動作のタイミングが十分に早いか否かを判断する（ステップＳ４４６）。
【０５０１】
すなわち、無線基地局装置１０１Ａは、自己から無線基地局装置１０１Ｂへのハンドオーバ動作のタイミングがそれほど遅くないか、あるいは自己から無線基地局装置１０１Ｃへのハンドオーバ動作のタイミングがそれほど早くなく、パラメータ変更が可能である場合には（ステップＳ４４６でＮＯ）、自己から無線基地局装置１０１Ｂへのハンドオーバ動作のタイミングが遅くなるか、あるいは自己から無線基地局装置１０１Ｃへのハンドオーバ動作のタイミングが早くなるようにパラメータを設定する（ステップＳ４４７）。なお、無線基地局装置１０１Ａは、これらのパラメータ設定を両方行ってもよい。
【０５０２】
一方、無線基地局装置１０１Ａは、自己から無線基地局装置１０１Ｂへのハンドオーバ動作のタイミングが十分に遅く、かつ自己から無線基地局装置１０１Ｃへのハンドオーバ動作のタイミングが十分に早く、パラメータ変更を行なわない方が良いと判断した場合には（ステップＳ４４６でＹＥＳ）、ハンドオーバパラメータ通知を無線基地局装置１０１Ｂへ送信する（ステップＳ４４８）。このハンドオーバパラメータ通知には、たとえば、ヒステリシスＨＳ、ＴＴＴおよびオフセットＯＳＴ等の自己の設定値が含まれる。
【０５０３】
次に、無線基地局装置１０１Ｂは、無線基地局装置１０１Ａからハンドオーバパラメータ通知を受信して、当該ハンドオーバパラメータ通知の示す設定値に基づき、自己から無線基地局装置１０１Ｃへのハンドオーバ動作のタイミングが遅くなるようにパラメータを設定する（ステップＳ４４９）。なお、無線基地局装置１０１Ｂは、自己から他の無線基地局装置へのハンドオーバ動作のタイミングを全体的に遅くしてもよいし、自己から無線基地局装置１０１Ｃへのハンドオーバ動作のタイミングを選択的に遅くしてもよい。
【０５０４】
このように、図２７に示す例では、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ｃへのハンドオーバ動作が行なわれた事象を検知する。
【０５０５】
無線基地局装置１０１Ｂは、上記事象を検知した場合には、無線基地局装置１０１Ａから自己への無線端末装置２０２によるハンドオーバ動作が不適切であったか否かを判断する。そして、無線基地局装置１０１Ｂは、不適切であったと判断した場合には、無線基地局装置１０１Ａから無線基地局装置１０１Ｂまたは無線基地局装置１０１Ｃへの無線端末装置２０２によるハンドオーバ動作のタイミングを制御する指示すなわちＷｒｏｎｇＣｅｌｌ発生通知を所定情報として無線基地局装置１０１Ａへ送信する。
【０５０６】
無線基地局装置１０１Ａは、無線基地局装置１０１Ｂから上記指示を受信して、無線端末装置２０２による自己から無線基地局装置１０１Ｂまたは無線基地局装置１０１Ｃへのハンドオーバ動作のタイミングを制御する。
【０５０７】
また、無線基地局装置１０１Ａは、さらに、無線基地局装置１０１Ｂから上記指示を受信した場合には、無線端末装置２０２による自己から無線基地局装置１０１Ｂまたは無線基地局装置１０１Ｃへのハンドオーバ動作のタイミングを制御するか否かを判断する。そして、無線基地局装置１０１Ａは、当該ハンドオーバ動作のタイミングを制御しないと判断した場合には、不制御情報すなわちハンドオーバパラメータ通知を無線基地局装置１０１Ｂへ送信する。
【０５０８】
無線基地局装置１０１Ｂは、無線基地局装置１０１Ａから受信したハンドオーバパラメータ通知に基づいて、無線端末装置２０２による自己から無線基地局装置１０１Ｃへのハンドオーバ動作のタイミングが遅くなるように制御する。
【０５０９】
図２８は、本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【０５１０】
図２８を参照して、ステップＳ４６１〜Ｓ４７３の動作は、図２６に示すステップＳ４０１〜Ｓ４１３の動作と同様である。
【０５１１】
次に、無線基地局装置１０１Ｂは、スタートさせておいたタイマの確認等を行なうことにより、”ＨＯ  ｔｏ  Ｗｒｏｎｇ  Ｃｅｌｌ”を検出する。より詳細には、無線基地局装置１０１Ｂは、当該タイマの値が所定値以下であり、かつ無線基地局装置１０１Ｃから受信したハンドオーバ応答の示す無線基地局装置１０１ＣのＥＣＧＩと保持しておいたＥＣＧＩとが一致しないことから、無線端末装置２０２による無線基地局装置１０１Ａから無線基地局装置１０１Ｂへのハンドオーバは”ＨＯ  ｔｏ  Ｗｒｏｎｇ  Ｃｅｌｌ”であったと判断する（ステップＳ４７４）。
【０５１２】
なお、無線基地局装置１０１Ｂは、無線基地局装置１０１Ａをハンドオーバ先として決定した後であれば（ステップＳ４６８）、上記タイマの確認を行なうことが可能である。
【０５１３】
次に、無線基地局装置１０１Ｂは、”ＨＯ  ｔｏ  Ｗｒｏｎｇ  Ｃｅｌｌ”であったと判断すると、たとえばハンドオーバ動作のパラメータを確認し、自己から無線基地局装置１０１Ｃへのハンドオーバ動作のタイミングが十分に遅いか否かを判断する（ステップＳ４７５）。
【０５１４】
すなわち、無線基地局装置１０１Ｂは、自己から無線基地局装置１０１Ｃへのハンドオーバ動作のタイミングがそれほど遅くなく、パラメータ変更が可能である場合には（ステップＳ４７５でＮＯ）、自己から無線基地局装置１０１Ｃへのハンドオーバ動作のタイミングが遅くなるようにパラメータを設定する（ステップＳ４７６）。なお、無線基地局装置１０１Ｂは、自己から他の無線基地局装置へのハンドオーバ動作のタイミングを全体的に遅くしてもよいし、自己から無線基地局装置１０１Ｃへのハンドオーバ動作のタイミングを選択的に遅くしてもよい。
【０５１５】
一方、無線基地局装置１０１Ｂは、自己から無線基地局装置１０１Ｃへのハンドオーバ動作のタイミングが十分に遅く、パラメータ変更を行なわない方が良いと判断した場合には（ステップＳ４７５でＹＥＳ）、ＷｒｏｎｇＣｅｌｌ発生通知を無線基地局装置１０１Ａへ送信する（ステップＳ４７７）。
【０５１６】
次に、無線基地局装置１０１Ａは、無線基地局装置１０１ＢからＷｒｏｎｇＣｅｌｌ発生通知を受信して、自己から無線基地局装置１０１Ｂへのハンドオーバ動作のタイミングが遅くなるか、あるいは自己から無線基地局装置１０１Ｃへのハンドオーバ動作のタイミングが早くなるようにパラメータを設定する（ステップＳ４７８）。なお、無線基地局装置１０１Ａは、これらのパラメータ設定を両方行ってもよい。
【０５１７】
このように、図２８に示す例では、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ｃへのハンドオーバ動作が行なわれた事象を検知する。
【０５１８】
無線基地局装置１０１Ｂは、上記事象を検知した場合には、無線基地局装置１０１Ａから自己への無線端末装置２０２によるハンドオーバ動作が不適切であったか否かを判断する。そして、無線基地局装置１０１Ｂは、不適切であったと判断した場合には、無線端末装置２０２による自己から無線基地局装置１０１Ｃへのハンドオーバ動作のタイミングを制御するか否かを判断し、制御しないと判断した場合には、所定情報すなわちＷｒｏｎｇＣｅｌｌ発生通知を無線基地局装置１０１Ａへ送信する。
【０５１９】
無線基地局装置１０１Ａは、無線基地局装置１０１Ｂから受信した所定情報に基づいて、無線端末装置２０２による自己から無線基地局装置１０１Ｂまたは無線基地局装置１０１Ｃへのハンドオーバ動作のタイミングを制御する。
【０５２０】
なお、無線基地局装置１０１Ｂは、図２６に示す例と同様に、無線端末装置２０２のハンドオーバ動作に関する情報であるハンドオーバ動作情報すなわちハンドオーバレポートを所定情報として無線基地局装置１０１Ａへ送信する構成であってもよい。
【０５２１】
また、無線基地局装置１０１Ｂは、図２６に示す例と同様に、無線端末装置２０２における各無線基地局装置からの無線信号の受信電力の測定結果を示す受信電力情報を単独またはＷｒｏｎｇＣｅｌｌ発生通知として無線基地局装置１０１Ａへ送信する構成であってもよい。
【０５２２】
図２９は、本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【０５２３】
図２９を参照して、まず、無線端末装置２０２によるハンドオーバ動作が図２６に示すように行なわれたとする。
【０５２４】
無線基地局装置１０１Ａは、たとえば無線端末装置２０２のセルＣＢにおける滞在時間を計測するためのタイマの値が所定値以下であること等を自ら確認するか、または他の装置からの通知によって確認することにより、無線基地局装置１０１Ａから無線基地局装置１０１Ｂへのハンドオーバ動作、および無線基地局装置１０１Ｂから無線基地局装置１０１Ｃへのハンドオーバ動作が短時間に行なわれたことを検出する（ステップＳ５０１）。
【０５２５】
次に、無線基地局装置１０１Ａは、ハンドオーバレポートをＸ２インタフェース経由で無線基地局装置１０１Ｂへ送信する（ステップＳ５０２）。このハンドオーバレポートには、たとえば、上記タイマの値、２回目のハンドオーバ動作におけるハンドオーバ元の無線基地局装置１０１ＢのＥＣＧＩおよびハンドオーバ先の無線基地局装置１０１ＣのＥＣＧＩが含まれる。なお、ハンドオーバレポートの送信先の無線基地局装置において別途取得可能な情報は含まなくてもよい。
【０５２６】
次に、無線基地局装置１０１Ｂは、無線基地局装置１０１Ａからハンドオーバレポートを受信して、当該ハンドオーバレポートの内容を解析し、セルＣＡからセルＣＢへの”ＨＯ  ｔｏ  Ｗｒｏｎｇ  Ｃｅｌｌ”を検出する。より詳細には、無線基地局装置１０１Ｂは、ハンドオーバレポートにおいて、たとえばハンドオーバ元の無線基地局装置のＥＣＧＩが自己のＥＣＧＩと一致し、かつハンドオーバ先の無線基地局装置のＥＣＧＩがハンドオーバレポートの通知元の無線基地局装置のＥＣＧＩと一致しないことから、無線端末装置２０２による無線基地局装置１０１Ａから無線基地局装置１０１Ｂへのハンドオーバは”ＨＯ  ｔｏ  Ｗｒｏｎｇ  Ｃｅｌｌ”であったと判断する（ステップＳ５０３）。
【０５２７】
次に、無線基地局装置１０１Ｂは、たとえばハンドオーバ動作のパラメータを確認し、自己から無線基地局装置１０１Ｃへのハンドオーバ動作のタイミングが十分に遅いか否かを判断する（ステップＳ５０４）。
【０５２８】
すなわち、無線基地局装置１０１Ｂは、自己から無線基地局装置１０１Ｃへのハンドオーバ動作のタイミングがそれほど遅くなく、パラメータ変更が可能である場合には（ステップＳ５０４でＮＯ）、自己から無線基地局装置１０１Ｃへのハンドオーバ動作のタイミングが遅くなるようにパラメータを設定する（ステップＳ５０５）。なお、無線基地局装置１０１Ｂは、自己から他の無線基地局装置へのハンドオーバ動作のタイミングを全体的に遅くしてもよいし、自己から無線基地局装置１０１Ｃへのハンドオーバ動作のタイミングを選択的に遅くしてもよい。
【０５２９】
一方、無線基地局装置１０１Ｂは、自己から無線基地局装置１０１Ｃへのハンドオーバ動作のタイミングが十分に遅く、パラメータ変更を行なわない方が良いと判断した場合には（ステップＳ５０４でＹＥＳ）、ハンドオーバパラメータ通知を無線基地局装置１０１Ａへ送信する（ステップＳ５０６）。
【０５３０】
次に、無線基地局装置１０１Ａは、無線基地局装置１０１Ｂからハンドオーバパラメータ通知を受信して、当該ハンドオーバパラメータ通知の示す設定値に基づき、自己から無線基地局装置１０１Ｂへのハンドオーバ動作のタイミングが遅くなるか、あるいは自己から無線基地局装置１０１Ｃへのハンドオーバ動作のタイミングが早くなるようにパラメータを設定する（ステップＳ５０７）。なお、無線基地局装置１０１Ａは、これらのパラメータ設定を両方行ってもよい。
【０５３１】
このように、図２９に示す例では、無線基地局装置１０１Ａは、無線端末装置２０２による自己から無線基地局装置１０１Ｂへのハンドオーバ動作が行なわれてから所定時間内に、無線端末装置２０２による無線基地局装置１０１Ｂから無線基地局装置１０１Ｃへのハンドオーバ動作が行なわれた事象を検知する。そして、無線基地局装置１０１Ａは、上記事象を検知した場合には、所定情報を無線基地局装置１０１Ｂへ送信する。
【０５３２】
無線基地局装置１０１Ｂは、無線基地局装置１０１Ａから受信した所定情報に基づいて、無線端末装置２０２による自己から無線基地局装置１０１Ｃへのハンドオーバ動作のタイミングが遅くなるように制御する。
【０５３３】
より詳細には、たとえば、無線基地局装置１０１Ａは、上記事象を検知した場合には、無線端末装置２０２のハンドオーバ動作に関する情報であるハンドオーバ動作情報を所定情報として無線基地局装置１０１Ｂへ送信する。
【０５３４】
無線基地局装置１０１Ｂは、無線基地局装置１０１Ａから受信したハンドオーバ動作情報に基づいて、無線基地局装置１０１Ａから自己への無線端末装置２０２によるハンドオーバ動作が不適切であったか否かを判断する。そして、無線基地局装置１０１Ｂは、不適切であったと判断した場合には、無線端末装置２０２による自己から無線基地局装置１０１Ｃへのハンドオーバ動作のタイミングが遅くなるように制御する。
【０５３５】
このハンドオーバ動作情報の内容として、たとえば、無線基地局装置１０１Ａは、無線端末装置２０２による自己から無線基地局装置１０１Ｂへのハンドオーバ動作が行なわれてから、無線端末装置２０２による無線基地局装置１０１Ｂから無線基地局装置１０１Ｂ以外の無線基地局装置へのハンドオーバ動作が行なわれるまでの時間、ならびに無線端末装置２０２による無線基地局装置１０１Ｂから無線基地局装置１０１Ｂ以外の無線基地局装置へのハンドオーバ動作におけるハンドオーバ元およびハンドオーバ先の無線基地局装置の識別情報、のうちの少なくともいずれか１つをハンドオーバ動作情報に含める。
【０５３６】
また、無線基地局装置１０１Ｂは、さらに、無線基地局装置１０１Ａから自己への無線端末装置２０２によるハンドオーバ動作が不適切であったと判断した場合には、無線端末装置２０２による自己から無線基地局装置１０１Ｃへのハンドオーバ動作のタイミングを制御するか否かを判断する。そして、無線基地局装置１０１Ｂは、当該ハンドオーバ動作のタイミングを制御しないと判断した場合には、不制御情報すなわちハンドオーバパラメータ通知を無線基地局装置１０１Ａへ送信する。
【０５３７】
無線基地局装置１０１Ａは、無線基地局装置１０１Ｂから受信したハンドオーバパラメータ通知に基づいて、無線端末装置２０２による自己から無線基地局装置１０１Ｂまたは無線基地局装置１０１Ｃへのハンドオーバ動作のタイミングを制御する。
【０５３８】
より詳細には、ハンドオーバパラメータ通知は、無線基地局装置１０１Ｂが無線端末装置２０２による自己から他の無線基地局装置へのハンドオーバ動作のタイミングを制御するための設定値を含む。
【０５３９】
無線基地局装置１０１Ａは、無線基地局装置１０１Ｂから受信した上記設定値に基づいて、無線端末装置２０２による自己から無線基地局装置１０１Ｂまたは無線基地局装置１０１Ｃへのハンドオーバ動作のタイミングを制御する。
【０５４０】
なお、無線基地局装置１０１Ａは、無線端末装置２０２における各無線基地局装置からの無線信号の受信電力の測定結果を示す受信電力情報を単独またはハンドオーバレポートと合わせて所定情報として無線基地局装置１０１Ｂへ送信する構成であってもよい。
【０５４１】
具体的には、たとえば、無線基地局装置１０１Ｂは、受信電力情報において無線基地局装置１０１Ａおよび無線基地局装置１０１Ｃからの無線信号の受信電力が所定値未満の場合には、自己を通信先として無線端末装置２０２に選択させた方が良いと判断し、自己から無線基地局装置１０１Ａまたは無線基地局装置１０１Ｃへの無線端末装置２０２によるハンドオーバ動作のタイミングが遅くなるように制御する。一方、無線基地局装置１０１Ｂは、受信電力情報において無線基地局装置１０１Ａまたは無線基地局装置１０１Ｃからの無線信号の受信電力が所定値以上の場合には、無線基地局装置１０１Ａまたは無線基地局装置１０１Ｃを通信先として無線端末装置２０２に選択させた方が良いと判断し、上記ハンドオーバ動作のタイミングを遅らせる制御を行なわない。
【０５４２】
図３０は、本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【０５４３】
図３０を参照して、まず、無線端末装置２０２によるハンドオーバ動作が図２６に示すように行なわれたとする。
【０５４４】
無線基地局装置１０１Ａは、たとえば無線端末装置２０２のセルＣＢにおける滞在時間を計測するためのタイマの値が所定値以下であること等を自ら確認するか、または他の装置からの通知によって確認することにより、”ＨＯ  ｔｏ  Ｗｒｏｎｇ  Ｃｅｌｌ”を検出する。すなわち、無線基地局装置１０１Ａは、無線端末装置２０２による無線基地局装置１０１Ａから無線基地局装置１０１Ｂへのハンドオーバは”ＨＯ  ｔｏ  Ｗｒｏｎｇ  Ｃｅｌｌ”であったと判断する（ステップＳ５１１）。
【０５４５】
次に、無線基地局装置１０１Ａは、”ＨＯ  ｔｏ  Ｗｒｏｎｇ  Ｃｅｌｌ”であったと判断すると、ＷｒｏｎｇＣｅｌｌ発生通知をＸ２インタフェース経由で無線基地局装置１０１Ａへ送信する（ステップＳ５１２）。なお、無線基地局装置１０１Ａは、ＷｒｏｎｇＣｅｌｌ発生通知と合わせて前述のハンドオーバレポートまたは受信電力情報を無線基地局装置１０１Ｂへ送信してもよい。
【０５４６】
次に、無線基地局装置１０１Ｂは、無線基地局装置１０１ＡからＷｒｏｎｇＣｅｌｌ発生通知を受信して、たとえばハンドオーバ動作のパラメータを確認し、自己から無線基地局装置１０１Ｃへのハンドオーバ動作のタイミングが十分に遅いか否かを判断する（ステップＳ５１３）。
【０５４７】
すなわち、無線基地局装置１０１Ｂは、自己から無線基地局装置１０１Ｃへのハンドオーバ動作のタイミングがそれほど遅くなく、パラメータ変更が可能である場合には（ステップＳ５１３でＮＯ）、自己から無線基地局装置１０１Ｃへのハンドオーバ動作のタイミングが遅くなるようにパラメータを設定する（ステップＳ５１４）。なお、無線基地局装置１０１Ｂは、自己から他の無線基地局装置へのハンドオーバ動作のタイミングを全体的に遅くしてもよいし、自己から無線基地局装置１０１Ｃへのハンドオーバ動作のタイミングを選択的に遅くしてもよい。
【０５４８】
一方、無線基地局装置１０１Ｂは、自己から無線基地局装置１０１Ｃへのハンドオーバ動作のタイミングが十分に遅く、パラメータ変更を行なわない方が良いと判断した場合には（ステップＳ５１３でＹＥＳ）、ハンドオーバパラメータ通知を無線基地局装置１０１Ａへ送信する（ステップＳ５１５）。
【０５４９】
次に、無線基地局装置１０１Ａは、無線基地局装置１０１Ｂからハンドオーバパラメータ通知を受信して、当該ハンドオーバパラメータ通知の示す設定値に基づき、自己から無線基地局装置１０１Ｂへのハンドオーバ動作のタイミングが遅くなるか、あるいは自己から無線基地局装置１０１Ｃへのハンドオーバ動作のタイミングが早くなるようにパラメータを設定する（ステップＳ５１６）。なお、無線基地局装置１０１Ａは、これらのパラメータ設定を両方行ってもよい。
【０５５０】
このように、図３０に示す例では、無線基地局装置１０１Ａは、無線端末装置２０２による自己から無線基地局装置１０１Ｂへのハンドオーバ動作が行なわれてから所定時間内に、無線端末装置２０２による無線基地局装置１０１Ｂから無線基地局装置１０１Ｃへのハンドオーバ動作が行なわれた事象を検知する。
【０５５１】
無線基地局装置１０１Ａは、上記事象を検知した場合には、自己から無線基地局装置１０１Ｂへの無線端末装置２０２によるハンドオーバ動作が不適切であったか否かを判断する。そして、無線基地局装置１０１Ａは、不適切であったと判断した場合には、無線基地局装置１０１Ｂから無線基地局装置１０１Ｃへの無線端末装置２０２によるハンドオーバ動作のタイミングを制御する指示すなわちＷｒｏｎｇＣｅｌｌ発生通知を所定情報として無線基地局装置１０１Ｂへ送信する。
【０５５２】
無線基地局装置１０１Ｂは、無線基地局装置１０１Ａから上記指示を受信して、無線端末装置２０２による自己から無線基地局装置１０１Ｃへのハンドオーバ動作のタイミングが遅くなるように制御する。
【０５５３】
また、無線基地局装置１０１Ｂは、さらに、無線基地局装置１０１Ａから上記指示を受信した場合には、無線端末装置２０２による自己から無線基地局装置１０１Ｃへのハンドオーバ動作のタイミングを制御するか否かを判断する。そして、無線基地局装置１０１Ｂは、当該ハンドオーバ動作のタイミングを制御しないと判断した場合には、不制御情報すなわちハンドオーバパラメータ通知を無線基地局装置１０１Ａへ送信する。
【０５５４】
無線基地局装置１０１Ａは、無線基地局装置１０１Ｂから受信したハンドオーバパラメータ通知に基づいて、無線端末装置２０２による自己から無線基地局装置１０１Ｂまたは無線基地局装置１０１Ｃへのハンドオーバ動作のタイミングを制御する。
【０５５５】
図３１は、本発明の第１の実施の形態に係る無線基地局装置が”ＨＯ  ｔｏ  Ｗｒｏｎｇ  Ｃｅｌｌ”の検出処理を行なう際の動作手順の一例を定めたシーケンス図である。
【０５５６】
図３１を参照して、まず、無線端末装置２０２によるハンドオーバ動作が図２６に示すように行なわれたとする。
【０５５７】
無線基地局装置１０１Ａは、たとえば無線端末装置２０２のセルＣＢにおける滞在時間を計測するためのタイマの値が所定値以下であること等を自ら確認するか、または他の装置からの通知によって確認することにより、”ＨＯ  ｔｏ  Ｗｒｏｎｇ  Ｃｅｌｌ”を検出する。すなわち、無線基地局装置１０１Ａは、無線端末装置２０２による無線基地局装置１０１Ａから無線基地局装置１０１Ｂへのハンドオーバは”ＨＯ  ｔｏ  Ｗｒｏｎｇ  Ｃｅｌｌ”であったと判断する（ステップＳ５２１）。
【０５５８】
次に、無線基地局装置１０１Ａは、”ＨＯ  ｔｏ  Ｗｒｏｎｇ  Ｃｅｌｌ”であったと判断すると、たとえばハンドオーバ動作のパラメータを確認し、自己から無線基地局装置１０１Ｂへのハンドオーバ動作のタイミングが十分に遅いか否か、および自己から無線基地局装置１０１Ｃへのハンドオーバ動作のタイミングが十分に早いか否かを判断する（ステップＳ５２２）。
【０５５９】
すなわち、無線基地局装置１０１Ａは、自己から無線基地局装置１０１Ｂへのハンドオーバ動作のタイミングがそれほど遅くないか、あるいは自己から無線基地局装置１０１Ｃへのハンドオーバ動作のタイミングがそれほど早くなく、パラメータ変更が可能である場合には（ステップＳ５２２でＮＯ）、自己から無線基地局装置１０１Ｂへのハンドオーバ動作のタイミングが遅くなるか、あるいは自己から無線基地局装置１０１Ｃへのハンドオーバ動作のタイミングが早くなるようにパラメータを設定する（ステップＳ５２３）。なお、無線基地局装置１０１Ａは、これらのパラメータ設定を両方行ってもよい。
【０５６０】
一方、無線基地局装置１０１Ａは、自己から無線基地局装置１０１Ｂへのハンドオーバ動作のタイミングが十分に遅く、かつ自己から無線基地局装置１０１Ｃへのハンドオーバ動作のタイミングが十分に早く、パラメータ変更を行なわない方が良いと判断した場合には（ステップＳ５２２でＹＥＳ）、ハンドオーバパラメータ通知を無線基地局装置１０１Ｂへ送信する（ステップＳ５２４）。このハンドオーバパラメータ通知には、たとえば、ヒステリシスＨＳ、ＴＴＴおよびオフセットＯＳＴ等の自己の設定値が含まれる。
【０５６１】
次に、無線基地局装置１０１Ｂは、無線基地局装置１０１Ａからハンドオーバパラメータ通知を受信して、当該ハンドオーバパラメータ通知の示す設定値に基づき、自己から無線基地局装置１０１Ｃへのハンドオーバ動作のタイミングが遅くなるようにパラメータを設定する（ステップＳ５２５）。なお、無線基地局装置１０１Ｂは、自己から他の無線基地局装置へのハンドオーバ動作のタイミングを全体的に遅くしてもよいし、自己から無線基地局装置１０１Ｃへのハンドオーバ動作のタイミングを選択的に遅くしてもよい。
【０５６２】
このように、図３１に示す例では、無線基地局装置１０１Ａは、無線端末装置２０２による自己から無線基地局装置１０１Ｂへのハンドオーバ動作が行なわれてから所定時間内に、無線端末装置２０２による無線基地局装置１０１Ｂから無線基地局装置１０１Ｃへのハンドオーバ動作が行なわれた事象を検知する。
【０５６３】
無線基地局装置１０１Ａは、上記事象を検知した場合には、自己から無線基地局装置１０１Ｂへの無線端末装置２０２によるハンドオーバ動作が不適切であったか否かを判断する。そして、無線基地局装置１０１Ａは、不適切であったと判断した場合には、無線端末装置２０２による自己から無線基地局装置１０１Ｂまたは無線基地局装置１０１Ｃへのハンドオーバ動作のタイミングを制御するか否かを判断し、制御しないと判断した場合には、所定情報すなわちＷｒｏｎｇＣｅｌｌ発生通知を無線基地局装置１０１Ｂへ送信する。
【０５６４】
無線基地局装置１０１Ｂは、無線基地局装置１０１Ａから受信した所定情報に基づいて、無線端末装置２０２による自己から無線基地局装置１０１Ｃへのハンドオーバ動作のタイミングが遅くなるように制御する。
【０５６５】
なお、無線基地局装置１０１Ａは、図２９に示す例と同様に、無線端末装置２０２のハンドオーバ動作に関する情報であるハンドオーバ動作情報すなわちハンドオーバレポートを所定情報として無線基地局装置１０１Ｂへ送信する構成であってもよい。
【０５６６】
また、無線基地局装置１０１Ａは、図２９に示す例と同様に、無線端末装置２０２における各無線基地局装置からの無線信号の受信電力の測定結果を示す受信電力情報を単独またはＷｒｏｎｇＣｅｌｌ発生通知と合わせて所定情報として無線基地局装置１０１Ｂへ送信する構成であってもよい。
【０５６７】
次に、無線基地局装置において、他の無線基地局装置から通知されたハンドオーバパラメータの具体的な利用方法について説明する。
【０５６８】
ハンドオーバパラメータの具体例として、オフセットＯＳＴを考える。無線基地局装置１０１は、無線端末装置２０２における自己の無線基地局装置からの無線信号の受信電力および他の無線基地局装置からの無線信号の受信電力の差に基づいて、無線端末装置２０２による自己から上記他の無線基地局装置へのハンドオーバ動作を行なうか否かを判断する。この受信電力の差は、無線基地局装置１０１によって設定されるオフセット値すなわちオフセットＯＳＴが上記受信電力に加えられた状態で算出される。
【０５６９】
無線基地局装置１０１は、自己が設定するオフセット値をハンドオーバパラメータ通知に含める。そして、無線基地局装置１０１は、他の無線基地局装置１０１から通知されたオフセット値に基づいて、自己の設定するオフセット値を調整する。
【０５７０】
なお、無線基地局装置１０１は、ハンドオーバレポート、ＰｉｎｇＰｏｎｇ発生通知またはＷｒｏｎｇＣｅｌｌ発生通知に、オフセットＯＳＴ等、無線端末装置２０２による自己から他の無線基地局装置へのハンドオーバ動作のタイミングを制御するための設定値を含める構成であってもよい。
【０５７１】
図３２は、本発明の第１の実施の形態に係る無線基地局装置におけるオフセットＯＳＴの調整方法の一例を示す図である。
【０５７２】
図３２を参照して、ここでは、無線基地局装置１０１Ａおよび無線基地局装置１０１Ｂ間のオフセットＯＳＴの調整を考える。
【０５７３】
無線基地局装置１０１Ａからの無線信号の無線端末装置２０２における受信電力をＰＡとし、無線基地局装置１０１Ｂからの無線信号の無線端末装置２０２における受信電力をＰＢとし、無線基地局装置１０１ＡにおいてＰＢに対して付加するオフセットＯＳＴをＯＳＴＡとし、無線基地局装置１０１ＢにおいてＰＡに対して付加するオフセットＯＳＴをＯＳＴＢとする。
【０５７４】
無線基地局装置１０１Ａは、たとえば以下の判定式（１）を満たす場合、自己から無線基地局装置１０１Ｂへのハンドオーバ動作を決定する。
ＰＡ＜ＰＢ＋ＯＳＴＡ・・・（１）
【０５７５】
また、無線基地局装置１０１Ｂは、たとえば以下の判定式（２）を満たす場合、自己から無線基地局装置１０１Ａへのハンドオーバ動作を決定する。
ＰＢ＜ＰＡ＋ＯＳＴＢ・・・（２）
【０５７６】
判定式（１）および判定式（２）を同時に満たす場合、セルＣＡおよびセルＣＢ間の”Ｐｉｎｇ  Ｐｏｎｇ  ＨＯ”が多発することになる。
【０５７７】
ここで、判定式（１）および判定式（２）を同時に満たすＰＡおよびＰＢが存在するための必要十分条件は、以下の式で表される。
ＯＳＴＡ＞−ＯＳＴＢ
【０５７８】
オフセットＯＳＴは、無線基地局装置単体の都合で調整するのではなく、周辺の無線基地局装置が自己の受信電力に対して設定しているオフセットＯＳＴに応じて設定することが望ましい。
【０５７９】
たとえば、無線基地局装置１０１Ａは、ＯＳＴＢを取得した場合には、ＯＳＴＡ≦−ＯＳＴＢの範囲でＯＳＴＡを調整する。なお、無線基地局装置１０１Ａは、無線端末装置２０２における受信電力の測定誤差等を考慮して、上記範囲からさらにマージンを確保した範囲でＯＳＴＡを調整する構成であってもよい。
【０５８０】
ところで、非特許文献１に記載されるような不適切なハンドオーバ動作が行なわれると、通信システムにおいて、通信断および通信トラフィックの増大等、種々の問題が生じる。
【０５８１】
これに対して、本発明の第１の実施の形態に係る無線通信システムでは、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ａへのハンドオーバ動作が行なわれた事象を検知する。無線基地局装置１０１Ｂは、上記事象を検知した場合には、所定情報を無線基地局装置１０１Ａへ送信する。そして、無線基地局装置１０１Ａは、無線基地局装置１０１Ｂから受信した所定情報に基づいて、無線端末装置２０２による自己から無線基地局装置１０１Ｂへのハンドオーバ動作のタイミングが遅くなるように制御する。
【０５８２】
このような構成により、無線端末装置によるハンドオーバが無線基地局装置間で繰り返される”Ｐｉｎｇ  Ｐｏｎｇ  ＨＯ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０５８３】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。
【０５８４】
本発明の第１の実施の形態に係る無線通信システムでは、上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。
【０５８５】
これにより、たとえばマクロ基地局よりもフェムト基地局をハンドオーバ先として選択されやすくすることができるため、無線通信システムにおける通信トラフィックを適切に分散させることができる。
【０５８６】
また、本発明の第１の実施の形態に係る無線通信システムでは、無線基地局装置１０１Ｂは、無線端末装置２０２による無線基地局装置１０１Ａから自己へのハンドオーバ動作が行なわれてから所定時間内に、無線端末装置２０２による自己から無線基地局装置１０１Ｃへのハンドオーバ動作が行なわれた事象を検知する。無線基地局装置１０１Ｂは、上記事象を検知した場合には、所定情報を無線基地局装置１０１Ａへ送信する。そして、無線基地局装置１０１Ａは、無線基地局装置１０１Ｂから受信した所定情報に基づいて、無線端末装置２０２による自己から無線基地局装置１０１Ｂへのハンドオーバ動作のタイミングを遅くする制御、および無線端末装置２０２による自己から無線基地局装置１０１Ｃへのハンドオーバ動作のタイミングを早くする制御の少なくとも一方を行なう。
【０５８７】
このような構成により、ハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０５８８】
また、本発明の第１の実施の形態に係る無線通信システムでは、無線基地局装置１０１Ｂは、ハンドオーバ動作のタイミング制御を行なう指示を所定情報として無線基地局装置１０１Ａへ送信する。そして、無線基地局装置１０１Ａは、無線基地局装置１０１Ｂから上記指示を受信して、ハンドオーバ動作のタイミング制御を行なう。
【０５８９】
このような構成により、上記事象を検知した無線基地局装置、すなわち無線端末装置のハンドオーバ動作に関する情報を多く有する無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、周辺基地局に対してハンドオーバ動作のタイミング制御を要求することができる。
【０５９０】
また、本発明の第１の実施の形態に係る無線通信システムでは、無線基地局装置１０１Ｂは、上記事象を検知した場合には、無線端末装置２０２による自己から無線基地局装置１０１Ａへのハンドオーバ動作のタイミングを制御するか否かを判断し、制御しないと判断した場合には、所定情報を無線基地局装置１０１Ａへ送信する。
【０５９１】
このような構成により、上記事象を検知した無線基地局装置においてハンドオーバ動作のタイミング制御を行なうか否かをまず判断し、当該タイミング制御が困難な場合に、上記事象を検知した無線基地局装置以外の無線基地局装置においてハンドオーバ動作のタイミング制御を実行することができる。
【０５９２】
また、本発明の第１の実施の形態に係る無線通信システムでは、無線基地局装置１０１Ｂは、上記事象を検知した場合には、無線端末装置２０２による自己から無線基地局装置１０１Ｃへのハンドオーバ動作のタイミングを制御するか否かを判断し、制御しないと判断した場合には、所定情報を無線基地局装置１０１Ａへ送信する。
【０５９３】
このような構成により、上記事象を検知した無線基地局装置においてハンドオーバ動作のタイミング制御を行なうか否かをまず判断し、当該タイミング制御が困難な場合に、上記事象を検知した無線基地局装置以外の無線基地局装置においてハンドオーバ動作のタイミング制御を実行することができる。
【０５９４】
また、本発明の第１の実施の形態に係る無線通信システムでは、無線基地局装置１０１Ｂは、無線端末装置２０２のハンドオーバ動作に関する情報であるハンドオーバ動作情報を所定情報として無線基地局装置１０１Ａへ送信する。無線基地局装置１０１Ｂは、無線端末装置２０２による自己へのハンドオーバ動作が行なわれてから、無線端末装置２０２による自己から他の無線基地局装置へのハンドオーバ動作が行なわれるまでの時間、無線端末装置２０２による自己へのハンドオーバ動作におけるハンドオーバ元の無線基地局装置の識別情報、および無線端末装置２０２による自己から他の無線基地局装置へのハンドオーバ動作におけるハンドオーバ先の無線基地局装置の識別情報のうちの少なくともいずれか１つをハンドオーバ動作情報に含める。
【０５９５】
このように、無線端末装置のハンドオーバ動作に関する情報を、上記事象を検知した無線基地局装置以外の他の無線基地局装置へ送信することにより、たとえば、当該他の無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、また、ハンドオーバ動作のタイミングを適切に制御することができる。そして、上記事象を検知した無線基地局装置以外の他の無線基地局装置において”Ｐｉｎｇ  Ｐｏｎｇ  ＨＯ”および”ＨＯ  ｔｏ  Ｗｒｏｎｇ  Ｃｅｌｌ”の発生を判断するために有用な情報またはハンドオーバ動作のタイミングを制御するために有用な情報を、当該他の無線基地局装置に通知することができる。
【０５９６】
また、本発明の第１の実施の形態に係る無線通信システムでは、無線基地局装置１０１Ｂは、無線端末装置２０２における各無線基地局装置からの無線信号の受信電力の測定結果を示す受信電力情報を所定情報として無線基地局装置１０１Ａへ送信する。
【０５９７】
このような構成により、上記事象を検知した無線基地局装置以外の他の無線基地局装置におけるハンドオーバ動作のタイミング制御に有用な情報を、当該他の無線基地局装置に通知することができる。
【０５９８】
また、本発明の第１の実施の形態に係る無線通信システムでは、無線基地局装置１０１Ａは、受信電力情報において無線基地局装置１０１Ｂからの無線信号の受信電力が所定値未満の場合には、自己から無線基地局装置１０１Ｂへの無線端末装置２０２によるハンドオーバ動作のタイミングが遅くなるように制御する。一方、無線基地局装置１０１Ａは、受信電力情報において無線基地局装置１０１Ｂからの無線信号の受信電力が所定値以上の場合には、ハンドオーバ動作のタイミングを遅らせる制御を行なわない。
【０５９９】
このような構成により、上記事象を検知した無線基地局装置以外の他の無線基地局装置において、無線端末装置の電波環境に応じてハンドオーバ動作のタイミング制御を実行するか否かを適切に判断することができる。
【０６００】
また、本発明の第１の実施の形態に係る無線通信システムでは、無線基地局装置１０１Ａは、さらに、ハンドオーバ動作のタイミング制御を行なうか否かを判断し、制御しないと判断した場合には、不制御情報を無線基地局装置１０１Ｂへ送信する。そして、無線基地局装置１０１Ｂは、無線基地局装置１０１Ａから受信した不制御情報に基づいて、無線基地局装置１０１Ａにおけるハンドオーバ動作のタイミング制御に対応した、すなわち無線基地局装置１０１Ａにおいて行なうべきタイミング制御の代わりとなるような、無線端末装置２０２による自己から他の無線基地局装置へのハンドオーバ動作のタイミング制御を行なう。
【０６０１】
このような構成により、上記事象を検知した無線基地局装置以外の他の無線基地局装置においてハンドオーバ動作のタイミング制御を行なうことが困難な場合に、上記事象を検知した無線基地局装置においてハンドオーバ動作のタイミング制御を実行することができる。
【０６０２】
また、本発明の第１の実施の形態に係る無線通信システムでは、上記所定情報は、無線基地局装置１０１Ｂが無線端末装置２０２による自己から他の無線基地局装置へのハンドオーバ動作のタイミングを制御するための設定値を含む。無線基地局装置１０１Ａは、無線基地局装置１０１Ｂから受信した上記設定値に基づいて、ハンドオーバ動作のタイミング制御を行なう。
【０６０３】
このような構成により、上記事象を検知した無線基地局装置以外の他の無線基地局装置において、上記事象を検知した無線基地局装置における設定値に基づき、自己の設定値を適切に設定することができる。
【０６０４】
また、本発明の第１の実施の形態に係る無線通信システムでは、上記不制御情報は、無線基地局装置１０１Ａが無線端末装置２０２による自己から他の無線基地局装置へのハンドオーバ動作のタイミングを制御するための設定値を含む。無線基地局装置１０１Ｂは、無線基地局装置１０１Ａから受信した上記設定値に基づいて、ハンドオーバ動作のタイミング制御を行なう。
【０６０５】
このような構成により、上記事象を検知した無線基地局装置において、他の無線基地局装置における設定値に基づき、自己の設定値を適切に設定することができる。
【０６０６】
また、本発明の第１の実施の形態に係る無線通信システムでは、無線基地局装置１０１は、無線端末装置２０２における自己の無線基地局装置からの無線信号の受信電力および他の無線基地局装置からの無線信号の受信電力の差に基づいて、無線端末装置２０２による自己から上記他の無線基地局装置へのハンドオーバ動作を行なうか否かを判断する。上記受信電力の差は、無線基地局装置１０１によって設定されるオフセット値が受信電力に加えられた状態で算出される。無線基地局装置１０１Ｂまたは無線基地局装置１０１Ａは、自己が設定するオフセット値を所定情報または不制御情報に含める。そして、無線基地局装置１０１Ｂまたは無線基地局装置１０１Ａは、不制御情報または所定情報に含まれるオフセット値に基づいて、自己の設定するオフセット値を調整する。
【０６０７】
このような構成により、オフセットＯＳＴを、無線基地局装置単体の都合で調整するのではなく、他の無線基地局装置がたとえば自己からの無線信号の受信電力に対して設定しているオフセット値に応じて設定することができるため、”Ｐｉｎｇ  Ｐｏｎｇ  ＨＯ”の発生を抑制することができる。
【０６０８】
また、本発明の第１の実施の形態に係る無線通信システムでは、無線基地局装置１０１Ａは、無線端末装置２０２による自己から無線基地局装置１０１Ｂへのハンドオーバ動作が行なわれてから所定時間内に、無線端末装置２０２による無線基地局装置１０１Ｂから自己または無線基地局装置１０１Ｃへのハンドオーバ動作が行なわれた事象を検知する。無線基地局装置１０１Ａは、上記事象を検知した場合には、所定情報を無線基地局装置１０１Ｂへ送信する。そして、無線基地局装置１０１Ｂは、無線基地局装置１０１Ａから受信した所定情報に基づいて、無線端末装置２０２による自己から無線基地局装置１０１Ａまたは無線基地局装置１０１Ｃへのハンドオーバ動作のタイミングが遅くなるように制御する。
【０６０９】
このような構成により、無線端末装置によるハンドオーバが無線基地局装置間で繰り返される”Ｐｉｎｇ  Ｐｏｎｇ  ＨＯ”およびハンドオーバ先として不適切な無線基地局装置が選択される”ＨＯ  ｔｏ  Ｗｒｏｎｇ  Ｃｅｌｌ”を検出し、ハンドオーバ元の無線基地局装置およびハンドオーバ先の無線基地局装置間でハンドオーバ動作のタイミング制御を柔軟に行なうことができる。これにより、不適切なハンドオーバ動作を抑制することができるため、良好な通信システムを構築することができる。したがって、不適切なハンドオーバ動作を検出し、無線端末装置の移動動作を制御することにより、通信の安定化を図ることができる。
【０６１０】
たとえば、マクロセルおよびフェムトセル間で”Ｐｉｎｇ  Ｐｏｎｇ  ＨＯ”が発生する場合には、マクロ基地局のハンドオーバ動作のパラメータを調整する方法、およびフェムト基地局のハンドオーバ動作のパラメータを調整する方法の２通りが考えられる。
【０６１１】
本発明の第１の実施の形態に係る無線通信システムでは、上記のように無線基地局装置が周辺基地局に対してハンドオーバ動作のタイミング制御を要求する構成により、マクロ基地局が”Ｐｉｎｇ  Ｐｏｎｇ  ＨＯ”を検出した場合、フェムト基地局に”Ｐｉｎｇ  Ｐｏｎｇ  ＨＯ”の発生を通知して、フェムト基地局から他の基地局へのハンドオーバ動作を遅らせることが可能となる。また、フェムト基地局が”Ｐｉｎｇ  Ｐｏｎｇ  ＨＯ”を検出した場合にも、フェムト基地局から他の基地局へのハンドオーバ動作を遅らせることが可能となる。
【０６１２】
これにより、たとえばマクロ基地局よりもフェムト基地局をハンドオーバ先として選択されやすくすることができるため、無線通信システムにおける通信トラフィックを適切に分散させることができる。
【０６１３】
また、本発明の第１の実施の形態に係る無線通信システムでは、無線基地局装置１０１Ａは、ハンドオーバ動作のタイミング制御を行なう指示を所定情報として無線基地局装置１０１Ｂへ送信する。そして、無線基地局装置１０１Ｂは、無線基地局装置１０１Ａから上記指示を受信して、ハンドオーバ動作のタイミング制御を行なう。
【０６１４】
このような構成により、上記事象を検知した無線基地局装置、すなわち無線端末装置のハンドオーバ動作に関する情報を多く有する無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、周辺基地局に対してハンドオーバ動作のタイミング制御を要求することができる。
【０６１５】
また、本発明の第１の実施の形態に係る無線通信システムでは、無線基地局装置１０１Ａは、上記事象を検知した場合には、無線端末装置２０２による自己から無線基地局装置１０１Ｂへのハンドオーバ動作のタイミングを制御するか否かを判断し、制御しないと判断した場合には、所定情報を無線基地局装置１０１Ｂへ送信する。
【０６１６】
このような構成により、上記事象を検知した無線基地局装置においてハンドオーバ動作のタイミング制御を行なうか否かをまず判断し、当該タイミング制御が困難な場合に、上記事象を検知した無線基地局装置以外の無線基地局装置においてハンドオーバ動作のタイミング制御を実行することができる。
【０６１７】
また、本発明の第１の実施の形態に係る無線通信システムでは、無線基地局装置１０１Ａは、無線端末装置２０２のハンドオーバ動作に関する情報であるハンドオーバ動作情報を所定情報として無線基地局装置１０１Ｂへ送信する。無線基地局装置１０１Ａは、無線端末装置２０２による自己から無線基地局装置１０１Ｂへのハンドオーバ動作が行なわれてから、無線端末装置２０２による無線基地局装置１０１Ｂから無線基地局装置１０１Ｂ以外の無線基地局装置へのハンドオーバ動作が行なわれるまでの時間、ならびに無線端末装置２０２による無線基地局装置１０１Ｂから無線基地局装置１０１Ｂ以外の無線基地局装置へのハンドオーバ動作におけるハンドオーバ元およびハンドオーバ先の無線基地局装置の識別情報、のうちの少なくともいずれか１つをハンドオーバ動作情報に含める。
【０６１８】
このように、無線端末装置のハンドオーバ動作に関する情報を、上記事象を検知した無線基地局装置以外の他の無線基地局装置へ送信することにより、たとえば、当該他の無線基地局装置において”Ｐｉｎｇ  Ｐｏｎｇ  ＨＯ”および”ＨＯ  ｔｏ  Ｗｒｏｎｇ  Ｃｅｌｌ”の発生の有無を適切に判断し、また、ハンドオーバ動作のタイミングを適切に制御することができる。そして、上記事象を検知した無線基地局装置以外の他の無線基地局装置において”Ｐｉｎｇ  Ｐｏｎｇ  ＨＯ”および”ＨＯ  ｔｏ  Ｗｒｏｎｇ  Ｃｅｌｌ”の発生を判断するために有用な情報またはハンドオーバ動作のタイミングを制御するために有用な情報を、当該他の無線基地局装置に通知することができる。
【０６１９】
また、本発明の第１の実施の形態に係る無線通信システムでは、無線基地局装置１０１Ａは、無線端末装置２０２における各無線基地局装置からの無線信号の受信電力の測定結果を示す受信電力情報を所定情報として無線基地局装置１０１Ｂへ送信する。
【０６２０】
このような構成により、上記事象を検知した無線基地局装置以外の他の無線基地局装置におけるハンドオーバ動作のタイミング制御に有用な情報を、当該他の無線基地局装置に通知することができる。
【０６２１】
また、本発明の第１の実施の形態に係る無線通信システムでは、無線基地局装置１０１Ａが、無線端末装置２０２による自己から無線基地局装置１０１Ｂへのハンドオーバ動作が行なわれてから所定時間内に、無線端末装置２０２による無線基地局装置１０１Ｂから自己へのハンドオーバ動作が行なわれた事象を検知した場合において、無線基地局装置１０１Ｂは、受信電力情報において無線基地局装置１０１Ａからの無線信号の受信電力が所定値未満の場合には、自己から無線基地局装置１０１Ａへの無線端末装置２０２によるハンドオーバ動作のタイミングが遅くなるように制御する。一方、無線基地局装置１０１Ｂは、受信電力情報において無線基地局装置１０１Ａからの無線信号の受信電力が所定値以上の場合には、ハンドオーバ動作のタイミングを遅らせる制御を行なわない。
【０６２２】
このような構成により、上記事象を検知した無線基地局装置以外の他の無線基地局装置において、無線端末装置の電波環境に応じてハンドオーバ動作のタイミング制御を実行するか否かを適切に判断することができる。
【０６２３】
また、本発明の第１の実施の形態に係る無線通信システムでは、無線基地局装置１０１Ａが、無線端末装置２０２による自己から無線基地局装置１０１Ｂへのハンドオーバ動作が行なわれてから所定時間内に、無線端末装置２０２による無線基地局装置１０１Ｂから無線基地局装置１０１Ｃへのハンドオーバ動作が行なわれた事象を検知した場合において、無線基地局装置１０１Ｂは、受信電力情報において無線基地局装置１０１Ａおよび無線基地局装置１０１Ｃからの無線信号の受信電力が所定値未満の場合には、自己から無線基地局装置１０１Ａまたは無線基地局装置１０１Ｃへの無線端末装置２０２によるハンドオーバ動作のタイミングが遅くなるように制御する。一方、無線基地局装置１０１Ｂは、受信電力情報において無線基地局装置１０１Ａまたは無線基地局装置１０１Ｃからの無線信号の受信電力が所定値以上の場合には、ハンドオーバ動作のタイミングを遅らせる制御を行なわない。
【０６２４】
このような構成により、上記事象を検知した無線基地局装置以外の他の無線基地局装置において、無線端末装置の電波環境に応じてハンドオーバ動作のタイミング制御を実行するか否かを適切に判断することができる。
【０６２５】
また、本発明の第１の実施の形態に係る無線通信システムでは、無線基地局装置１０１Ｂは、さらに、ハンドオーバ動作のタイミング制御を行なうか否かを判断し、制御しないと判断した場合には、不制御情報を無線基地局装置１０１Ａへ送信する。そして、無線基地局装置１０１Ａは、無線基地局装置１０１Ｂから受信した不制御情報に基づいて、無線基地局装置１０１Ｂにおけるハンドオーバ動作のタイミング制御に対応した、すなわち無線基地局装置１０１Ｂにおいて行なうべきタイミング制御の代わりとなるような、無線端末装置２０２による自己から他の無線基地局装置へのハンドオーバ動作のタイミング制御を行なう。
【０６２６】
このような構成により、上記事象を検知した無線基地局装置以外の他の無線基地局装置においてハンドオーバ動作のタイミング制御を行なうことが困難な場合に、上記事象を検知した無線基地局装置においてハンドオーバ動作のタイミング制御を実行することができる。
【０６２７】
また、本発明の第１の実施の形態に係る無線通信システムでは、上記所定情報は、無線基地局装置１０１Ａが無線端末装置２０２による自己から他の無線基地局装置へのハンドオーバ動作のタイミングを制御するための設定値を含む。無線基地局装置１０１Ｂは、無線基地局装置１０１Ａから受信した上記設定値に基づいて、ハンドオーバ動作のタイミング制御を行なう。
【０６２８】
このような構成により、上記事象を検知した無線基地局装置以外の他の無線基地局装置において、上記事象を検知した無線基地局装置における設定値に基づき、自己の設定値を適切に設定することができる。
【０６２９】
また、本発明の第１の実施の形態に係る無線通信システムでは、上記不制御情報は、無線基地局装置１０１Ｂが無線端末装置２０２による自己から他の無線基地局装置へのハンドオーバ動作のタイミングを制御するための設定値を含む。無線基地局装置１０１Ａは、無線基地局装置１０１Ｂから受信した上記設定値に基づいて、ハンドオーバ動作のタイミング制御を行なう。
【０６３０】
このような構成により、上記事象を検知した無線基地局装置において、他の無線基地局装置における設定値に基づき、自己の設定値を適切に設定することができる。
【０６３１】
また、本発明の第１の実施の形態に係る無線通信システムでは、無線基地局装置１０１は、無線端末装置２０２における自己の無線基地局装置からの無線信号の受信電力および他の無線基地局装置からの無線信号の受信電力の差に基づいて、無線端末装置２０２による自己から上記他の無線基地局装置へのハンドオーバ動作を行なうか否かを判断する。上記受信電力の差は、無線基地局装置１０１によって設定されるオフセット値が受信電力に加えられた状態で算出される。無線基地局装置１０１Ａまたは無線基地局装置１０１Ｂは、自己が設定するオフセット値を所定情報または不制御情報に含める。そして、無線基地局装置１０１Ａまたは無線基地局装置１０１Ｂは、不制御情報または所定情報に含まれるオフセット値に基づいて、自己の設定するオフセット値を調整する。
【０６３２】
このような構成により、オフセットＯＳＴを、無線基地局装置単体の都合で調整するのではなく、他の無線基地局装置がたとえば自己からの無線信号の受信電力に対して設定しているオフセット値に応じて設定することができるため、”Ｐｉｎｇ  Ｐｏｎｇ  ＨＯ”の発生を抑制することができる。
【０６３３】
なお、本発明の第１の実施の形態では、無線端末装置のハンドオーバ動作について具体的な説明を行なったが、無線基地局装置と通信中の無線端末装置が行なう基地局間移動（セル間移動）動作であるハンドオーバに限らず、アイドル状態の無線端末装置が行なう基地局間移動（セル間移動）動作についても、本発明は適用される。すなわち、本発明の第１の実施の形態において、「ハンドオーバ」を「移動」に置き換えた構成および動作についても、本発明は適用される。
【０６３４】
また、本発明の第１の実施の形態に係る無線通信システムでは、無線端末装置のハンドオーバ動作のタイミングからの経過時間をタイマによって得る構成である。この「ハンドオーバ動作のタイミング」は、上記各シーケンスにおいて例示したタイミングに限らず、ハンドオーバ動作におけるいずれのタイミングであってもよい。すなわち、ハンドオーバを行なうことを決定するタイミング等、ハンドオーバ動作の直前、最中および直後のいずれのタイミングであってもよい。
【０６３５】
また、本発明の第１の実施の形態に係る無線通信システムでは、無線基地局装置の一致を確認するためにＥＣＧＩを用いる構成であるとしたが、これに限定するものではない。ＥＣＧＩの代わりにＰＣＩを用いる構成であってもよい。
【０６３６】
次に、本発明の他の実施の形態について図面を用いて説明する。なお、図中同一または相当部分には同一符号を付してその説明は繰り返さない。
【０６３７】
＜第２の実施の形態＞
本実施の形態は、第１の実施の形態に係る無線通信システムと比べてハンドオーバ先からハンドオーバ元へ種々のハンドオーバレポートが送信される無線通信システムに関する。以下で説明する内容以外は第１の実施の形態に係る無線通信システムと同様である。
【０６３８】
図３３は、本発明の第２の実施の形態に係る無線通信システムにおけるハンドオーバレポートの送信手順の一例を定めたシーケンス図である。
【０６３９】
図３３を参照して、まず、無線端末装置２０２、無線基地局装置１０１Ａおよび無線基地局装置１０１Ｂ間でたとえば図２に示すような各種情報が送受信されることにより、無線基地局装置１０１Ａから無線基地局装置１０１Ｂへのハンドオーバ動作が実行される（ステップＳ６０１）。
【０６４０】
次に、無線基地局装置１０１Ｂは、無線基地局装置１０１Ａから自己へのハンドオーバ動作が完了すると、ハンドオーバレポートをたとえばＸ２インタフェース経由で無線基地局装置１０１Ａへ送信する。このハンドオーバレポートには、たとえば、当該ハンドオーバ動作におけるハンドオーバ元である無線基地局装置１０１ＡのＥＣＧＩ、無線基地局装置１０１ＢのＥＣＧＩ、無線基地局装置１０１Ｂが無線端末装置２０２に付与したＣ−ＲＮＴＩ、および当該ハンドオーバ動作における無線端末装置２０２の移動速度が含まれる。ここで、無線端末装置２０２の移動速度とは、無線端末装置２０２の物理的な移動速度、たとえば時速［ｋｍ／ｈ］を意味する（ステップＳ６０２）。
【０６４１】
次に、無線端末装置２０２、無線基地局装置１０１Ｂおよび無線基地局装置１０１Ｃ間でたとえば図２に示すような各種情報が送受信されることにより、無線基地局装置１０１Ｂから無線基地局装置１０１Ｃへのハンドオーバ動作が実行される（ステップＳ６０３）。
【０６４２】
次に、無線基地局装置１０１Ｂは、自己から無線基地局装置１０１Ｃへのハンドオーバ動作が完了すると、ハンドオーバレポートをたとえばＸ２インタフェース経由で無線基地局装置１０１Ａへ送信する。このハンドオーバレポートには、たとえば、図２０において説明したようなタイマの値すなわち無線基地局装置１０１Ｂの形成するセルにおける無線端末装置２０２の滞在時間、当該ハンドオーバ動作におけるハンドオーバ先である無線基地局装置１０１ＣのＥＣＧＩ、当該ハンドオーバ動作における無線端末装置２０２の移動速度および当該ハンドオーバ動作の種別を示すハンドオーバ種別情報が含まれる。なお、ステップＳ６０２における送信の代わりに、このハンドオーバレポートに、ステップＳ６０２におけるハンドオーバレポートの内容がさらに含まれてもよい（ステップＳ６０４）。
【０６４３】
ハンドオーバ種別情報は、たとえば、０〜７の番号であり、この番号によってハンドオーバ動作の内容が判別可能となる。具体的には、たとえば、移動速度が小さい無線端末装置２０２用のハンドオーバ動作、移動速度が中程度の無線端末装置２０２用のハンドオーバ動作、移動速度が大きい無線端末装置２０２用のハンドオーバ動作、無線基地局装置間の負荷調整のためのハンドオーバ動作、およびセル半径拡張のためのハンドオーバ動作が、それぞれ異なる番号に対応付けされる。ここで、「セル半径拡張のためのハンドオーバ動作」とは、小型基地局へのハンドオーバ動作を促進するためにオフセットＯＳＴ等の調整が行なわれたハンドオーバ動作を意味する。
【０６４４】
他の無線基地局装置から自己へのハンドオーバ動作の際の無線端末装置２０２の移動速度の取得方法として、たとえば、無線基地局装置１０１は、無線端末装置２０２から移動速度の報告を受ける。より詳細には、無線端末装置２０２は、たとえば、所定時間における自己のハンドオーバ回数に基づいて、自己の移動速度を検出する。そして、無線端末装置２０２は、自己の移動速度を無線基地局装置１０１に報告する。
【０６４５】
また、自己から他の無線基地局装置へのハンドオーバ動作の際の無線端末装置２０２の移動速度の取得方法として、たとえば、無線基地局装置１０１は、自己の形成するセル（以下、単に自己のセルとも称する。）における無線端末装置２０２の滞在時間、および自己のセル半径から無線端末装置２０２の移動速度を求める。具体的には、（セル半径／滞在時間）を算出して移動速度を求めることができる。
【０６４６】
また、無線基地局装置１０１は、無線端末装置２０２の移動速度を、無線端末装置２０２の位置情報から求めてもよい。たとえば、ＧＰＳ（Global Positioning System）を利用することが可能である。
【０６４７】
あるいは、３ＧＰＰで規定されたＬＰＰ（LTE Positioning Protocol）を利用することが可能である。すなわち、ダウンリンクＬＰＰにおいて、まず、３つ以上の無線基地局装置からＬＰＰ専用の信号を送信する。次に、無線端末装置２０２において各無線基地局装置からの当該信号の受信タイミングの差を算出し、無線基地局装置１０１に算出結果を通知する。次に、無線基地局装置１０１は、通知された受信タイミングの差に基づいて無線端末装置２０２の位置を推定する。
【０６４８】
また、アップリンクＬＰＰにおいて、まず、無線端末装置２０２がＬＰＰ専用の信号を送信する。次に、各無線基地局装置において、当該信号の受信タイミングを算出する。次に、各無線基地局装置の上位装置が、各無線基地局装置において算出された受信タイミングを取得し、これらのタイミング差に基づいて無線端末装置２０２の位置を推定する。
【０６４９】
図３４は、本発明の第２の実施の形態に係る無線基地局装置における制御部の構成を示す図である。
【０６５０】
図３４を参照して、制御部９８は、ハンドオーバ動作情報作成部１１と、ハンドオーバ動作情報送信部１２と、周辺基地局リスト作成部１３とを含む。
【０６５１】
図３３で説明したように、無線基地局装置１０１Ｂにおいて、ハンドオーバ動作情報作成部１１は、無線端末装置２０２による無線基地局装置１０１Ａから無線基地局装置１０１Ｂへのハンドオーバ動作が行なわれた場合に、当該無線端末装置２０２のハンドオーバ動作に関する情報であるハンドオーバ動作情報すなわちハンドオーバレポートを作成する。そして、ハンドオーバ動作情報送信部１２は、ハンドオーバ動作情報作成部１１によって作成されたハンドオーバレポートを無線基地局装置１０１Ａへ送信する。
【０６５２】
具体的には、たとえば、無線基地局装置１０１Ｂにおけるハンドオーバ動作情報作成部１１は、無線端末装置２０２による無線基地局装置１０１Ａから無線基地局装置１０１Ｂへのハンドオーバ動作が行なわれてから、当該無線端末装置２０２による無線基地局装置１０１Ｂから他の無線基地局装置へのハンドオーバ動作が行なわれるまでの時間である滞在時間をハンドオーバ動作情報に含める。
【０６５３】
また、たとえば、無線基地局装置１０１Ｂにおけるハンドオーバ動作情報作成部１１は、当該無線端末装置２０２に付与した端末識別情報、無線基地局装置１０１Ａの識別情報、および当該無線端末装置２０２による無線基地局装置１０１Ｂから他の無線基地局装置へのハンドオーバ動作におけるハンドオーバ先の無線基地局装置の識別情報をハンドオーバ動作情報に含める。
【０６５４】
また、たとえば、無線基地局装置１０１Ｂにおけるハンドオーバ動作情報作成部１１は、当該無線端末装置２０２による無線基地局装置１０１Ａから無線基地局装置１０１Ｂへのハンドオーバ動作が行なわれた際の当該無線端末装置２０２の移動速度、無線基地局装置１０１Ｂから他の無線基地局装置へのハンドオーバ動作が行なわれた際の当該無線端末装置２０２の移動速度、当該無線端末装置２０２による無線基地局装置１０１Ｂから他の無線基地局装置へのハンドオーバ動作の種別をハンドオーバ動作情報に含める。
【０６５５】
また、たとえば、無線基地局装置１０１Ｂにおけるハンドオーバ動作情報送信部１２は、基地局−基地局間の論理インタフェース経由でハンドオーバ動作情報を無線基地局装置１０１Ａへ送信する。
【０６５６】
図３５は、本発明の第２の実施の形態に係る無線通信システムにおけるハンドオーバレポートの送信手順の一例を定めたシーケンス図である。
【０６５７】
図３５を参照して、まず、無線基地局装置１０１Ａから無線基地局装置１０１Ｂへのハンドオーバ動作において、無線基地局装置１０１Ａは、ハンドオーバ指示を含むＲＲＣコネクション再構成指示を無線端末装置２０２へ送信する。このハンドオーバ指示には、たとえば、当該ハンドオーバ動作の種別を示すハンドオーバ種別情報、およびハンドオーバ先の無線基地局装置１０１ＢのＥＣＧＩが含まれる（ステップＳ６１１）。
【０６５８】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ６１２）。
【０６５９】
次に、無線端末装置２０２は、無線基地局装置１０１Ｂへハンドオーバ履歴情報を送信する。このハンドオーバ履歴情報には、たとえば、無線基地局装置１０１Ａから受信したハンドオーバ種別情報、および無線基地局装置１０１Ａから付与されたＣ−ＲＮＴＩが含まれる。なお、無線端末装置２０２は、過去複数回のハンドオーバ動作におけるハンドオーバ種別情報および各無線基地局装置１０１から付与されたＣ−ＲＮＴＩをハンドオーバ履歴情報に含める構成であってもよい（ステップＳ６１３）。
【０６６０】
次に、無線端末装置２０２、無線基地局装置１０１Ｂおよび無線基地局装置１０１Ｃ間でたとえば図２に示すような各種情報が送受信されることにより、無線基地局装置１０１Ｂから無線基地局装置１０１Ｃへのハンドオーバ動作が実行される（ステップＳ６１４）。
【０６６１】
次に、無線基地局装置１０１Ｂは、自己から無線基地局装置１０１Ｃへのハンドオーバ動作が完了すると、ハンドオーバレポートをたとえばＸ２インタフェース経由で無線基地局装置１０１Ａへ送信する。このハンドオーバレポートには、たとえば無線端末装置２０２から受信したハンドオーバ履歴情報の一部または全部が含まれる（ステップＳ６１５）。
【０６６２】
このように、図３５に示す例では、無線基地局装置１０１Ｂにおけるハンドオーバ動作情報作成部１１は、無線基地局装置１０１Ａから無線基地局装置１０１Ｂへのハンドオーバ動作を行った無線端末装置２０２から受信した情報から、ハンドオーバ動作情報に含める情報を取得する。
【０６６３】
たとえば、無線基地局装置１０１Ｂにおけるハンドオーバ動作情報作成部１１は、無線基地局装置１０１Ａが当該無線端末装置２０２に付与した端末識別情報、および当該無線端末装置２０２による無線基地局装置１０１Ａから無線基地局装置１０１Ｂへのハンドオーバ動作の種別をハンドオーバ動作情報に含める。
【０６６４】
なお、無線基地局装置１０１Ｂにおけるハンドオーバ動作情報作成部１１は、無線基地局装置１０１Ａから無線基地局装置１０１Ｂへのハンドオーバ動作を行った無線端末装置２０２から受信した情報に基づいて作成した情報をハンドオーバ動作情報に含める構成であってもよい。
【０６６５】
図３６は、本発明の第２の実施の形態に係る無線通信システムにおけるハンドオーバレポートの送信手順の一例を定めたシーケンス図である。
【０６６６】
図３６を参照して、まず、無線端末装置２０２、無線基地局装置１０１Ａおよび無線基地局装置１０１Ｂ間でたとえば図２に示すような各種情報が送受信されることにより、無線基地局装置１０１Ａから無線基地局装置１０１Ｂへのハンドオーバ動作が実行される（ステップＳ６３１）。
【０６６７】
次に、無線基地局装置１０１Ｂは、無線基地局装置１０１Ａから自己へのハンドオーバ動作が完了すると、ハンドオーバレポートをたとえばＸ２インタフェース経由で無線基地局装置１０１Ａへ送信する。このハンドオーバレポートには、たとえば、当該ハンドオーバ動作におけるハンドオーバ元である無線基地局装置１０１ＡのＥＣＧＩ、無線基地局装置１０１ＢのＥＣＧＩ、および当該ハンドオーバ動作における無線端末装置２０２の移動速度が含まれる（ステップＳ６３２）。
【０６６８】
次に、たとえば図９の場合と同様に、無線基地局装置１０１Ｃから送信される無線信号の干渉が大きく、無線基地局装置１０１Ｂと通信できなくなることにより、無線端末装置２０２においてＲＬＦが発生する（ステップＳ６３３）。
【０６６９】
次に、無線端末装置２０２は、ＲＬＦ発生を検出すると、ＲＲＣコネクション再確立要求を無線基地局装置１０１Ｃへ送信する（ステップＳ６３４）。そして、無線端末装置２０２は、ＲＬＦレポートを含む端末情報応答を無線基地局装置１０１Ｃへ送信する（ステップＳ６３５）。
【０６７０】
次に、無線基地局装置１０１Ｃは、無線端末装置２０２からＲＬＦレポートを受信して、当該ＲＬＦレポートの内容を含むＲＬＦ通知をＸ２インタフェース経由で無線基地局装置１０１Ｂへ送信する（ステップＳ６３６）。
【０６７１】
次に、無線基地局装置１０１Ｂは、無線基地局装置１０１ＣからＲＬＦ通知を受信して、セルＣＢへの”ＨＯ  ｔｏ  Ｗｒｏｎｇ  Ｃｅｌｌ”であると判断し、ハンドオーバレポートを無線基地局装置１０１Ａへ送信する（ステップＳ６３７）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０６７２】
一方、無線基地局装置１０１Ｂは、無線基地局装置１０１Ａから自己へのハンドオーバ動作が完了し、無線端末装置２０２においてＲＬＦが発生しなかった場合には、”Ｈａｎｄｏｖｅｒ  Ｒｅｐｏｒｔ  Ｔｙｐｅ”を所定値に設定することにより、ハンドオーバ動作が正常に完了した旨を無線基地局装置１０１Ａに通知する。具体的には、図３３のステップＳ６０４または図３５のステップＳ６１５におけるハンドオーバレポートに、上記所定値を設定する。
【０６７３】
すなわち、無線基地局装置１０１Ｂにおけるハンドオーバ動作情報作成部１１は、当該無線端末装置２０２による無線基地局装置１０１Ｂから他の無線基地局装置へのハンドオーバ動作が行なわれ、当該無線端末装置２０２と当該他の無線基地局装置との通信接続が切断されなかった場合に、通信接続が切断されなかった旨をハンドオーバ動作情報に含める。
【０６７４】
無線基地局装置１０１は、他の無線基地局装置から受信したハンドオーバレポートに基づいて、種々の処理を行なう。
【０６７５】
たとえば、図２０に示すステップＳ１７６において、無線基地局装置１０１Ａは、無線基地局装置１０１Ｂからハンドオーバレポートを受信して、当該ハンドオーバレポートの内容を解析し、セルＣＡおよびセルＣＢ間の”Ｐｉｎｇ  Ｐｏｎｇ  ＨＯ”を検出する。具体的には、無線基地局装置１０１Ａは、セルＣＢにおける無線端末装置２０２の滞在時間に当該無線端末装置２０２の移動速度を乗じて移動距離を算出し、算出した移動距離が所定の閾値未満の場合に、当該無線端末装置２０２による無線基地局装置１０１Ａおよび無線基地局装置１０１Ｂ間のハンドオーバは”Ｐｉｎｇ  Ｐｏｎｇ  ＨＯ”であったと判断する。
【０６７６】
すなわち、無線基地局装置１０１Ａは、滞在時間が短い場合でも、移動速度が大きい場合には、無線端末装置２０２が長距離移動していることから、”Ｐｉｎｇ  Ｐｏｎｇ  ＨＯ”ではないと判断する。なお、無線基地局装置１０１は、無線端末装置２０２の移動速度のみに基づいて”Ｐｉｎｇ  Ｐｏｎｇ  ＨＯ”の判断を行なう構成であってもよい。具体的には、たとえば、無線基地局装置１０１は、無線端末装置２０２の移動速度が大きい場合には、”Ｐｉｎｇ  Ｐｏｎｇ  ＨＯ”ではないと判断する。
【０６７７】
図３７は、本発明の第２の実施の形態に係る無線基地局装置によるハンドオーバレポートを用いた処理の一例を示すフローチャートである。
【０６７８】
無線基地局装置１０１Ａは、周辺基地局リストを保持し、周辺基地局リストに含まれる１または複数の無線基地局装置の中から、無線端末装置２０２のハンドオーバ先を選択する。
【０６７９】
無線基地局装置１０１Ａにおける周辺基地局リスト作成部１３は、無線基地局装置１０１Ｂから受信したハンドオーバ動作情報に含まれる滞在時間に基づいて、周辺基地局リストから無線基地局装置１０１Ｂを削除するか否かを判断する。
【０６８０】
具体的には、図３７を参照して、まず、無線基地局装置１０１Ａは、たとえば無線基地局装置１０１Ｂからハンドオーバレポートを受信する（ステップＳ６２１）。
【０６８１】
次に、無線基地局装置１０１Ａは、当該ハンドオーバレポートの示す滞在時間を確認し、無線基地局装置１０１Ｂにおける滞在時間の統計処理を行なう（ステップＳ６２２）。
【０６８２】
すなわち、無線基地局装置１０１Ａは、無線基地局装置１０１Ｂへの過去ｘ回のハンドオーバ動作のうち、滞在時間がα未満となるものがｙ回以上である場合には（ステップＳ６２２でＹＥＳ）、無線基地局装置１０１Ｂはハンドオーバ先として適切ではないと判断し、自己の保持する周辺基地局リストから無線基地局装置１０１Ｂを削除する（ステップＳ６２３）。
【０６８３】
一方、無線基地局装置１０１Ａは、無線基地局装置１０１Ｂへの過去ｘ回のハンドオーバ動作のうち、滞在時間がα未満となるものがｙ回未満である場合には（ステップＳ６２２でＮＯ）、無線基地局装置１０１Ｂはハンドオーバ先として適切であると判断し、自己の保持する周辺基地局リストを維持する。
【０６８４】
なお、無線基地局装置１０１は、他の無線基地局装置から受信したハンドオーバレポートに基づいてハンドオーバ動作のタイミングの制御および周辺基地局リストの作成を行なう構成に限らず、当該ハンドオーバレポートを用いて無線信号の送信電力制御および干渉対策を行なうことも可能である。
【０６８５】
図３８は、本発明の第２の実施の形態に係る無線通信システムにおけるハンドオーバレポートの内容の一例を示す図である。
【０６８６】
図３８を参照して、このハンドオーバレポートは、ＬＴＥにおいてＸ２インタフェース経由で送受信されるハンドオーバレポートに新たな情報を追加したものである。
【０６８７】
具体的には、パラメータ”Ｈａｎｄｏｖｅｒ  Ｒｅｐｏｒｔ  Ｔｙｐｅ”に”ＨＯ  ｓｈｏｒｔ  ｔｉｍｅ  ｏｆ  ｓｔａｙ”が追加され（ＦＬ１）、また、”Ｔｉｍｅ  ｏｆ  Ｓｔａｙ”が新たなパラメータとして追加されている（ＦＬ２）。”Ｔｉｍｅ  ｏｆ  Ｓｔａｙ”は、”Ｈａｎｄｏｖｅｒ  Ｒｅｐｏｒｔ  Ｔｙｐｅ”が”ＨＯ  ｓｈｏｒｔ  ｔｉｍｅ  ｏｆ  ｓｔａｙ”である場合に設定される。”Ｔｉｍｅ  ｏｆ  Ｓｔａｙ”の単位は、たとえば、サブフレーム、フレーム、ミリ秒または秒である。
【０６８８】
たとえば、図３３に示すフローチャートのステップＳ６０４において、無線基地局装置１０１Ｂは、自己の形成するセルにおける無線端末装置２０２の滞在時間が所定値未満である場合に、”ＨＯ  ｓｈｏｒｔ  ｔｉｍｅ  ｏｆ  ｓｔａｙ”が設定され、かつ”Ｔｉｍｅ  ｏｆ  Ｓｔａｙ”に当該滞在時間が設定されたハンドオーバレポートを無線基地局装置１０１Ａへ送信する。
【０６８９】
これにより、無線基地局装置１０１Ａは、”Ｔｏｏ  Ｅａｒｌｙ  ＨＯ”および”ＨＯ  ｔｏ  Ｗｒｏｎｇ  Ｃｅｌｌ”と、単に上記滞在時間の短い事象である”ＨＯ  ｓｈｏｒｔ  ｔｉｍｅ  ｏｆ  ｓｔａｙ”とを区別することが可能となる。
【０６９０】
たとえば、無線基地局装置１０１Ａは、無線基地局装置１０１Ｂにおける”ＨＯ  ｓｈｏｒｔ  ｔｉｍｅ  ｏｆ  ｓｔａｙ”を検出した場合には、ハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする。そして、無線基地局装置１０１Ａは、このパラメータ設定において、”Ｔｏｏ  Ｅａｒｌｙ  ＨＯ” および”ＨＯ  ｔｏ  Ｗｒｏｎｇ  Ｃｅｌｌ”の場合と比べて、ハンドオーバ動作のタイミングを遅らせる度合いを小さくする。
【０６９１】
なお、無線基地局装置１０１Ｂは、上記滞在時間が所定値以上である場合でも、”Ｔｉｍｅ  ｏｆ  Ｓｔａｙ”に当該滞在時間が設定されたハンドオーバレポートを無線基地局装置１０１Ａへ送信する構成であってもよい。また、無線基地局装置１０１Ｂは、ハンドオーバレポートに、”ＨＯ  ｓｈｏｒｔ  ｔｉｍｅ  ｏｆ  ｓｔａｙ”を設定し、”Ｔｉｍｅ  ｏｆ  Ｓｔａｙ”は設定しない構成であってもよい。
【０６９２】
また、無線基地局装置１０１Ｂは、上記滞在時間が所定値未満である場合、すなわち”ＨＯ  ｓｈｏｒｔ  ｔｉｍｅ  ｏｆ  ｓｔａｙ”が発生した場合に、たとえばＬＴＥにおけるハンドオーバレポートにおいて、”Ｈａｎｄｏｖｅｒ  Ｒｅｐｏｒｔ  Ｔｙｐｅ”に”Ｔｏｏ  Ｅａｒｌｙ  ＨＯ”または”ＨＯ  ｔｏ  Ｗｒｏｎｇ  Ｃｅｌｌ”を設定して無線基地局装置１０１Ａへ送信する構成であってもよい。
【０６９３】
図３９は、本発明の第２の実施の形態に係る無線通信システムにおけるハンドオーバレポートの内容の一例を示す図である。
【０６９４】
図３９を参照して、このハンドオーバレポートは、ＬＴＥにおけるハンドオーバレポートとは別に、新たなメッセージ”Ｓｈｏｒｔ  Ｔｏｓ  Ｉｎｄｉｃａｔｉｏｎ”として追加したものである。
【０６９５】
たとえば、図３３に示すフローチャートのステップＳ６０４において、無線基地局装置１０１Ｂは、自己の形成するセルにおける無線端末装置２０２の滞在時間が所定値未満である場合に、”Ｔｉｍｅ  ｏｆ  Ｓｔａｙ”に当該滞在時間が設定された”Ｓｈｏｒｔ  Ｔｏｓ  Ｉｎｄｉｃａｔｉｏｎ”を無線基地局装置１０１Ａへ送信する（ＦＬ１１）。
【０６９６】
たとえば、この”Ｓｈｏｒｔ  Ｔｏｓ  Ｉｎｄｉｃａｔｉｏｎ”は、図２１に示すＰｉｎｇＰｏｎｇ発生通知に対応する。
【０６９７】
このような新たなメッセージを追加する構成により、図３８に示すような既存のメッセージを流用する場合と比較して、”Ｈａｎｄｏｖｅｒ  Ｃａｕｓｅ”等の余分な情報を省くことができる。
【０６９８】
図４０は、本発明の第２の実施の形態に係る無線通信システムにおけるハンドオーバレポートの内容の一例を示す図である。
【０６９９】
図４０を参照して、このハンドオーバレポートは、ＬＴＥにおけるハンドオーバレポートとは別に、無線端末装置２０２から無線基地局装置１０１への新たなメッセージ”Ｓｈｏｒｔ  Ｔｏｓ  Ｉｎｄｉｃａｔｉｏｎ”として追加したものである。
【０７００】
無線基地局装置１０１に限らず、無線端末装置２０２が、無線基地局装置１０１の形成するセルにおける自己の滞在時間を計測することも可能である。
【０７０１】
たとえば、図３５に示すフローチャートのステップＳ６１３において、無線端末装置２０２は、無線基地局装置１０１Ａの形成するセルにおける自己の滞在時間が所定値未満である場合に、たとえば、ハンドオーバ先の無線基地局装置１０１ＢのＥＣＧＩ（ＦＬ２１）、および”ＵＥ  Ｓｈｏｒｔ  ＴｏＳ  Ｒｅｐｏｒｔ  Ｃｏｎｔａｉｎｅｒ” （ＦＬ２２）が挿入された”Ｓｈｏｒｔ  Ｔｏｓ  Ｉｎｄｉｃａｔｉｏｎ”を無線基地局装置１０１Ｂへ送信する。”ＵＥ  Ｓｈｏｒｔ  ＴｏＳ  Ｒｅｐｏｒｔ  Ｃｏｎｔａｉｎｅｒ”は、たとえば、上記滞在時間、ハンドオーバ元の無線基地局装置１０１ＡのＥＣＧＩ、無線基地局装置１０１Ａから付与されたＣ−ＲＮＴＩ、無線基地局装置１０１Ｂから付与されたＣ−ＲＮＴＩ、ハンドオーバ動作前の自己の移動速度、ハンドオーバ動作後の自己の移動速度、および当該ハンドオーバ動作の種別を示すハンドオーバ種別情報が含まれる。
【０７０２】
無線基地局装置１０１Ｂは、たとえば、無線端末装置２０２から受信した”Ｓｈｏｒｔ  Ｔｏｓ  Ｉｎｄｉｃａｔｉｏｎ”を無線基地局装置１０１Ａへ送信する。
【０７０３】
以上のように、本発明の第２の実施の形態に係る無線通信システムでは、無線基地局装置１０１Ｂにおいて、ハンドオーバ動作情報作成部１１は、無線端末装置２０２による無線基地局装置１０１Ａから無線基地局装置１０１Ｂへのハンドオーバ動作が行なわれた場合に、当該無線端末装置２０２のハンドオーバ動作に関する情報であるハンドオーバ動作情報を作成する。そして、ハンドオーバ動作情報送信部１２は、ハンドオーバ動作情報作成部１１によって作成されたハンドオーバ動作情報を無線基地局装置１０１Ａへ送信する。
【０７０４】
このように、ハンドオーバ動作に関する情報を無線基地局装置１０１へ送信する構成により、当該無線基地局装置１０１においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
【０７０５】
また、本発明の第２の実施の形態に係る無線通信システムでは、無線基地局装置１０１Ｂにおけるハンドオーバ動作情報作成部１１は、無線端末装置２０２による無線基地局装置１０１Ａから無線基地局装置１０１Ｂへのハンドオーバ動作が行なわれてから、当該無線端末装置２０２による無線基地局装置１０１Ｂから他の無線基地局装置へのハンドオーバ動作が行なわれるまでの時間である滞在時間をハンドオーバ動作情報に含める。
【０７０６】
このように、無線端末装置２０２の滞在時間をハンドオーバレポートに含める構成により、ハンドオーバレポートの受信先の無線基地局装置１０１Ａにおいて、ハンドオーバ動作をより適切に評価し、ハンドオーバ動作のタイミング制御等をより適切に行なうことが可能となる。
【０７０７】
また、本発明の第２の実施の形態に係る無線通信システムでは、無線基地局装置１０１Ａにおける周辺基地局リスト作成部１３は、無線基地局装置１０１Ｂから受信したハンドオーバ動作情報に含まれる滞在時間に基づいて、周辺基地局リストから無線基地局装置１０１Ｂを削除するか否かを判断する。
【０７０８】
このような構成により、無線端末装置２０２の滞在時間に基づいて周辺基地局リストを更新することができるため、ハンドオーバ先としてより適切な無線基地局装置を選択することができる。
【０７０９】
また、本発明の第２の実施の形態に係る無線通信システムでは、無線基地局装置１０１Ｂにおけるハンドオーバ動作情報作成部１１は、無線基地局装置１０１Ａが当該無線端末装置２０２に付与した端末識別情報をハンドオーバ動作情報に含める。
【０７１０】
このように、無線端末装置２０２の識別情報をハンドオーバレポートに含める構成により、ハンドオーバレポートの受信先の無線基地局装置１０１Ａにおいて、無線端末装置２０２の識別が容易となり、ハンドオーバ動作のタイミング制御等をより適切に行なうことが可能となる。
【０７１１】
また、本発明の第２の実施の形態に係る無線通信システムでは、無線基地局装置１０１Ｂにおけるハンドオーバ動作情報作成部１１は、当該無線端末装置２０２に付与した端末識別情報をハンドオーバ動作情報に含める。
【０７１２】
このように、無線端末装置２０２の識別情報をハンドオーバレポートに含める構成により、ハンドオーバレポートの受信先の無線基地局装置１０１Ａにおいて、無線端末装置２０２の識別が容易となり、ハンドオーバ動作のタイミング制御等をより適切に行なうことが可能となる。
【０７１３】
また、本発明の第２の実施の形態に係る無線通信システムでは、無線基地局装置１０１Ｂにおけるハンドオーバ動作情報作成部１１は、無線基地局装置１０１Ａの識別情報をハンドオーバ動作情報に含める。
【０７１４】
このように、無線基地局装置１０１の識別情報をハンドオーバレポートに含める構成により、ハンドオーバレポートの受信先の無線基地局装置１０１Ａにおいて、ハンドオーバ動作におけるハンドオーバ元の無線基地局装置１０１を把握し、ハンドオーバ動作のタイミング制御等をより適切に行なうことが可能となる。
【０７１５】
また、本発明の第２の実施の形態に係る無線通信システムでは、無線基地局装置１０１Ｂにおけるハンドオーバ動作情報作成部１１は、当該無線端末装置２０２による無線基地局装置１０１Ｂから他の無線基地局装置へのハンドオーバ動作におけるハンドオーバ先の無線基地局装置の識別情報をハンドオーバ動作情報に含める。
【０７１６】
このように、無線基地局装置１０１の識別情報をハンドオーバレポートに含める構成により、ハンドオーバレポートの受信先の無線基地局装置１０１Ａにおいて、ハンドオーバ動作におけるハンドオーバ先の無線基地局装置１０１を把握し、ハンドオーバ動作のタイミング制御等をより適切に行なうことが可能となる。
【０７１７】
また、本発明の第２の実施の形態に係る無線通信システムでは、無線基地局装置１０１Ｂにおけるハンドオーバ動作情報作成部１１は、当該無線端末装置２０２による無線基地局装置１０１Ａから無線基地局装置１０１Ｂへのハンドオーバ動作が行なわれた際の当該無線端末装置２０２の移動速度をハンドオーバ動作情報に含める。
【０７１８】
このように、無線端末装置２０２の移動速度をハンドオーバレポートに含める構成により、ハンドオーバレポートの受信先の無線基地局装置１０１Ａにおいて、ハンドオーバ動作をより適切に評価し、ハンドオーバ動作のタイミング制御等をより適切に行なうことが可能となる。
【０７１９】
また、本発明の第２の実施の形態に係る無線通信システムでは、無線基地局装置１０１Ｂにおけるハンドオーバ動作情報作成部１１は、無線基地局装置１０１Ｂから他の無線基地局装置へのハンドオーバ動作が行なわれた際の当該無線端末装置２０２の移動速度をハンドオーバ動作情報に含める。
【０７２０】
このように、無線端末装置２０２の移動速度をハンドオーバレポートに含める構成により、ハンドオーバレポートの受信先の無線基地局装置１０１Ａにおいて、ハンドオーバ動作をより適切に評価し、ハンドオーバ動作のタイミング制御等をより適切に行なうことが可能となる。
【０７２１】
また、本発明の第２の実施の形態に係る無線通信システムでは、無線基地局装置１０１Ｂにおけるハンドオーバ動作情報作成部１１は、当該無線端末装置２０２による無線基地局装置１０１Ａから無線基地局装置１０１Ｂへのハンドオーバ動作の種別をハンドオーバ動作情報に含める。
【０７２２】
このように、ハンドオーバ動作の種別をハンドオーバレポートに含める構成により、ハンドオーバレポートの受信先の無線基地局装置１０１Ａにおいて、ハンドオーバ動作をより適切に評価し、ハンドオーバ動作のタイミング制御等をより適切に行なうことが可能となる。
【０７２３】
また、本発明の第２の実施の形態に係る無線通信システムでは、無線基地局装置１０１Ｂにおけるハンドオーバ動作情報作成部１１は、当該無線端末装置２０２による無線基地局装置１０１Ｂから他の無線基地局装置へのハンドオーバ動作の種別をハンドオーバ動作情報に含める。
【０７２４】
このように、ハンドオーバ動作の種別をハンドオーバレポートに含める構成により、ハンドオーバレポートの受信先の無線基地局装置１０１Ａにおいて、ハンドオーバ動作をより適切に評価し、ハンドオーバ動作のタイミング制御等をより適切に行なうことが可能となる。
【０７２５】
また、本発明の第２の実施の形態に係る無線通信システムでは、無線基地局装置１０１Ｂにおけるハンドオーバ動作情報作成部１１は、無線基地局装置１０１Ａから無線基地局装置１０１Ｂへのハンドオーバ動作を行った無線端末装置２０２から受信した情報から、ハンドオーバ動作情報に含める情報を取得するかまたは作成する。
【０７２６】
このような構成により、より多様な情報をハンドオーバレポートに含めることができるため、ハンドオーバレポートの受信先の無線基地局装置１０１Ａにおいて、ハンドオーバ動作をより適切に評価し、ハンドオーバ動作のタイミング制御等をより適切に行なうことが可能となる。
【０７２７】
また、本発明の第２の実施の形態に係る無線通信システムでは、無線基地局装置１０１Ｂにおけるハンドオーバ動作情報作成部１１は、当該無線端末装置２０２による無線基地局装置１０１Ｂから他の無線基地局装置へのハンドオーバ動作が行なわれ、当該無線端末装置２０２と当該他の無線基地局装置との通信接続が切断されなかった場合に、通信接続が切断されなかった旨をハンドオーバ動作情報に含める。
【０７２８】
このように、ハンドオーバ動作が行なわれても通信接続が切断されなかった旨をハンドオーバレポートに含める構成により、ハンドオーバレポートの受信先の無線基地局装置１０１Ａにおいて、ハンドオーバ動作をより適切に評価し、ハンドオーバ動作のタイミング制御等をより適切に行なうことが可能となる。
【０７２９】
また、本発明の第２の実施の形態に係る無線通信システムでは、無線基地局装置１０１Ｂにおけるハンドオーバ動作情報送信部１２は、基地局−基地局間の論理インタフェース経由でハンドオーバ動作情報を無線基地局装置１０１Ａへ送信する。
【０７３０】
このように、基地局−基地局間の論理インタフェースを用いる構成により、たとえばコアネットワークにおける上位装置がハンドオーバ動作を測定し、Ｓ１インタフェース等の上位装置−基地局間の論理インタフェースを用いて無線基地局装置１０１に測定結果を通知する構成と比べて、無線通信システムにおける通信トラフィックが低減され、また、ハンドオーバ動作のタイミング制御等に対するハンドオーバ動作情報の迅速な反映が可能となる。
【０７３１】
なお、本発明の第２の実施の形態において説明したようなハンドオーバレポートの送信手順に限らず、本発明の第２の実施の形態に係るハンドオーバレポートの内容を、本発明の第１の実施の形態における各シーケンスにおけるハンドオーバレポート等に適用することも可能である。
【０７３２】
その他の構成および動作は第１の実施の形態に係る無線通信システムと同様であるため、ここでは詳細な説明を繰り返さない。
【０７３３】
次に、本発明の他の実施の形態について図面を用いて説明する。なお、図中同一または相当部分には同一符号を付してその説明は繰り返さない。
【０７３４】
＜第３の実施の形態＞
本実施の形態は、第２の実施の形態に係る無線通信システムと比べてハンドオーバ元からハンドオーバ先へ種々のハンドオーバレポートが送信される無線通信システムに関する。以下で説明する内容以外は第２の実施の形態に係る無線通信システムと同様である。
【０７３５】
図４１は、本発明の第３の実施の形態に係る無線通信システムにおけるハンドオーバレポートの送信手順の一例を定めたシーケンス図である。
【０７３６】
図４１を参照して、まず、無線端末装置２０２、無線基地局装置１０１Ａおよび無線基地局装置１０１Ｂ間でたとえば図２に示すような各種情報が送受信されることにより、無線基地局装置１０１Ａから無線基地局装置１０１Ｂへのハンドオーバ動作が実行される（ステップＳ６４１）。
【０７３７】
次に、無線基地局装置１０１Ａは、自己から無線基地局装置１０１Ｂへのハンドオーバ動作が完了すると、ハンドオーバレポートをたとえばＸ２インタフェース経由で無線基地局装置１０１Ｂへ送信する。このハンドオーバレポートには、たとえば、当該ハンドオーバ動作におけるハンドオーバ先である無線基地局装置１０１ＢのＥＣＧＩ、無線基地局装置１０１ＡのＥＣＧＩ、無線基地局装置１０１Ａが無線端末装置２０２に付与したＣ−ＲＮＴＩ、当該ハンドオーバ動作における無線端末装置２０２の移動速度、セルＣＡにおける無線端末装置２０２の滞在時間、および当該ハンドオーバ動作の種別を示すハンドオーバ種別情報が含まれる（ステップＳ６４２）。
【０７３８】
上記滞在時間の取得方法として、たとえば、無線基地局装置１０１Ａは、他の無線基地局装置から自己へのハンドオーバ動作が行なわれると、無線端末装置２０２のセルＣＡにおける滞在時間を計測するためにタイマをスタートさせ、無線基地局装置１０１Ｂからハンドオーバ応答を受信して当該タイマの確認を行ない、滞在時間を取得する。
【０７３９】
図４１で説明したように、無線基地局装置１０１Ａにおいて、ハンドオーバ動作情報作成部１１は、無線端末装置２０２による無線基地局装置１０１Ａから無線基地局装置１０１Ｂへのハンドオーバ動作が行なわれた場合に、当該無線端末装置２０２のハンドオーバ動作に関する情報であるハンドオーバ動作情報すなわちハンドオーバレポートを作成する。そして、ハンドオーバ動作情報送信部１２は、ハンドオーバ動作情報作成部１１によって作成されたハンドオーバレポートを無線基地局装置１０１Ｂへ送信する。
【０７４０】
具体的には、たとえば、無線基地局装置１０１Ａにおけるハンドオーバ動作情報作成部１１は、当該無線端末装置２０２による無線基地局装置１０１Ａへのハンドオーバ動作が行なわれてから、当該無線端末装置２０２による無線基地局装置１０１Ａから無線基地局装置１０１Ｂへのハンドオーバ動作が行なわれるまでの時間である滞在時間をハンドオーバ動作情報に含める。
【０７４１】
また、たとえば、無線基地局装置１０１Ａにおけるハンドオーバ動作情報作成部１１は、当該無線端末装置２０２に付与した端末識別情報、無線基地局装置１０１Ｂの識別情報、無線基地局装置１０１Ａから無線基地局装置１０１Ｂへのハンドオーバ動作が行なわれた際の当該無線端末装置２０２の移動速度、および当該無線端末装置２０２による無線基地局装置１０１Ａから無線基地局装置１０１Ｂへのハンドオーバ動作の種別をハンドオーバ動作情報に含める。
【０７４２】
また、たとえば、無線基地局装置１０１Ａにおけるハンドオーバ動作情報送信部１２は、基地局−基地局間の論理インタフェース経由でハンドオーバ動作情報を無線基地局装置１０１Ｂへ送信する。
【０７４３】
図４２は、本発明の第３の実施の形態に係る無線通信システムにおけるハンドオーバレポートの送信手順の一例を定めたシーケンス図である。
【０７４４】
図４２を参照して、まず、無線基地局装置１０１Ｄから無線基地局装置１０１Ａへのハンドオーバ動作において、無線基地局装置１０１Ｄは、ハンドオーバ指示を含むＲＲＣコネクション再構成指示を無線端末装置２０２へ送信する。このハンドオーバ指示には、たとえば、当該ハンドオーバ動作の種別を示すハンドオーバ種別情報、およびハンドオーバ先の無線基地局装置１０１ＡのＥＣＧＩが含まれる（ステップＳ６５１）。
【０７４５】
次に、無線端末装置２０２および無線基地局装置１０１Ａ間でＲＲＣコネクションが確立されると、無線端末装置２０２は、無線基地局装置１０１ＡへＲＲＣコネクション再構成完了通知を送信する（ステップＳ６５２）。
【０７４６】
次に、無線端末装置２０２は、無線基地局装置１０１Ａへハンドオーバ履歴情報を送信する。このハンドオーバ履歴情報には、たとえば、当該ハンドオーバ動作におけるハンドオーバ元の無線基地局装置１０１ＤのＥＣＧＩ、当該ハンドオーバ動作におけるハンドオーバ先の無線基地局装置１０１ＡのＥＣＧＩ、無線基地局装置１０１Ｄから受信したハンドオーバ種別情報、無線基地局装置１０１Ｄから付与されたＣ−ＲＮＴＩ、および無線基地局装置１０１Ｄから無線基地局装置１０１Ａへのハンドオーバ動作における無線端末装置２０２の移動速度が含まれる。なお、無線端末装置２０２は、過去複数回のハンドオーバ動作におけるハンドオーバ種別情報、各無線基地局装置１０１から付与されたＣ−ＲＮＴＩ、各無線基地局装置１０１のＥＣＧＩおよび各無線基地局装置１０１の形成するセルにおける無線端末装置２０２の滞在時間をハンドオーバ履歴情報に含める構成であってもよい（ステップＳ６５３）。
【０７４７】
次に、無線端末装置２０２、無線基地局装置１０１Ａおよび無線基地局装置１０１Ｂ間でたとえば図２に示すような各種情報が送受信されることにより、無線基地局装置１０１Ａから無線基地局装置１０１Ｂへのハンドオーバ動作が実行される（ステップＳ６５４）。
【０７４８】
次に、無線基地局装置１０１Ａは、無線基地局装置１０１Ｂへのハンドオーバ動作が完了すると、ハンドオーバレポートをたとえばＸ２インタフェース経由で無線基地局装置１０１Ｂへ送信する。このハンドオーバレポートには、たとえば無線端末装置２０２から受信したハンドオーバ履歴情報の一部または全部が含まれる（ステップＳ６５５）。
【０７４９】
このように、図４２に示す例では、無線基地局装置１０１Ａにおけるハンドオーバ動作情報作成部１１は、当該無線端末装置２０２から受信した情報からハンドオーバ動作情報に含める情報を取得する。
【０７５０】
具体的には、たとえば、無線基地局装置１０１Ａにおけるハンドオーバ動作情報作成部１１は、当該無線端末装置２０２による無線基地局装置１０１Ａへのハンドオーバ動作におけるハンドオーバ元の無線基地局装置が当該無線端末装置２０２に付与した端末識別情報をハンドオーバ動作情報に含める。また、たとえば、無線基地局装置１０１Ａにおけるハンドオーバ動作情報作成部１１は、当該無線端末装置２０２による無線基地局装置１０１Ａへのハンドオーバ動作におけるハンドオーバ元の無線基地局装置の識別情報、当該無線端末装置２０２による無線基地局装置１０１Ａへのハンドオーバ動作が行われた際の当該無線端末装置２０２の移動速度、および当該無線端末装置２０２による無線基地局装置１０１Ａへのハンドオーバ動作の種別をハンドオーバ動作情報に含める。
【０７５１】
なお、無線基地局装置１０１Ａにおけるハンドオーバ動作情報作成部１１は、当該無線端末装置２０２から受信した情報からハンドオーバ動作情報に含める情報を作成する構成であってもよい。
【０７５２】
また、無線基地局装置１０１Ａは、無線基地局装置１０１Ｄから自己へのハンドオーバ動作が完了し、無線端末装置２０２においてＲＬＦが発生しなかった場合には、”Ｈａｎｄｏｖｅｒ  Ｒｅｐｏｒｔ  Ｔｙｐｅ”を所定値に設定することにより、ハンドオーバ動作が正常に完了した旨を無線基地局装置１０１Ｂに通知してもよい。具体的には、図４１のステップＳ６４２または図４２のステップＳ６５５におけるハンドオーバレポートに、上記所定値を設定する。
【０７５３】
すなわち、無線基地局装置１０１Ａにおけるハンドオーバ動作情報作成部１１は、当該無線端末装置２０２による無線基地局装置１０１Ａへのハンドオーバ動作が行われ、当該無線端末装置２０２と無線基地局装置１０１Ａとの通信接続が切断されなかった場合に、通信接続が切断されなかった旨をハンドオーバ動作情報に含める。
【０７５４】
無線基地局装置１０１は、他の無線基地局装置から受信したハンドオーバレポートに基づいて、種々の処理を行う。
【０７５５】
たとえば、図２３に示すステップＳ３１３において、無線基地局装置１０１Ｂは、無線基地局装置１０１Ａからハンドオーバレポートを受信して、当該ハンドオーバレポートの内容を解析し、セルＣＡおよびセルＣＢ間の”Ｐｉｎｇ  Ｐｏｎｇ  ＨＯ”を検出する。具体的には、無線基地局装置１０１Ａは、セルＣＡにおける無線端末装置２０２の滞在時間に当該無線端末装置２０２の移動速度を乗じて移動距離を算出し、算出した移動距離が所定の閾値未満の場合に、当該無線端末装置２０２による無線基地局装置１０１Ａおよび無線基地局装置１０１Ｂ間のハンドオーバは”Ｐｉｎｇ  Ｐｏｎｇ  ＨＯ”であったと判断する。
【０７５６】
すなわち、無線基地局装置１０１Ｂは、滞在時間が短い場合でも、移動速度が大きい場合には、無線端末装置２０２が長距離移動していることから、”Ｐｉｎｇ  Ｐｏｎｇ  ＨＯ”ではないと判断する。なお、無線基地局装置１０１は、無線端末装置２０２の移動速度のみに基づいて”Ｐｉｎｇ  Ｐｏｎｇ  ＨＯ”の判断を行う構成であってもよい。具体的には、たとえば、無線基地局装置１０１は、無線端末装置２０２の移動速度が大きい場合には、”Ｐｉｎｇ  Ｐｏｎｇ  ＨＯ”ではないと判断する。
【０７５７】
図４３は、本発明の第３の実施の形態に係る無線基地局装置によるハンドオーバレポートを用いた処理の一例を示すフローチャートである。
【０７５８】
無線基地局装置１０１Ｂは、周辺基地局リストを保持し、周辺基地局リストに含まれる１または複数の無線基地局装置の中から、無線端末装置２０２のハンドオーバ先を選択する。そして、無線基地局装置１０１Ｂにおける周辺基地局リスト作成部１３は、無線基地局装置１０１Ａから受信したハンドオーバ動作情報に含まれる滞在時間に基づいて、周辺基地局リストから無線基地局装置１０１Ａを削除するか否かを判断する。
【０７５９】
具体的には、図４３を参照して、まず、無線基地局装置１０１Ｂは、たとえば無線基地局装置１０１Ａからハンドオーバレポートを受信する（ステップＳ６５１）。
【０７６０】
次に、無線基地局装置１０１Ｂは、当該ハンドオーバレポートの示す滞在時間を確認し、無線基地局装置１０１Ａにおける滞在時間の統計処理を行う（ステップＳ６５２）。
【０７６１】
すなわち、無線基地局装置１０１Ｂは、無線基地局装置１０１Ａへの過去ｘ回のハンドオーバ動作のうち、滞在時間がα未満となるものがｙ回以上である場合には（ステップＳ６５２でＹＥＳ）、無線基地局装置１０１Ａは自己からのハンドオーバ先としても適切ではないと判断し、自己の保持する周辺基地局リストから無線基地局装置１０１Ａを削除する（ステップＳ６５３）。
【０７６２】
一方、無線基地局装置１０１Ｂは、無線基地局装置１０１Ａへの過去ｘ回のハンドオーバ動作のうち、滞在時間がα未満となるものがｙ回未満である場合には（ステップＳ６５２でＮＯ）、無線基地局装置１０１Ａは自己からのハンドオーバ先として適切であると判断し、自己の保持する周辺基地局リストを維持する。
【０７６３】
なお、無線基地局装置１０１Ｂにおける周辺基地局リスト作成部１３は、無線基地局装置１０１Ａから受信したハンドオーバ動作情報に含まれる滞在時間に基づいて、周辺基地局リストに無線基地局装置１０１Ａを追加するか否かを判断する構成であってもよい。
【０７６４】
また、無線基地局装置１０１は、他の無線基地局装置から受信したハンドオーバレポートに基づいてハンドオーバ動作のタイミングの制御および周辺基地局リストの作成を行う構成に限らず、当該ハンドオーバレポートを用いて無線信号の送信電力制御および干渉対策を行うことも可能である。
【０７６５】
以上のように、本発明の第３の実施の形態に係る無線通信システムでは、無線基地局装置１０１Ａにおいて、ハンドオーバ動作情報作成部１１は、無線端末装置２０２による無線基地局装置１０１Ａから無線基地局装置１０１Ｂへのハンドオーバ動作が行なわれた場合に、当該無線端末装置２０２のハンドオーバ動作に関する情報であるハンドオーバ動作情報を作成する。そして、ハンドオーバ動作情報送信部１２は、ハンドオーバ動作情報作成部１１によって作成されたハンドオーバ動作情報を無線基地局装置１０１Ｂへ送信する。
【０７６６】
このように、ハンドオーバ動作に関する情報を無線基地局装置１０１へ送信する構成により、当該無線基地局装置１０１においてハンドオーバ動作を適切に評価することができる。これにより、たとえば、ハンドオーバ動作のタイミング制御等を適切に行ない、不適切なハンドオーバ動作を抑制することができる。したがって、通信の安定化を図り、良好な通信システムを構築することができる。
【０７６７】
また、本発明の第３の実施の形態に係る無線通信システムでは、無線基地局装置１０１Ａにおけるハンドオーバ動作情報作成部１１は、当該無線端末装置２０２による無線基地局装置１０１Ａへのハンドオーバ動作が行なわれてから、当該無線端末装置２０２による無線基地局装置１０１Ａから無線基地局装置１０１Ｂへのハンドオーバ動作が行なわれるまでの時間である滞在時間をハンドオーバ動作情報に含める。
【０７６８】
このように、無線端末装置２０２の滞在時間をハンドオーバレポートに含める構成により、ハンドオーバレポートの受信先の無線基地局装置１０１Ｂにおいて、ハンドオーバ動作をより適切に評価し、ハンドオーバ動作のタイミング制御等をより適切に行うことが可能となる。
【０７６９】
また、本発明の第３の実施の形態に係る無線通信システムでは、無線基地局装置１０１Ｂにおける周辺基地局リスト作成部１３は、無線基地局装置１０１Ａから受信したハンドオーバ動作情報に含まれる滞在時間に基づいて、周辺基地局リストから無線基地局装置１０１Ａを削除するか否か、または周辺基地局リストに無線基地局装置１０１Ａを追加するか否かを判断する。
【０７７０】
このような構成により、無線端末装置２０２の滞在時間に基づいて周辺基地局リストを更新することができるため、ハンドオーバ先としてより適切な無線基地局装置を選択することができる。
【０７７１】
また、本発明の第３の実施の形態に係る無線通信システムでは、無線基地局装置１０１Ａにおけるハンドオーバ動作情報作成部１１は、当該無線端末装置２０２による無線基地局装置１０１Ａへのハンドオーバ動作におけるハンドオーバ元の無線基地局装置が当該無線端末装置２０２に付与した端末識別情報をハンドオーバ動作情報に含める。
【０７７２】
このように、無線端末装置２０２の識別情報をハンドオーバレポートに含める構成により、ハンドオーバレポートの受信先の無線基地局装置１０１Ｂにおいて、無線端末装置２０２の識別が容易となり、ハンドオーバ動作のタイミング制御等をより適切に行うことが可能となる。
【０７７３】
また、本発明の第３の実施の形態に係る無線通信システムでは、無線基地局装置１０１Ａにおけるハンドオーバ動作情報作成部１１は、当該無線端末装置２０２に付与した端末識別情報をハンドオーバ動作情報に含める。
【０７７４】
このように、無線端末装置２０２の識別情報をハンドオーバレポートに含める構成により、ハンドオーバレポートの受信先の無線基地局装置１０１Ｂにおいて、無線端末装置２０２の識別が容易となり、ハンドオーバ動作のタイミング制御等をより適切に行うことが可能となる。
【０７７５】
また、本発明の第３の実施の形態に係る無線通信システムでは、無線基地局装置１０１Ａにおけるハンドオーバ動作情報作成部１１は、当該無線端末装置２０２による無線基地局装置１０１Ａへのハンドオーバ動作におけるハンドオーバ元の無線基地局装置の識別情報をハンドオーバ動作情報に含める。
【０７７６】
このように、無線基地局装置１０１の識別情報をハンドオーバレポートに含める構成により、ハンドオーバレポートの受信先の無線基地局装置１０１Ｂにおいて、ハンドオーバ動作におけるハンドオーバ元の無線基地局装置１０１を把握し、ハンドオーバ動作のタイミング制御等をより適切に行うことが可能となる。
【０７７７】
また、本発明の第３の実施の形態に係る無線通信システムでは、無線基地局装置１０１Ａにおけるハンドオーバ動作情報作成部１１は、無線基地局装置１０１Ｂの識別情報をハンドオーバ動作情報に含める。
【０７７８】
このように、無線基地局装置１０１の識別情報をハンドオーバレポートに含める構成により、ハンドオーバレポートの受信先の無線基地局装置１０１Ｂにおいて、ハンドオーバ動作におけるハンドオーバ先の無線基地局装置１０１を把握し、ハンドオーバ動作のタイミング制御等をより適切に行うことが可能となる。
【０７７９】
また、本発明の第３の実施の形態に係る無線通信システムでは、無線基地局装置１０１Ａにおけるハンドオーバ動作情報作成部１１は、当該無線端末装置２０２による無線基地局装置１０１Ａへのハンドオーバ動作が行われた際の当該無線端末装置２０２の移動速度をハンドオーバ動作情報に含める。
【０７８０】
このように、無線端末装置２０２の移動速度をハンドオーバレポートに含める構成により、ハンドオーバレポートの受信先の無線基地局装置１０１Ｂにおいて、ハンドオーバ動作をより適切に評価し、ハンドオーバ動作のタイミング制御等をより適切に行うことが可能となる。
【０７８１】
また、本発明の第３の実施の形態に係る無線通信システムでは、無線基地局装置１０１Ａにおけるハンドオーバ動作情報作成部１１は、無線基地局装置１０１Ａから無線基地局装置１０１Ｂへのハンドオーバ動作が行われた際の当該無線端末装置２０２の移動速度をハンドオーバ動作情報に含める。
【０７８２】
このように、無線端末装置２０２の移動速度をハンドオーバレポートに含める構成により、ハンドオーバレポートの受信先の無線基地局装置１０１Ｂにおいて、ハンドオーバ動作をより適切に評価し、ハンドオーバ動作のタイミング制御等をより適切に行うことが可能となる。
【０７８３】
また、本発明の第３の実施の形態に係る無線通信システムでは、無線基地局装置１０１Ａにおけるハンドオーバ動作情報作成部１１は、当該無線端末装置２０２による無線基地局装置１０１Ａへのハンドオーバ動作の種別をハンドオーバ動作情報に含める。
【０７８４】
このように、ハンドオーバ動作の種別をハンドオーバレポートに含める構成により、ハンドオーバレポートの受信先の無線基地局装置１０１Ｂにおいて、ハンドオーバ動作をより適切に評価し、ハンドオーバ動作のタイミング制御等をより適切に行うことが可能となる。
【０７８５】
また、本発明の第３の実施の形態に係る無線通信システムでは、無線基地局装置１０１Ａにおけるハンドオーバ動作情報作成部１１は、当該無線端末装置２０２による無線基地局装置１０１Ａから無線基地局装置１０１Ｂへのハンドオーバ動作の種別をハンドオーバ動作情報に含める。
【０７８６】
このように、ハンドオーバ動作の種別をハンドオーバレポートに含める構成により、ハンドオーバレポートの受信先の無線基地局装置１０１Ｂにおいて、ハンドオーバ動作をより適切に評価し、ハンドオーバ動作のタイミング制御等をより適切に行うことが可能となる。
【０７８７】
また、本発明の第３の実施の形態に係る無線通信システムでは、無線基地局装置１０１Ａにおけるハンドオーバ動作情報作成部１１は、当該無線端末装置２０２から受信した情報からハンドオーバ動作情報に含める情報を取得するかまたは作成する。
【０７８８】
このような構成により、より多様な情報をハンドオーバレポートに含めることができるため、ハンドオーバレポートの受信先の無線基地局装置１０１Ｂにおいて、ハンドオーバ動作をより適切に評価し、ハンドオーバ動作のタイミング制御等をより適切に行うことが可能となる。
【０７８９】
また、本発明の第３の実施の形態に係る無線通信システムでは、無線基地局装置１０１Ａにおけるハンドオーバ動作情報作成部１１は、当該無線端末装置２０２による無線基地局装置１０１Ａへのハンドオーバ動作が行われ、当該無線端末装置２０２と無線基地局装置１０１Ａとの通信接続が切断されなかった場合に、通信接続が切断されなかった旨をハンドオーバ動作情報に含める。
【０７９０】
このように、ハンドオーバ動作が行われても通信接続が切断されなかった旨をハンドオーバレポートに含める構成により、ハンドオーバレポートの受信先の無線基地局装置１０１Ｂにおいて、ハンドオーバ動作をより適切に評価し、ハンドオーバ動作のタイミング制御等をより適切に行うことが可能となる。
【０７９１】
また、本発明の第３の実施の形態に係る無線通信システムでは、無線基地局装置１０１Ａにおけるハンドオーバ動作情報送信部１２は、基地局−基地局間の論理インタフェース経由でハンドオーバ動作情報を無線基地局装置１０１Ｂへ送信する。
【０７９２】
このように、基地局−基地局間の論理インタフェースを用いる構成により、たとえばコアネットワークにおける上位装置がハンドオーバ動作を測定し、Ｓ１インタフェース等の上位装置−基地局間の論理インタフェースを用いて無線基地局装置１０１に測定結果を通知する構成と比べて、無線通信システムにおける通信トラフィックが低減され、また、ハンドオーバ動作のタイミング制御等に対するハンドオーバ動作情報の迅速な反映が可能となる。
【０７９３】
なお、本発明の第３の実施の形態において説明したようなハンドオーバレポートの送信手順に限らず、本発明の第３の実施の形態に係るハンドオーバレポートの内容を、本発明の第１の実施の形態における各シーケンスにおけるハンドオーバレポート等に適用することも可能である。
【０７９４】
その他の構成および動作は第２の実施の形態に係る無線通信システムと同様であるため、ここでは詳細な説明を繰り返さない。
【０７９５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０７９６】
１１  ハンドオーバ動作情報作成部
１２  ハンドオーバ動作情報送信部
１３  周辺基地局リスト作成部
９１  アンテナ
９２  サーキュレータ
９３  無線受信部
９４  無線送信部
９５  信号処理部
９６  受信信号処理部
９７  送信信号処理部
９８  制御部
１０１Ａ，１０１Ｂ，１０１Ｃ  無線基地局装置
２０２  無線端末装置
【図１】
2013110728.tif 000003
【図２】
2013110728.tif 000004
【図３】
2013110728.tif 000005
【図４】
2013110728.tif 000006
【図５】
2013110728.tif 000007
【図６】
2013110728.tif 000008
【図７】
2013110728.tif 000009
【図８】
2013110728.tif 000010
【図９】
2013110728.tif 000011
【図１０】
2013110728.tif 000012
【図１１】
2013110728.tif 000013
【図１２】
2013110728.tif 000014
【図１３】
2013110728.tif 000015
【図１４】
2013110728.tif 000016
【図１５】
2013110728.tif 000017
【図１６】
2013110728.tif 000018
【図１７】
2013110728.tif 000019
【図１８】
2013110728.tif 000020
【図１９】
2013110728.tif 000021
【図２０】
2013110728.tif 000022
【図２１】
2013110728.tif 000023
【図２２】
2013110728.tif 000024
【図２３】
2013110728.tif 000025
【図２４】
2013110728.tif 000026
【図２５】
2013110728.tif 000027
【図２６】
2013110728.tif 000028
【図２７】
2013110728.tif 000029
【図２８】
2013110728.tif 000030
【図２９】
2013110728.tif 000031
【図３０】
2013110728.tif 000032
【図３１】
2013110728.tif 000033
【図３２】
2013110728.tif 000034
【図３３】
2013110728.tif 000035
【図３４】
2013110728.tif 000036
【図３５】
2013110728.tif 000037
【図３６】
2013110728.tif 000038
【図３７】
2013110728.tif 000039
【図３８】
2013110728.tif 000040
【図３９】
2013110728.tif 000041
【図４０】
2013110728.tif 000042
【図４１】
2013110728.tif 000043
【図４２】
2013110728.tif 000044
【図４３】
2013110728.tif 000045